(57)【特許請求の範囲】
【請求項１】
ワイヤレス通信のための方法であって、
ユーザ機器（ＵＥ）によって、基地局から、サウンディング基準信号のために割り振られた無認可無線周波数スペクトル帯域の１つまたは複数のアップリンクインターレースのセットの指示を受信することと、ここにおいて、前記基地局は、前記無認可無線周波数スペクトル帯域で動作する、
前記無認可無線周波数スペクトル帯域の１つまたは複数のアップリンクインターレースの前記指示されたセットを介して前記ＵＥから前記基地局に前記サウンディング基準信号を送信することと
を備え、
１つまたは複数のアップリンクインターレースの前記セットが複数のリソースブロックを備え、
前記方法が、１つまたは複数のアップリンクインターレースの前記セット内のリソースブロックのロケーションに少なくとも部分的に基づいて１つまたは複数のアップリンクインターレースの前記セットの前記リソースブロックのためのサウンディング基準信号シーケンスを決定すること
をさらに備え、
前記リソースブロックのための前記サウンディング基準信号シーケンスが、前記リソースブロックに関連するアップリンクインターレースに少なくとも部分的に基づく、方法。
【請求項２】
前記基地局から、前記サウンディング基準信号が送信されるべきであるアップリンクサブフレームまたはアップリンクサブフレームのシンボルのうちの少なくとも１つの指示を受信すること
をさらに備える、請求項１に記載の方法。
【請求項３】
ＵＥ識別子またはセル識別子のうちの少なくとも１つを決定すること、
ここにおいて、前記リソースブロックのための前記サウンディング基準信号シーケンスが、前記ＵＥ識別子または前記セル識別子に少なくとも部分的に基づく、
をさらに備える、請求項１に記載の方法。
【請求項４】
１つまたは複数のアップリンクインターレースの前記セットの各アップリンクインターレースが、複数のサブキャリアを備える、ここにおいて、前記サウンディング基準信号を送信することが、
前記複数のサブキャリアからの１つまたは複数のサブキャリアを介して前記ＵＥのための前記サウンディング基準信号を送信すること
を備える、請求項１に記載の方法。
【請求項５】
前記サウンディング基準信号のために割り振られた１つまたは複数のアップリンクインターレースの前記セットが、前記基地局と前記ＵＥとの間の距離または前記ＵＥの送信電力のうちの少なくとも１つに少なくとも部分的に基づく、請求項１に記載の方法。
【請求項６】
ワイヤレス通信のための方法であって、
ユーザ機器（ＵＥ）によって、基地局から、サウンディング基準信号のために割り振られた無認可無線周波数スペクトル帯域の１つまたは複数のアップリンクインターレースのセットの指示を受信することと、ここにおいて、前記基地局は、前記無認可無線周波数スペクトル帯域で動作する、
前記無認可無線周波数スペクトル帯域の１つまたは複数のアップリンクインターレースの前記指示されたセットを介して前記ＵＥから前記基地局に前記サウンディング基準信号を送信することと、
フレーム中に前記サウンディング基準信号を送信するようにスケジュールされていないＵＥによるサウンディング基準信号送信のために１つまたは複数のアップリンクインターレースの前記セットが指定されているという指示を前記基地局から受信することと、
前記フレーム中に前記基地局に前記サウンディング基準信号を送信するように前記ＵＥがスケジュールされていないと決定することと、前記フレーム中に割り振られた物理アップリンク共有チャネル（ＰＵＳＣＨ）を前記ＵＥが有すると決定することとを行うことと、
ここにおいて、前記サウンディング基準信号が、前記決定に応答して１つまたは複数のアップリンクインターレースの前記セットを介して送信される、
を備える、方法。
【請求項７】
ワイヤレス通信のためのユーザ機器（ＵＥ）内の装置であって、
基地局から、サウンディング基準信号のために割り振られた無認可無線周波数スペクトル帯域の１つまたは複数のアップリンクインターレースのセットの指示を受信するための手段と、ここにおいて、前記基地局は、前記無認可無線周波数スペクトル帯域で動作する、
前記無認可無線周波数スペクトル帯域の１つまたは複数のアップリンクインターレースの前記指示されたセットを介して前記ＵＥから前記基地局に前記サウンディング基準信号を送信するための手段と
を備え、
１つまたは複数のアップリンクインターレースの前記セットが複数のリソースブロックを備える、ここにおいて、前記装置が、
１つまたは複数のアップリンクインターレースの前記セット内のリソースブロックのロケーションに少なくとも部分的に基づいて１つまたは複数のアップリンクインターレースの前記セットの前記リソースブロックのためのサウンディング基準信号シーケンスを決定するための手段
をさらに備え、
前記リソースブロックのための前記サウンディング基準信号シーケンスが、前記リソースブロックに関連するアップリンクインターレースに少なくとも部分的に基づく、装置。
【請求項８】
前記基地局から、前記サウンディング基準信号が送信されるべきであるアップリンクサブフレームまたはアップリンクサブフレームのシンボルのうちの少なくとも１つの指示を受信するための手段
をさらに備える、請求項７に記載の装置。
【請求項９】
ＵＥ識別子またはセル識別子のうちの少なくとも１つを決定するための手段、
ここにおいて、前記リソースブロックのための前記サウンディング基準信号シーケンスが、前記ＵＥ識別子または前記セル識別子に少なくとも部分的に基づく、
をさらに備える、請求項７に記載の装置。
【請求項１０】
１つまたは複数のアップリンクインターレースの前記セットの各アップリンクインターレースが、複数のサブキャリアを備える、ここにおいて、前記装置が、
前記複数のサブキャリアからの１つまたは複数のサブキャリアを介して前記ＵＥのための前記サウンディング基準信号を送信するための手段
をさらに備える、請求項７に記載の装置。
【請求項１１】
ワイヤレス通信のためのユーザ機器（ＵＥ）内の装置であって、
基地局から、サウンディング基準信号のために割り振られた無認可無線周波数スペクトル帯域の１つまたは複数のアップリンクインターレースのセットの指示を受信するための手段と、ここにおいて、前記基地局は、前記無認可無線周波数スペクトル帯域で動作する、
前記無認可無線周波数スペクトル帯域の１つまたは複数のアップリンクインターレースの前記指示されたセットを介して前記ＵＥから前記基地局に前記サウンディング基準信号を送信するための手段と、
フレーム中に前記サウンディング基準信号を送信するようにスケジュールされていないＵＥによるサウンディング基準信号送信のために１つまたは複数のアップリンクインターレースの前記セットが指定されているという指示を前記基地局から受信するための手段と、
前記フレーム中に前記基地局に前記サウンディング基準信号を送信するように前記ＵＥがスケジュールされていないと決定することと、前記フレーム中に割り振られた物理アップリンク共有チャネル（ＰＵＳＣＨ）を前記ＵＥが有すると決定することとを行うための手段と、
ここにおいて、前記サウンディング基準信号が、前記決定に応答して１つまたは複数のアップリンクインターレースの前記セットを介して送信される、
を備える、装置。
【発明の詳細な説明】
【相互参照】
【０００１】
[0001]  本特許出願は、各々が本出願の譲受人に譲渡された、２０１５年９月３０日に出願された、「Ｔｅｃｈｎｉｑｕｅｓ  ｆｏｒ  Ｔｒａｎｓｍｉｔｔｉｎｇ  ａ  Ｓｏｕｎｄｉｎｇ  Ｒｅｆｅｒｅｎｃｅ  Ｓｉｇｎａｌ  ｏｒ  Ｓｃｈｅｄｕｌｉｎｇ  Ｒｅｑｕｅｓｔ  ｏｖｅｒ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｇａａｌらによる米国特許出願第１４／８７０，５４３号、および２０１４年１０月７日に出願された、「Ｔｅｃｈｎｉｑｕｅｓ  ｆｏｒ  Ｔｒａｎｓｍｉｔｔｉｎｇ  ａ  Ｓｏｕｎｄｉｎｇ  Ｒｅｆｅｒｅｎｃｅ  Ｓｉｇｎａｌ  ｏｒ  Ｓｃｈｅｄｕｌｉｎｇ  Ｒｅｑｕｅｓｔ  ｏｖｅｒ  ａｎ  Ｕｎｌｉｃｅｎｓｅｄ  Ｒａｄｉｏ  Ｆｒｅｑｕｅｎｃｙ  Ｓｐｅｃｔｒｕｍ  Ｂａｎｄ」と題する、Ｇａａｌらによる米国仮特許出願第６２／０６０，８９４号の優先権を主張する。
【技術分野】
【０００２】
[0002]  本開示は、例えば、ワイヤレス通信システムに関し、より詳細には、無認可無線周波数スペクトル帯域(unlicensed radio frequency spectrum band)を介してサウンディング基準信号またはスケジューリング要求を送信するための技法に関する。
【背景技術】
【０００３】
[0003]  ワイヤレス通信システムは、音声、ビデオ、パケットデータ、メッセージング、およびブロードキャストなどの様々なタイプの通信内容を提供するために広く展開されている。これらのシステムは、利用可能なシステムリソース（例えば、時間、周波数、および電力）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、シングルキャリア周波数分割多元接続（ＳＣ−ＦＤＭＡ）システム、および直交周波数分割多元接続（ＯＦＤＭＡ）システムがある。
【０００４】
[0004]  例として、ワイヤレス多元接続通信システムは、場合によってはユーザ機器（ＵＥ）として知られる、複数の通信デバイスのための通信を各々が同時にサポートする、いくつかの基地局を含み得る。基地局は、（例えば、基地局からＵＥへの送信のために）ダウンリンクチャネル、および（例えば、ＵＥから基地局への送信のために）アップリンクチャネル上で、ＵＥと通信し得る。
【０００５】
[0005]  いくつかの通信モードは、無認可無線周波数スペクトル帯域を通じた、またはセルラーネットワークの異なる無線周波数スペクトル帯域（例えば、認可無線周波数スペクトル帯域(licensed radio frequency spectrum band)または無認可無線周波数スペクトル帯域）を通じたＵＥとの通信を可能にし得る。認可無線周波数スペクトル帯域を使用するセルラーネットワークにおけるデータトラフィックの増加とともに、無認可無線周波数スペクトル帯域への少なくとも一部のデータトラフィックのオフロードは、セルラー事業者にデータ送信容量の増強のための機会を与え得る。無認可無線周波数スペクトル帯域はまた、認可無線周波数スペクトル帯域へのアクセスを有しないことがあるスタジアムまたはホテルなどのベニュー(venue)にワイヤレスアクセスを与えることができる。
【０００６】
[0006]  ＵＥが基地局に対して行い得る送信のうちのいくつかは、サウンディング基準信号（ＳＲＳ）とスケジューリング要求（ＳＲ）とを含む。
【発明の概要】
【０００７】
[0007]  本開示は、例えば、無認可無線周波数スペクトル帯域を介してサウンディング基準信号またはスケジューリング要求を送信するための１つまたは複数の技法に関する。無認可無線周波数スペクトル帯域にアクセスし、無認可無線周波数スペクトル帯域を介して通信する前に、基地局またはＵＥは、無認可無線周波数スペクトル帯域へのアクセスを求めて競合するために、リッスンビフォアトーク（ＬＢＴ：listen before talk）手順を行い得る。ＬＢＴ手順は、無認可無線周波数スペクトル帯域のチャネルが利用可能であるかどうかを決定するためにクリアチャネルアセスメント（ＣＣＡ：clear channel assessment）手順を行うことを含み得る。無認可無線周波数スペクトル帯域のチャネルが利用可能であると決定されると、別の送信（例えば、ＳＲＳまたはＳＲ）が行われるまでチャネルを予約するためにチャネル使用ビーコン信号（ＣＵＢＳ：channel usage beacon signal）が送信され得る。基地局またはＵＥが、無認可無線周波数スペクトル帯域のチャネルを介した送信を停止したか、または無認可無線周波数スペクトル帯域のチャネルを介した送信中にギャップを残した場合、別の送信装置が無認可無線周波数スペクトル帯域のチャネル上で送信を開始し得る可能性がある。これが発生した場合、無認可無線周波数スペクトル帯域のチャネルを以前に予約したかまたはそれを介して送信した基地局またはＵＥは、無認可無線周波数スペクトル帯域のチャネルがもう一度利用可能であることを示す別のＣＣＡ手順をそれが行うまで、無認可無線周波数スペクトル帯域のチャネルへのアクセスを失い得る。
【０００８】
[0008]  物理アップリンク共有チャネル（ＰＵＳＣＨ：physical uplink shared channel）送信と現在のロングタームエボリューション（ＬＴＥ（登録商標））通信またはＬＴＥアドバンスト（ＬＴＥ−Ａ）通信規格に従って送信されるＳＲＳ送信との間の対話は、いくつかのＵＥの送信中にギャップを作成することができる。従って、ＳＲＳを送信するための新しい技法は、無認可無線周波数スペクトル帯域のチャネルを介したＳＲＳ送信のために有用であり得る。現在のＬＴＥ／ＬＴＥ−Ａ規格はまた、それがチャネルの帯域幅の十分な割合を占有するように、ＳＲＳを送信することができないことがあり、これは、無認可無線周波数スペクトル帯域のチャネルの予約を維持するために必要であり得る。
【０００９】
[0009]  現在のＬＴＥ／ＬＴＥ−Ａ規格は、ＰＵＣＣＨフォーマット１を使用して、またはＰＵＣＣＨフォーマット３のためのリソースを選定することによって単一のオン／オフビットとしてＳＲを送信する。従って、無認可無線周波数スペクトル帯域のより多くの数のリソースをＵＥに割り振るとき、現在のＬＴＥ／ＬＴＥ−Ａ規格によるＳＲの送信は、リソースの過少利用または割り振られたリソースの十分な割合を占有することの失敗を生じ得る。無認可無線周波数スペクトル帯域を介してＳＲＳまたはＳＲを送信するための技法について、本開示で説明する。
【００１０】
[0010]  一例では、ワイヤレス通信のための方法について説明する。本方法は、基地局から、サウンディング基準信号のために割り振られた無認可無線周波数スペクトル帯域の１つまたは複数のアップリンクインターレースのセットの指示を受信することと、無認可無線周波数スペクトル帯域の１つまたは複数のアップリンクインターレースの指示されたセットを介してＵＥのためのサウンディング基準信号を送信することとを含み得る。
【００１１】
[0011]  一例では、ワイヤレス通信のための装置について説明する。本装置は、基地局から、サウンディング基準信号のために割り振られた無認可無線周波数スペクトル帯域の１つまたは複数のアップリンクインターレースのセットの指示を受信するための手段と、無認可無線周波数スペクトル帯域の１つまたは複数のアップリンクインターレースの指示されたセットを介してＵＥのためのサウンディング基準信号を送信するための手段とを含み得る。
【００１２】
[0012]  一例では、ワイヤレス通信のための装置について説明する。本装置は、プロセッサと、プロセッサと電子通信しているメモリとを含み得る。プロセッサは、基地局から、サウンディング基準信号のために割り振られた無認可無線周波数スペクトル帯域の１つまたは複数のアップリンクインターレースのセットの指示を受信することと、無認可無線周波数スペクトル帯域の１つまたは複数のアップリンクインターレースの指示されたセットを介してＵＥのためのサウンディング基準信号を送信することとをするように構成され得る。
【００１３】
[0013]  一例では、プロセッサによって実行可能な命令を記憶するための非一時的コンピュータ可読媒体について説明する。命令は、基地局から、サウンディング基準信号のために割り振られた無認可無線周波数スペクトル帯域の１つまたは複数のアップリンクインターレースのセットの指示を受信するための命令と、無認可無線周波数スペクトル帯域の１つまたは複数のアップリンクインターレースの指示されたセットを介してＵＥのためのサウンディング基準信号を送信するための命令とを含み得る。
【００１４】
[0014]  本方法、装置、または非一時的コンピュータ可読媒体のいくつかの例としては、基地局から、サウンディング基準信号が送信されるべきであるアップリンクサブフレームの指示を受信するためのプロセス、特徴、手段、または命令があり得る。いくつかの例としては、基地局から、サウンディング基準信号が送信されるべきであるアップリンクサブフレームのシンボルの指示を受信するためのプロセス、特徴、手段、または命令があり得る。本方法、装置、または非一時的コンピュータ可読媒体のいくつかの例では、シンボルの指示は、アップリンクサブフレームの第１のシンボルの指示またはアップリンクサブフレームの最後のシンボルの指示のうちの１つまたは複数を含み得る。
【００１５】
[0015]  本方法、装置、または非一時的コンピュータ可読媒体のいくつかの例では、１つまたは複数のアップリンクインターレースのセットは、複数のリソースブロックを含み得、本方法、装置、または非一時的コンピュータ可読媒体は、１つまたは複数のアップリンクインターレースのセット内のリソースブロックのロケーションに少なくとも部分的に基づいて１つまたは複数のアップリンクインターレースのセットのリソースブロックのためのサウンディング基準信号シーケンスを決定するためのプロセス、特徴、手段、または命令を含み得る。いくつかの例では、リソースブロックのためのサウンディング基準信号シーケンスは、リソースブロックに関連するアップリンクインターレースに少なくとも部分的に基づき得る。本方法、装置、または非一時的コンピュータ可読媒体のいくつかの例としては、ＵＥ識別子またはセル識別子のうちの少なくとも１つを決定すること、ここで、リソースブロックのためのサウンディング基準信号シーケンスは、ＵＥ識別子またはセル識別子に少なくとも部分的に基づき得る、を行うためのプロセス、特徴、手段、または命令があり得る。
【００１６】
[0016]  本方法、装置、または非一時的コンピュータ可読媒体のいくつかの例では、１つまたは複数のアップリンクインターレースのセットの各アップリンクインターレースは、複数のサブキャリアを含み得、サウンディング基準信号を送信することは、１つまたは複数のアップリンクインターレースのセットに関連するサブキャリアの各々を介してＵＥのためのサウンディング基準信号を送信するためのプロセス、特徴、手段、または命令を含み得る。本方法、装置、または非一時的コンピュータ可読媒体のいくつかの例では、１つまたは複数のアップリンクインターレースのセットの各アップリンクインターレースは、複数のサブキャリアを含み得、サウンディング基準信号を送信することは、サブキャリアのサブセットを介してＵＥのためのサウンディング基準信号を送信すること、ここで、サブキャリアのサブセットはＵＥに関連付けられる、を行うためのプロセス、特徴、手段、または命令を含み得る。
【００１７】
[0017]  本方法、装置、または非一時的コンピュータ可読媒体のいくつかの例としては、フレーム中にサウンディング基準信号を送信するようにスケジュールされていないＵＥによるサウンディング基準信号送信のために１つまたは複数のアップリンクインターレースのセットが指定されているという指示を基地局から受信することと、フレーム中に基地局にサウンディング基準信号を送信するようにＵＥがスケジュールされていないと決定することと、フレーム中に割り振られた物理アップリンク共有チャネル（ＰＵＳＣＨ）をＵＥが有すると決定することとを行うためのプロセス、特徴、手段、または命令があり得る。これらの例では、サウンディング基準信号は、決定に応答して１つまたは複数のアップリンクインターレースのセットを介して送信され得る。
【００１８】
[0018]  本方法、装置、または非一時的コンピュータ可読媒体のいくつかの例では、サウンディング基準信号は、周期的サウンディング基準信号または非周期基準信号のうちの少なくとも１つを含み得る。本方法、装置、または非一時的コンピュータ可読媒体のいくつかの例では、サウンディング基準信号のために割り振られた１つまたは複数のアップリンクインターレースのセットは、基地局とＵＥとの間の距離に少なくとも部分的に基づき得る。本方法、装置、または非一時的コンピュータ可読媒体のいくつかの例では、サウンディング基準信号のために割り振られた１つまたは複数のアップリンクインターレースのセットは、ＵＥの送信電力に少なくとも部分的に基づき得る。
【００１９】
[0019]  一例では、ワイヤレス通信のための方法について説明する。本方法は、ＵＥに、サウンディング基準信号のために割り振られた無認可無線周波数スペクトル帯域の１つまたは複数のアップリンクインターレースのセットの指示を送信することと、無認可無線周波数スペクトル帯域の１つまたは複数のアップリンクインターレースの指示されたセットを介して基地局においてＵＥのためのサウンディング基準信号を受信することとを含み得る。
【００２０】
[0020]  一例では、ワイヤレス通信のための装置について説明する。本装置は、ＵＥに、サウンディング基準信号のために割り振られた無認可無線周波数スペクトル帯域の１つまたは複数のアップリンクインターレースのセットの指示を送信するための手段と、無認可無線周波数スペクトル帯域の１つまたは複数のアップリンクインターレースの指示されたセットを介して基地局においてＵＥのためのサウンディング基準信号を受信するための手段とを含み得る。
【００２１】
[0021]  一例では、ワイヤレス通信のための装置について説明する。本装置は、プロセッサと、プロセッサと電子通信しているメモリとを含み得る。プロセッサは、ＵＥに、サウンディング基準信号のために割り振られた無認可無線周波数スペクトル帯域の１つまたは複数のアップリンクインターレースのセットの指示を送信することと、無認可無線周波数スペクトル帯域の１つまたは複数のアップリンクインターレースの指示されたセットを介して基地局においてＵＥのためのサウンディング基準信号を受信することとをするように構成され得る。
【００２２】
[0022]  一例では、プロセッサによって実行可能な命令を記憶するための非一時的コンピュータ可読媒体について説明する。命令は、ＵＥに、サウンディング基準信号のために割り振られた無認可無線周波数スペクトル帯域の１つまたは複数のアップリンクインターレースのセットの指示を送信するための命令と、無認可無線周波数スペクトル帯域の１つまたは複数のアップリンクインターレースの指示されたセットを介して基地局においてＵＥのためのサウンディング基準信号を受信するための命令とを含み得る。
【００２３】
[0023]  本方法、装置、または非一時的コンピュータ可読媒体のいくつかの例としては、ＵＥに、サウンディング基準信号が受信されるべきであるアップリンクサブフレームの指示を送信するためのプロセス、特徴、手段、または命令があり得る。本方法、装置、または非一時的コンピュータ可読媒体のいくつかの例としては、ＵＥに、サウンディング基準信号が受信されるべきであるアップリンクサブフレームのシンボルの指示を送信するためのプロセス、特徴、手段、または命令があり得る。本方法、装置、または非一時的コンピュータ可読媒体のいくつかの例では、シンボルの指示は、アップリンクサブフレームの第１のシンボルまたはアップリンクサブフレームの最後のシンボルのうちの１つまたは複数を含み得る。
【００２４】
[0024]  本方法、装置、または非一時的コンピュータ可読媒体のいくつかの例では、１つまたは複数のアップリンクインターレースのセットは、複数のリソースブロックを含み得、１つまたは複数のアップリンクインターレースのセットのリソースブロックのためのサウンディング基準信号シーケンスは、１つまたは複数のアップリンクインターレースのセット内のリソースブロックのロケーションに少なくとも部分的に基づき得る。本方法、装置、または非一時的コンピュータ可読媒体のいくつかの例では、リソースブロックのためのサウンディング基準信号シーケンスは、リソースブロックに関連するアップリンクインターレースに少なくとも部分的に基づき得る。本方法、装置、または非一時的コンピュータ可読媒体のいくつかの例では、リソースブロックのためのサウンディング基準信号シーケンスは、ＵＥ識別子またはセル識別子のうちの少なくとも１つに少なくとも部分的に基づき得る。
【００２５】
[0025]  本方法、装置、または非一時的コンピュータ可読媒体のいくつかの例では、１つまたは複数のアップリンクインターレースのセットの各アップリンクインターレースは、複数のサブキャリアを含み得、サウンディング基準信号を受信することは、１つまたは複数のアップリンクインターレースのセットに関連するサブキャリアの各々を介してＵＥのためのサウンディング基準信号を受信するためのプロセス、特徴、手段、または命令を含み得る。本方法、装置、または非一時的コンピュータ可読媒体のいくつかの例では、１つまたは複数のアップリンクインターレースのセットの各アップリンクインターレースは、複数のサブキャリアを含み得、サウンディング基準信号を受信することは、サブキャリアのサブセットを介してＵＥのためのサウンディング基準信号を受信すること、ここで、サブキャリアのサブセットはＵＥに関連付けられ得る、を行うためのプロセス、特徴、手段、または命令を含み得る。
【００２６】
[0026]  本方法、装置、または非一時的コンピュータ可読媒体のいくつかの例としては、ＵＥに、フレーム中にサウンディング基準信号を送信するようにスケジュールされていないＵＥによるサウンディング基準信号送信のために１つまたは複数のアップリンクインターレースのセットが指定されているという指示を送信するためのプロセス、特徴、手段、または命令があり得る。本方法、装置、または非一時的コンピュータ可読媒体のいくつかの例では、サウンディング基準信号は、周期的サウンディング基準シーケンスまたは非周期サウンディング基準信号のうちの少なくとも１つを含み得る。本方法、装置、または非一時的コンピュータ可読媒体のいくつかの例では、サウンディング基準信号のために割り振られた１つまたは複数のアップリンクインターレースのセットは、基地局とＵＥとの間の距離に少なくとも部分的に基づき得る。本方法、装置、または非一時的コンピュータ可読媒体のいくつかの例では、サウンディング基準信号のために割り振られた１つまたは複数のアップリンクインターレースのセットは、ＵＥの送信電力に少なくとも部分的に基づき得る。
【００２７】
[0027]  一例では、ワイヤレス通信のための方法について説明する。本方法は、物理アップリンク制御チャネル（ＰＵＣＣＨ：physical uplink control channel）送信のために割り振られた無認可無線周波数スペクトル帯域のインターレースの指示を受信することと、指示されたインターレースを介してスケジューリング要求とバッファステータス報告とを送信することとを含み得る。
【００２８】
[0028]  一例では、ワイヤレス通信のための装置について説明する。本装置は、ＰＵＣＣＨ送信のために割り振られた無認可無線周波数スペクトル帯域のインターレースの指示を受信するための手段と、指示されたインターレースを介してスケジューリング要求とバッファステータス報告とを送信するための手段とを含み得る。
【００２９】
[0029]  一例では、ワイヤレス通信のための装置について説明する。本装置は、プロセッサと、プロセッサと電子通信しているメモリとを含み得る。プロセッサは、ＰＵＣＣＨ送信のために割り振られた無認可無線周波数スペクトル帯域のインターレースの指示を受信することと、指示されたインターレースを介してスケジューリング要求とバッファステータス報告とを送信することとをするように構成され得る。
【００３０】
[0030]  一例では、プロセッサによって実行可能な命令を記憶するための非一時的コンピュータ可読媒体について説明する。命令は、ＰＵＣＣＨ送信のために割り振られた無認可無線周波数スペクトル帯域のインターレースの指示を受信するための命令と、指示されたインターレースを介してスケジューリング要求とバッファステータス報告とを送信するための命令とを含み得る。
【００３１】
[0031]  本方法、装置、または非一時的コンピュータ可読媒体のいくつかの例としては、指示されたインターレースを介してスケジューリング要求とバッファステータス報告とともに電力ヘッドルーム報告または論理グループ識別子のうちの少なくとも１つを送信するためのプロセス、特徴、手段、または命令があり得る。本方法、装置、または非一時的コンピュータ可読媒体のいくつかの例としては、指示されたインターレースを介してスケジューリング要求とバッファステータス報告とともに論理チャネルグループ識別子を送信するためのプロセス、特徴、手段、または命令があり得る。本方法、装置、または非一時的コンピュータ可読媒体のいくつかの例としては、指示されたインターレースを介して少なくともスケジューリング要求とバッファステータス報告とについての巡回冗長検査を送信するためのプロセス、特徴、手段、または命令があり得る。本方法、装置、または非一時的コンピュータ可読媒体のいくつかの例としては、指示されたインターレース中のビットの残りの数に少なくとも部分的に基づいて巡回冗長検査のサイズを調整するためのプロセス、特徴、手段、または命令があり得る。
【００３２】
[0032]  本方法、装置、または非一時的コンピュータ可読媒体のいくつかの例では、スケジューリング要求とバッファステータス報告とは、複数のあらかじめ定義されたＰＵＣＣＨフォーマットのうちの１つを使用して送信され得る。本方法、装置、または非一時的コンピュータ可読媒体のいくつかの例としては、バッファステータス報告のサイズに少なくとも部分的に基づいてＰＵＣＣＨフォーマットを選択するためのプロセス、特徴、手段、または命令があり得る。本方法、装置、または非一時的コンピュータ可読媒体のいくつかの例としては、指示されたインターレースを介して送信されるべきペイロードのサイズに少なくとも部分的に基づいてＰＵＣＣＨフォーマットを選択するためのプロセス、特徴、手段、または命令があり得る。本方法、装置、または非一時的コンピュータ可読媒体のいくつかの例としては、指示されたインターレースを介したスケジューリング要求とバッファステータス要求との送信をアップリンク制御情報（ＵＣＩ）の送信と多重化するためのプロセス、特徴、手段、または命令があり得る。本方法、装置、または非一時的コンピュータ可読媒体のいくつかの例では、ＵＣＩは、肯定応答（ＡＣＫ：acknowledgement）、否定応答（ＮＡＫ：non-acknowledgement）、またはいくつかのチャネル品質インジケータ（ＣＱＩ：channel quality indicator）報告のうちの少なくとも１つを含み得る。
【００３３】
[0033]  一例では、ワイヤレス通信のための方法について説明する。本方法は、ＰＵＣＣＨ送信のためのＵＥに無認可無線周波数スペクトル帯域のインターレースの指示を送信することと、インターレースを介してＵＥのためのスケジューリング要求とバッファステータス報告とを受信することとを含み得る。
【００３４】
[0034]  一例では、ワイヤレス通信のための装置について説明する。本装置は、ＰＵＣＣＨ送信のためのＵＥに無認可無線周波数スペクトル帯域のインターレースの指示を送信するための手段と、インターレースを介してＵＥのためのスケジューリング要求とバッファステータス報告とを受信するための手段とを含み得る。
【００３５】
[0035]  一例では、ワイヤレス通信のための装置について説明する。本装置は、プロセッサと、プロセッサと電子通信しているメモリとを含み得る。プロセッサは、ＰＵＣＣＨ送信のためのＵＥに無認可無線周波数スペクトル帯域のインターレースの指示を送信することと、インターレースを介してＵＥのためのスケジューリング要求とバッファステータス報告とを受信することとをするように構成され得る。
【００３６】
[0036]  一例では、プロセッサによって実行可能な命令を記憶するための非一時的コンピュータ可読媒体について説明する。命令は、ＰＵＣＣＨ送信のためのＵＥに無認可無線周波数スペクトル帯域のインターレースの指示を送信するための命令と、インターレースを介してＵＥのためのスケジューリング要求とバッファステータス報告とを受信するための命令とを含み得る。
【００３７】
[0037]  本方法、装置、または非一時的コンピュータ可読媒体のいくつかの例としては、指示されたインターレースを介してスケジューリング要求とバッファステータス報告とともに電力ヘッドルーム報告または論理グループ識別子のうちの少なくとも１つを受信するためのプロセス、特徴、手段、または命令があり得る。本方法、装置、または非一時的コンピュータ可読媒体のいくつかの例としては、指示されたインターレースを介してスケジューリング要求とバッファステータス報告とともに論理チャネルグループ識別子を受信するためのプロセス、特徴、手段、または命令があり得る。本方法、装置、または非一時的コンピュータ可読媒体のいくつかの例としては、指示されたインターレースを介して少なくともスケジューリング要求とバッファステータス報告とについての巡回冗長検査を受信するためのプロセス、特徴、手段、または命令があり得る。本方法、装置、または非一時的コンピュータ可読媒体のいくつかの例では、巡回冗長検査のサイズは、指示されたインターレース中のビットの残りの数に少なくとも部分的に基づき得る。
【００３８】
[0038]  本方法、装置、または非一時的コンピュータ可読媒体のいくつかの例では、スケジューリング要求とバッファステータス報告とは、複数のあらかじめ定義されたＰＵＣＣＨフォーマットのうちの１つを使用して受信され得る。本方法、装置、または非一時的コンピュータ可読媒体のいくつかの例では、複数のあらかじめ定義されたＰＵＣＣＨフォーマットのうちの１つは、バッファステータス報告のサイズに少なくとも部分的に基づき得る。本方法、装置、または非一時的コンピュータ可読媒体のいくつかの例では、複数のあらかじめ定義されたＰＵＣＣＨフォーマットのうちの１つは、指示されたインターレースを介して送信されるべきペイロードのサイズに少なくとも部分的に基づき得る。本方法、装置、または非一時的コンピュータ可読媒体のいくつかの例としては、指示されたインターレースを介して、ＵＣＩの送信と多重化されたスケジューリング要求とバッファステータス要求とを受信するためのプロセス、特徴、手段、または命令があり得る。本方法、装置、または非一時的コンピュータ可読媒体のいくつかの例では、ＵＣＩは、ＡＣＫ、ＮＡＫ、またはいくつかのＣＱＩ報告のうちの少なくとも１つを含み得る。
【００３９】
[0039]  上記では、以下の詳細な説明がよりよく理解され得るように、本開示による例の特徴および技術的利点をかなり広く概説した。さらなる特徴および利点について、以下で説明する。開示される概念および具体例は、本開示の同じ目的を遂行するための他の構造を変更または設計するための基礎として容易に利用され得る。そのような等価な構成は、添付の特許請求の範囲から逸脱しない。本明細書で開示する概念の特徴、それらの編成と動作方法の両方は、関連する利点とともに、添付の図に関連して以下の説明を検討するとより良く理解されよう。図の各々は、例示および説明の目的で与えられるものであり、特許請求の範囲の制限の定義として与えられるものではない。
【００４０】
[0040]  本開示の性質および利点のさらなる理解は、以下の図面を参照して実現され得る。添付の図では、同様の構成要素または特徴は、同一の参照符号を有し得る。さらに、同じタイプの様々な構成要素は、参照ラベルの後に、ダッシュと、それらの同様の構成要素同士を区別する第２のラベルとを続けることによって区別され得る。第１の参照ラベルのみが本明細書において使用される場合、説明は、第２の参照ラベルにかかわらず、同じ第１の参照ラベルを有する同様の構成要素のいずれにも適用可能である。
【図面の簡単な説明】
【００４１】
【図１】本開示の態様による、ワイヤレス通信システムの一例を示す図。
【図２】本開示の態様による、無認可無線周波数スペクトル帯域を使用する様々なシナリオの下でＬＴＥ／ＬＴＥ−Ａが展開され得るワイヤレス通信システムを示す図。
【図３】本開示の態様による、無認可無線周波数スペクトル帯域を介したワイヤレス通信の一例を示す図。
【図４】本開示の態様による、無認可無線周波数スペクトル帯域におけるコンポーネントキャリア（ＣＣ）帯域幅（ＢＷ）の図。
【図５】本開示の態様による、リソースブロックの図。
【図６】本開示の態様による、ＵＥと基地局との間のメッセージフローを示す図。
【図７】本開示の態様による、ＵＥと基地局との間のメッセージフローを示す図。
【図８】本開示の態様による、ＵＥと基地局との間のメッセージフローを示す図。
【図９】本開示の態様による、ＵＥと基地局との間のメッセージフローを示す図。
【図１０】本開示の態様による、ワイヤレス通信において使用するための装置のブロック図。
【図１１】本開示の態様による、ワイヤレス通信において使用するための装置のブロック図。
【図１２】本開示の態様による、ワイヤレス通信において使用するための装置のブロック図。
【図１３】本開示の態様による、ワイヤレス通信において使用するための装置のブロック図。
【図１４】本開示の様々な態様による、ワイヤレス通信において使用するための装置のブロック図。
【図１５】本開示の態様による、ワイヤレス通信において使用するための装置のブロック図。
【図１６】本開示の態様による、ワイヤレス通信において使用するための装置のブロック図。
【図１７】本開示の態様による、ワイヤレス通信において使用するための装置のブロック図。
【図１８】本開示の態様による、ワイヤレス通信において使用するためのＵＥのブロック図。
【図１９】本開示の様々な態様による、ワイヤレス通信において使用するための基地局（例えば、ｅＮＢの一部または全部を形成する基地局）のブロック図。
【図２０】本開示の態様による、基地局とＵＥとを含む多入力多出力（ＭＩＭＯ：multiple input/multiple output）通信システムのブロック図。
【図２１】本開示の態様による、ワイヤレス通信のための例示的な方法を示すフローチャート。
【図２２】本開示の態様による、ワイヤレス通信のための例示的な方法を示すフローチャート。
【図２３】本開示の態様による、ワイヤレス通信のための例示的な方法を示すフローチャート。
【図２４】本開示の態様による、ワイヤレス通信のための例示的な方法を示すフローチャート。
【図２５】本開示の態様による、ワイヤレス通信のための例示的な方法を示すフローチャート。
【図２６】本開示の態様による、ワイヤレス通信のための例示的な方法を示すフローチャート。
【図２７】本開示の態様による、ワイヤレス通信のための例示的な方法を示すフローチャート。
【図２８】本開示の態様による、ワイヤレス通信のための例示的な方法を示すフローチャート。
【詳細な説明】
【００４２】
[0069]  ワイヤレス通信システムを介した通信の少なくとも一部分のために無認可無線周波数スペクトル帯域が使用される技法について説明する。いくつかの例では、無認可無線周波数スペクトル帯域はＬＴＥ／ＬＴＥ−Ａ通信のために使用され得る。無認可無線周波数スペクトル帯域は、認可無線周波数スペクトル帯域と組み合わせて、または認可無線周波数スペクトル帯域から独立して使用され得る。いくつかの例では、無認可無線周波数スペクトル帯域は、無線周波数スペクトル帯域が少なくとも部分的にＷｉ−Ｆｉ（登録商標）用途などの無認可用途に利用可能であるので、送信装置がアクセスを求めて競合する必要があり得る無線周波数スペクトル帯域を含み得る。
【００４３】
[0070]  認可無線周波数スペクトル帯域を使用するセルラーネットワークにおけるデータトラフィックの増加とともに、無認可無線周波数スペクトル帯域への少なくとも一部のデータトラフィックのオフロードは、セルラー事業者（例えば、公衆陸上移動体ネットワーク（ＰＬＭＮ：public land mobile network）またはＬＴＥ／ＬＴＥ−Ａネットワークなどのセルラーネットワークを定義する基地局の協調させられたセットの事業者）にデータ送信容量の増強のための機会を与え得る。無認可無線周波数スペクトル帯域はまた、認可無線周波数スペクトル帯域へのアクセスを有しないことがあるスタジアムまたはホテルなどのベニューにワイヤレスアクセスを与えることができる。上述のように、無認可無線周波数スペクトル帯域を介して通信する前に、デバイスは、無線周波数スペクトル帯域へのアクセスを獲得するために、リッスンビフォアトーク（ＬＢＴ）手順を行い得る。そのようなＬＢＴ手順は、無認可無線周波数スペクトル帯域のチャネルが利用可能であるかどうかを決定するために、ＣＣＡ手順（または拡張ＣＣＡ（ｅＣＣＡ：extended CCA）手順）を行うことを含み得る。無認可無線周波数スペクトル帯域のチャネルが利用可能であると決定されると、チャネルを予約するためにＣＵＢＳが送信され得る。チャネルが利用可能ではないと決定されると、ＣＣＡ手順（またはｅＣＣＡ手順）が後で再びチャネルに関して行われ得る。
【００４４】
[0071]  本開示で説明するように、無認可無線周波数スペクトル帯域を介して通信するＵＥは、ＬＴＥ／ＬＴＥ−Ａ規格によって現在企図されているものとは別様にＳＲＳまたはＳＲを送信し得る。無認可無線周波数スペクトル帯域中でのＳＲＳまたはＳＲのＵＥの送信は、いくつかの例では、無認可無線周波数スペクトル帯域のチャネルの予約を維持するために、またはより良いリソース利用を与えるために行われ得る。
【００４５】
[0072]  以下の説明は、例を与えるものであり、特許請求の範囲に記載された範囲、適用可能性、または例を限定するものではない。本開示の範囲から逸脱することなく、説明する要素の機能および構成において変更が行われ得る。様々な例は、適宜に様々なプロシージャまたは構成要素を省略、置換、または追加し得る。例えば、説明する技法は、説明する順序とは異なる順序で行われ得、様々なステップが追加、省略、または組み合わされ得る。また、いくつかの例に関して説明する特徴は、他の例において組み合わされ得る。
【００４６】
[0073]  図１に、本開示の態様による、ワイヤレス通信システム１００の一例を示す。ワイヤレス通信システム１００は、基地局１０５と、ＵＥ１１５と、コアネットワーク１３０とを含み得る。コアネットワーク１３０は、ユーザ認証と、アクセス許可と、トラッキングと、インターネットプロトコル（ＩＰ）接続性と、他のアクセス、ルーティング、またはモビリティ機能とを与え得る。基地局１０５は、バックホールリンク１３２（例えば、Ｓ１など）を通してコアネットワーク１３０とインターフェースし得、ＵＥ１１５との通信のための無線構成およびスケジューリングを行い得るか、または基地局コントローラ（図示されず）の制御下で動作し得る。様々な例では、基地局１０５は、ワイヤードまたはワイヤレス通信リンクであり得るバックホールリンク１３４（例えば、Ｘ１など）を介して互いに直接または間接的に（例えば、コアネットワーク１３０を通じて）通信し得る。
【００４７】
[0074]  基地局１０５は、１つまたは複数の基地局アンテナを介してＵＥ１１５とワイヤレス通信し得る。基地局１０５の各々は、それぞれの地理的カバレージエリア１１０に通信カバレージを提供し得る。いくつかの例では、基地局１０５は、基地トランシーバ局、無線基地局、アクセスポイント、無線トランシーバ、ＮｏｄｅＢ、ｅＮｏｄｅＢ（ｅＮＢ）、Ｈｏｍｅ  ＮｏｄｅＢ、Ｈｏｍｅ  ｅＮｏｄｅＢ、または何らかの他の好適な用語で呼ばれることがある。基地局１０５のための地理的カバレージエリア１１０は、カバレージエリアの一部分を構成するセクタに分割され得る（図示せず）。ワイヤレス通信システム１００は、異なるタイプの基地局１０５（例えば、マクロ基地局またはスモールセル基地局）を含み得る。基地局１０５は、１つまたは複数の通信技術と通信するように構成され得、ここで、各通信技術は、関連する地理的カバレージエリア１１０を有し得る。第１の通信技術のための地理的カバレージエリア１１０は、第２の通信技術のための地理的カバレージエリア１１０と重複し得、第１の通信技術と第２の通信技術とは、同じ基地局１０５または異なる基地局１０５に関連付けられ得る。
【００４８】
[0075]  いくつかの例では、ワイヤレス通信システム１００はＬＴＥ／ＬＴＥ−Ａネットワークを含み得る。ＬＴＥ／ＬＴＥ−Ａネットワークでは、拡張または発展型ノードＢ（ｅＮＢ）という用語は、基地局１０５を表すために使用され得、ＵＥという用語は、ＵＥ１１５を表すために使用され得る。ワイヤレス通信システム１００は、異なるタイプのｅＮＢが様々な地理的領域にカバレージを与える、異種ＬＴＥ／ＬＴＥ−Ａネットワークであり得る。例えば、各ｅＮＢまたは基地局１０５は、マクロセル、スモールセル、または他のタイプのセルに通信カバレージを与え得る。「セル」という用語は、コンテキストに応じて、基地局、基地局に関連するキャリアまたはコンポーネントキャリア、あるいはキャリアまたは基地局のカバレージエリア（例えば、セクタなど）を表すために使用され得る３ＧＰＰ（登録商標）用語である。
【００４９】
[0076]  マクロセルは、比較的大きい地理的エリア（例えば、半径数キロメートル）をカバーし得、ネットワークプロバイダのサービスに加入しているＵＥによる無制限アクセスを可能にし得る。スモールセルは、マクロセルと比較して、同じまたは異なる（例えば、認可、無認可などの）無線周波数スペクトル帯域内でマクロセルとして動作し得る低電力基地局であり得る。スモールセルは、様々な例によれば、ピコセルとフェムトセルとマイクロセルとを含み得る。ピコセルは、比較的小さい地理的エリアをカバーし得、ネットワークプロバイダのサービスに加入しているＵＥによる無制限アクセスを可能にし得る。フェムトセルは、比較的小さい地理的エリア（例えば、自宅）をもカバーし得、フェムトセルとの関連を有するＵＥ（例えば、限定加入者グループ（ＣＳＧ：closed subscriber group）中のＵＥ、自宅内のユーザのためのＵＥなど）による制限付きアクセスを与え得る。マクロセルのためのｅＮＢはマクロｅＮＢと呼ばれることがある。スモールセルのためのｅＮＢは、スモールセルｅＮＢ、ピコｅＮＢ、フェムトｅＮＢまたはホームｅＮＢと呼ばれることがある。ｅＮＢは、１つまたは複数の（例えば、２つ、３つ、４つなどの）セル（例えば、コンポーネントキャリア）をサポートし得る。
【００５０】
[0077]  ワイヤレス通信システム１００は、同期動作または非同期動作をサポートし得る。同期動作の場合、基地局は同様のフレームタイミングを有し得、異なる基地局からの送信は近似的に時間的に整合され得る。非同期動作の場合、基地局は異なるフレームタイミングを有し得、異なる基地局からの送信は時間的に整合されないことがある。本明細書で説明する技法は、同期動作または非同期動作のいずれかのために使用され得る。
【００５１】
[0078]  様々な開示する例のうちのいくつかに適応し得る通信ネットワークは、階層化プロトコルスタックに従って動作するパケットベースネットワークであり得る。ユーザプレーンでは、ベアラまたはパケットデータコンバージェンスプロトコル（ＰＤＣＰ：Packet Data Convergence Protocol）レイヤにおける通信はＩＰベースであり得る。無線リンク制御（ＲＬＣ：Radio Link Control）レイヤが、論理チャネルを介して通信するためにパケットセグメンテーションおよびリアセンブリを行い得る。媒体アクセス制御（ＭＡＣ：Medium Access Control）レイヤが、優先度処理と、トランスポートチャネルへの論理チャネルの多重化とを行い得る。ＭＡＣレイヤはまた、リンク効率を改善するためにＭＡＣレイヤにおいて再送信を行うためにハイブリッド自動再送要求（ＨＡＲＱ：Hybrid Automatic Repeat Request）を使用し得る。制御プレーンでは、無線リソース制御（ＲＲＣ：Radio Resource Control）プロトコルレイヤが、ユーザプレーンデータのための無線ベアラをサポートする、ＵＥ１１５と基地局１０５またはコアネットワーク１３０との間のＲＲＣ接続の確立と構成と保守とを行い得る。物理（ＰＨＹ：Physical）レイヤにおいて、トランスポートチャネルは物理チャネルにマッピングされ得る。
【００５２】
[0079]  ＵＥ１１５は、ワイヤレス通信システム１００全体にわたって分散され得、各ＵＥ１１５は固定またはモバイルであり得る。ＵＥ１１５は、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、または何らかの他の好適な用語をも含むか、あるいは当業者によってそのような用語で呼ばれることもある。ＵＥ１１５は、セルラーフォン、携帯情報端末（ＰＤＡ）、ワイヤレスモデム、ワイヤレス通信デバイス、ハンドヘルドデバイス、タブレットコンピュータ、ラップトップコンピュータ、コードレスフォン、ワイヤレスローカルループ（ＷＬＬ：wireless local loop）局などであり得る。ＵＥは、マクロｅＮＢ、スモールセルｅＮＢ、リレー基地局などを含む、様々なタイプの基地局およびネットワーク機器と通信することが可能であり得る。
【００５３】
[0080]  ワイヤレス通信システム１００に示された通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信は順方向リンク送信と呼ばれることもあり、一方、アップリンク送信は逆方向リンク送信と呼ばれることもある。いくつかの例では、ＵＬ送信はアップリンク制御情報の送信を含み得、アップリンク制御情報はアップリンク制御チャネル（例えば、物理アップリンク制御チャネル（ＰＵＣＣＨ：physical uplink control channel）または拡張／発展型ＰＵＣＣＨ（ｅＰＵＣＣＨ））上で送信され得る。アップリンク制御情報は、例えば、ダウンリンク送信の肯定応答または否定応答、あるいはチャネル状態情報を含み得る。ＵＬ送信はデータの送信をも含み得、データは、物理アップリンク共有チャネル（ＰＵＳＣＨ：physical uplink shared channel）または拡張／発展型ＰＵＳＣＨ（ｅＰＵＳＣＨ）上で送信され得る。ＵＬ送信は、サウンディング基準信号（ＳＲＳ：sounding reference signal）または拡張／発展型ＳＲＳ（ｅＳＲＳ）、（例えば、デュアル接続性モード、または図２を参照しながら説明されるスタンドアロンモードでの）物理ランダムアクセスチャネル（ＰＲＡＣＨ：physical random access channel）または拡張／発展型ＰＲＡＣＨ（ｅＰＲＡＣＨ）、あるいは（例えば、図２を参照しながら説明されるスタンドアロンモードでの）スケジューリング要求（ＳＲ：scheduling request）または拡張／発展型ＳＲ（ｅＳＲ）の送信をも含み得る。ＰＵＣＣＨ、ＰＵＳＣＨ、ＰＲＡＣＨ、ＳＲＳ、またはＳＲへの本開示における言及は、それぞれのｅＰＵＣＣＨ、ｅＰＵＳＣＨ、ｅＰＲＡＣＨ、ｅＳＲＳ、またはｅＳＲへの言及を本質的に含むと推定される。
【００５４】
[0081]  いくつかの例では、各通信リンク１２５は１つまたは複数のキャリアを含み得、ここで、各キャリアは、上記で説明した様々な無線技術に従って変調された複数のサブキャリア（例えば、異なる周波数の波形信号）からなる信号であり得る。各被変調信号は、異なるサブキャリア上で送られ得、制御情報（例えば、基準信号、制御チャネルなど）、オーバーヘッド情報、ユーザデータなどを搬送し得る。通信リンク１２５は、周波数領域複信（ＦＤＤ：frequency domain duplexing）動作を使用して（例えば、対スペクトルリソースを使用して）、または時間領域複信（ＴＤＤ：time domain duplexing）動作を使用して（例えば、不対スペクトルリソースを使用して）双方向通信を送信し得る。ＦＤＤ動作のためのフレーム構造（例えば、フレーム構造タイプ１）とＴＤＤ動作のためのフレーム構造（例えば、フレーム構造タイプ２）とが定義され得る。
【００５５】
[0082]  ワイヤレス通信システム１００のいくつかの例では、基地局１０５またはＵＥ１１５は、基地局１０５とＵＥ１１５との間の通信品質と信頼性とを改善するために、アンテナダイバーシティ方式を採用するために複数のアンテナを含み得る。追加または代替として、基地局１０５またはＵＥ１１５は、同じまたは異なるコード化データを搬送する複数の空間レイヤを送信するために、マルチパス環境を利用し得る多入力多出力（ＭＩＭＯ）技法を採用し得る。
【００５６】
[0083]  ワイヤレス通信システム１００は、複数のセルまたはキャリア上での動作、すなわち、キャリアアグリゲーション（ＣＡ：carrier aggregation）またはマルチキャリア動作と呼ばれることがある機能をサポートし得る。キャリアは、コンポーネントキャリア（ＣＣ：component carrier）、レイヤ、チャネルなどと呼ばれることもある。「キャリア」、「コンポーネントキャリア」、「セル」、および「チャネル」という用語は、本明細書では互換的に使用されることがある。ＵＥ１１５は、キャリアアグリゲーションのための、複数のダウンリンクＣＣと１つまたは複数のアップリンクＣＣとで構成され得る。キャリアアグリゲーションは、ＦＤＤコンポーネントキャリアとＴＤＤコンポーネントキャリアの両方とともに使用され得る。
【００５７】
[0084]  ワイヤレス通信システム１００は、同じくまたは代替的に、認可無線周波数スペクトル帯域（例えば、ＬＴＥ／ＬＴＥ−Ａ通信のために使用可能な認可無線周波数スペクトル帯域など、無線周波数スペクトル帯域が、いく人かのユーザに認可されているので、送信装置がそれのためにアクセスを求めて競合する必要がないことがある、無線周波数スペクトル帯域）または無認可無線周波数スペクトル帯域（例えば、無線周波数スペクトル帯域が、Ｗｉ−Ｆｉ使用など、無認可使用のために利用可能であるので、送信装置がそれのためにアクセスを求めて競合する必要があり得る、無線周波数スペクトル帯域）上での動作をサポートし得る。無認可無線周波数スペクトル帯域へのアクセスを求める競合に勝つと、送信装置（例えば、基地局１０５またはＵＥ１１５）は、無認可無線周波数スペクトル帯域上で１つまたは複数のＣＵＢＳを送信し得る。ＣＵＢＳは、無認可無線周波数スペクトル帯域上で検出可能なエネルギーを与えることによって、無認可無線周波数スペクトルを確保するように働き得る。ＣＵＢＳはまた、送信装置を識別するように働くか、または送信装置と受信装置とを同期させるように働き得る。
【００５８】
[0085]  図１に示すＵＥ１１５と基地局１０５とは、無認可無線周波数スペクトル帯域を介してサウンディング基準信号（ＳＲＳ：sounding reference signal）またはスケジューリング要求（ＳＲ：scheduling request）を送信するための様々な技法を実施し得る。これらの技法により、ＵＥは、無認可無線周波数スペクトル帯域へのアクセスを管理する規制フレームワークに準拠しながら、ＳＲＳ送信とＰＵＳＣＨ送信との間で無認可無線周波数スペクトル帯域の制御を維持することが可能になり得る。そのような技法の一例では、ＵＥ１１５は、基地局１０５から、ＵＥによってＳＲＳのために割り振られた無認可無線周波数スペクトル帯域の１つまたは複数のアップリンクインターレースのセットの指示を受信し、次いで、１つまたは複数のアップリンクインターレースの指示されたセットを介してＳＲＳを送信し得る。一例では、ＵＥ１１５は、ＰＵＣＣＨ送信のために割り振られた無認可無線周波数スペクトル帯域のインターレースの指示を受信し、指示されたインターレースを介してＳＲＳとバッファステータス報告（ＢＳＲ：buffer status report）とを送信し得る。
【００５９】
[0086]  図２に、本開示の態様による、無認可無線周波数スペクトル帯域を使用する様々なシナリオの下でＬＴＥ／ＬＴＥ−Ａが展開され得るワイヤレス通信システム２００を示す。より具体的には、図２に、無認可無線周波数スペクトル帯域を使用してＬＴＥ／ＬＴＥ−Ａが展開される、補助ダウンリンクモード、キャリアアグリゲーションモード、およびスタンドアロンモードの例を示す。ワイヤレス通信システム２００は、図１を参照しながら説明したワイヤレス通信システム１００の部分の例であり得る。さらに、第１の基地局２０５および第２の基地局２０６は、図１を参照しながら説明した基地局１０５のうちの１つまたは複数の態様の例であり得、第１のＵＥ２１５、第２のＵＥ２１６、第３のＵＥ２１７、および第４のＵＥ２１８は、図１を参照しながら説明したＵＥ１１５のうちの１つまたは複数の態様の例であり得る。
【００６０】
[0087]  ワイヤレス通信システム２００における補助ダウンリンクモードの例では、第１の基地局２０５は、ダウンリンクチャネル２２０を使用して第１のＵＥ２１５に直交周波数分割多元接続（ＯＦＤＭＡ：orthogonal frequency-division multiple access）波形を送信し得る。ダウンリンクチャネル２２０は、無認可無線周波数スペクトル帯域における周波数Ｆ１に関連付けられ得る。第１の基地局２０５は、第１の双方向リンク２２５を使用して第１のＵＥ２１５にＯＦＤＭＡ波形を送信し得、第１の双方向リンク２２５を使用して第１のＵＥ２１５からシングルキャリア周波数分割多元接続（ＳＣ−ＦＤＭＡ：single-carrier frequency-division multiple access）波形を受信し得る。第１の双方向リンク２２５は、認可無線周波数スペクトル帯域における周波数Ｆ４に関連付けられ得る。無認可無線周波数スペクトル帯域におけるダウンリンクチャネル２２０および認可無線周波数スペクトル帯域における第１の双方向リンク２２５は、同時に動作し得る。ダウンリンクチャネル２２０は、第１の基地局２０５のためにダウンリンク容量オフロードを提供し得る。いくつかの例では、ダウンリンクチャネル２２０は、（例えば、１つのＵＥに宛てられる）ユニキャストサービスのために、または（例えば、いくつかのＵＥに宛てられる）マルチキャストサービスのために使用され得る。この状況は、認可無線周波数スペクトルを使用し、トラフィックまたはシグナリングの混雑の一部を緩和する必要がある、任意のサービスプロバイダ（例えば、モバイルネットワーク事業者（ＭＮＯ））に対して生じ得る。
【００６１】
[0088]  ワイヤレス通信システム２００におけるキャリアアグリゲーションモードの一例では、第１の基地局２０５は、第２の双方向リンク２３０を使用して第２のＵＥ２１６にＯＦＤＭＡ波形を送信し得、第２の双方向リンク２３０を使用して第２のＵＥ２１６からＯＦＤＭＡ波形、ＳＣ−ＦＤＭＡ波形、またはリソースブロックがインターリーブされたＦＤＭＡ波形を受信し得る。第２の双方向リンク２３０は、無認可無線周波数スペクトル帯域における周波数Ｆ１に関連付けられ得る。第１の基地局２０５はまた、第３の双方向リンク２３５を使用して第２のＵＥ２１６にＯＦＤＭＡ波形を送信し得、第３の双方向リンク２３５を使用して第２のＵＥ２１６からＳＣ−ＦＤＭＡ波形を受信し得る。第３の双方向リンク２３５は、認可無線周波数スペクトル帯域における周波数Ｆ２に関連付けられ得る。第２の双方向リンク２３０は、第１の基地局２０５のためにダウンリンクおよびアップリンクの容量オフロードを提供し得る。上記で説明した補助ダウンリンクのように、この状況は、認可無線周波数スペクトルを使用し、トラフィックまたはシグナリングの混雑の一部を緩和する必要がある、任意のサービスプロバイダ（例えば、ＭＮＯ）に対して生じ得る。
【００６２】
[0089]  ワイヤレス通信システム２００におけるキャリアアグリゲーションモードの一例では、第１の基地局２０５は、第４の双方向リンク２４０を使用して第３のＵＥ２１７にＯＦＤＭＡ波形を送信し得、第４の双方向リンク２４０を使用して第３のＵＥ２１７からＯＦＤＭＡ波形、ＳＣ−ＦＤＭＡ波形、またはリソースブロックがインターリーブされた波形を受信し得る。第４の双方向リンク２４０は、無認可無線周波数スペクトル帯域における周波数Ｆ３に関連付けられ得る。第１の基地局２０５はまた、第５の双方向リンク２４５を使用して第３のＵＥ２１７にＯＦＤＭＡ波形を送信し得、第５の双方向リンク２４５を使用して第３のＵＥ２１７からＳＣ−ＦＤＭＡ波形を受信し得る。第５の双方向リンク２４５は、認可無線周波数スペクトル帯域における周波数Ｆ２に関連付けられ得る。第４の双方向リンク２４０は、第１の基地局２０５のためにダウンリンクおよびアップリンクの容量オフロードを提供し得る。この例および上記で与えた例は説明の目的で提示され、容量オフロードのために、認可無線周波数スペクトル帯域におけるＬＴＥ／ＬＴＥ−Ａを組み合わせ、無認可無線周波数スペクトル帯域を使用する他の同様の動作モードまたは展開状況があり得る。
【００６３】
[0090]  上記で説明したように、無認可無線周波数スペクトル帯域においてＬＴＥ／ＬＴＥ−Ａを使用することによって提供される容量のオフロードから利益を得ることがある１つのタイプのサービスプロバイダは、ＬＴＥ／ＬＴＥ−Ａ認可無線周波数スペクトル帯域へのアクセス権を有する従来のＭＮＯである。これらのサービスプロバイダについて、動作の例は、認可無線周波数スペクトル帯域上のＬＴＥ／ＬＴＥ−Ａ１次コンポーネントキャリア（ＰＣＣ：primary component carrier）と無認可無線周波数スペクトル帯域上の少なくとも１つの２次コンポーネントキャリア（ＳＣＣ：secondary component carrier）とを使用するブートストラップモード（例えば、補助ダウンリンク、キャリアアグリゲーション）を含み得る。
【００６４】
[0091]  キャリアアグリゲーションモードでは、データおよび制御は、例えば、（例えば、第１の双方向リンク２２５と、第３の双方向リンク２３５と、第５の双方向リンク２４５とを介して）認可無線周波数スペクトル帯域において通信され得、データは、例えば、（例えば、第２の双方向リンク２３０と第４の双方向リンク２４０とを介して）無認可無線周波数スペクトル帯域において通信され得る。無認可無線周波数スペクトル帯域を使用するときにサポートされるキャリアアグリゲーション機構は、ハイブリッド周波数分割複信−時分割複信（ＦＤＤ−ＴＤＤ）キャリアアグリゲーション、またはコンポーネントキャリアにわたって異なる対称性を伴うＴＤＤ−ＴＤＤキャリアアグリゲーションの範疇に入り得る。
【００６５】
[0092]  ワイヤレス通信システム２００におけるスタンドアロンモードの一例では、第２の基地局２０６は、双方向リンク２５０を使用して第４のＵＥ２１８にＯＦＤＭＡ波形を送信し得、双方向リンク２５０を使用して第４のＵＥ２１８からＯＦＤＭＡ波形、ＳＣ−ＦＤＭＡ波形、またはリソースブロックがインターリーブされたＦＤＭＡ波形を受信し得る。双方向リンク２５０は、無認可無線周波数スペクトル帯域における周波数Ｆ３に関連付けられ得る。スタンドアロンモードは、スタジアム内アクセス（例えば、ユニキャスト、マルチキャスト）などの非従来型のワイヤレスアクセスの状況において使用され得る。この動作モードのためのサービスプロバイダのタイプの例は、認可無線周波数スペクトル帯域へのアクセスを有しないスタジアム所有者、ケーブル会社、イベント主催者、ホテル、企業、または大企業であり得る。
【００６６】
[0093]  いくつかの例では、図１または図２を参照しながら説明した基地局１０５、２０５、または２０６のうちの１つ、あるいは図１または図２を参照しながら説明したＵＥ１１５、２１５、２１６、２１７、または２１８のうちの１つなどの送信装置は、無認可無線周波数スペクトル帯域のチャネルに（例えば、無認可無線周波数スペクトル帯域の物理チャネルに）アクセスするためにゲーティング間隔を使用し得る。いくつかの例では、ゲーティング間隔は周期的であり得る。例えば、周期的ゲーティング間隔は、ＬＴＥ／ＬＴＥ−Ａ無線間隔の少なくとも１つの境界と同期され得る。ゲーティング間隔は、欧州電気通信標準化機構（ＥＴＳＩ：European Telecommunications Standards Institute）（ＥＮ３０１  ８９３）において指定されているリッスンビフォアトーク（ＬＢＴ）プロトコルに基づくＬＢＴプロトコルなどのコンテンションベースのプロトコルの適用を定義し得る。ＬＢＴプロトコルの適用を定義するゲーティング間隔を使用するとき、ゲーティング間隔は、送信装置がクリアチャネルアセスメント（ＣＣＡ）手順などの競合手順（例えば、ＬＢＴ手順）をいつ行う必要があるかを示し得る。ＣＣＡ手順の結果は、（ＬＢＴ無線フレームとも呼ばれる）ゲーティング間隔のために無認可無線周波数スペクトル帯域のチャネルが利用可能であるか使用中であるかを送信装置に示し得る。チャネルが、対応するＬＢＴ無線フレームのために利用可能（例えば、使用のために「クリア」）であることをＣＣＡ手順が示すとき、送信装置は、ＬＢＴ無線フレームの一部または全部の間に無認可無線周波数スペクトル帯域のチャネルを予約または使用し得る。チャネルが利用可能ではないこと（例えば、チャネルが別の送信装置によって使用中であるか、または予約されていること）をＣＣＡ手順が示すとき、送信装置は、ＬＢＴ無線フレームの間にチャネルを使用することを妨げられ得る。
【００６７】
[0094]  図３に、本開示の態様による、無認可無線周波数スペクトル帯域を介したワイヤレス通信３１０の例３００を示す。いくつかの例では、ＬＢＴ無線フレーム３１５は、１０ミリ秒の持続時間を有し得、いくつかのダウンリンク（Ｄ）サブフレーム３２０と、いくつかのアップリンク（Ｕ）サブフレーム３２５と、２つのタイプの特殊サブフレーム、Ｓサブフレーム３３０およびＳ’サブフレーム３３５とを含み得る。Ｓサブフレーム３３０は、ダウンリンクサブフレーム３２０とアップリンクサブフレーム３２５との間の遷移を与え得るが、Ｓ’サブフレーム３３５は、アップリンクサブフレーム３２５とダウンリンクサブフレーム３２０との間の遷移を与え得る。
【００６８】
[0095]  Ｓ’サブフレーム３３５の第２の部分３４５の間に、図１または図２を参照しながら説明した基地局１０５、２０５、または２０６のうちの１つまたは複数など、１つまたは複数の基地局によって、ワイヤレス通信３１０が行われる無認可無線周波数スペクトル帯域のチャネルをある時間期間の間予約するために、ダウンリンククリアチャネルアセスメント（ＤＣＣＡ：downlink clear channel assessment）手順が行われ得る。基地局によるＤＣＣＡ手順の成功に続いて、基地局は、基地局がチャネルを予約したという指示を他の基地局または装置（例えば、ＵＥ、Ｗｉ−Ｆｉアクセスポイントなど）に提供するために、Ｓ’サブフレーム３３５の第３の部分３５０中にチャネル使用ビーコン信号（ＣＵＢＳ：channel usage beacon signal）（例えば、ダウンリンクＣＵＢＳ（Ｄ−ＣＵＢＳ））を送信し得る。いくつかの例では、Ｄ−ＣＵＢＳは、複数のインターリーブされたリソースブロックを使用して送信され得る。この方式でＤ−ＣＵＢＳを送信することで、Ｄ−ＣＵＢＳは、無認可無線周波数スペクトル帯域の利用可能な周波数帯域幅の少なくともある割合を占有し、１つまたは複数の規制要件（例えば、無認可無線周波数スペクトル帯域を介した送信が利用可能な周波数帯域幅の少なくとも８０％を占有するという要件）を満たすことが可能になり得る。Ｄ−ＣＵＢＳは、いくつかの例では、ＬＴＥ／ＬＴＥ−Ａ  ＣＲＳまたはチャネル状態情報基準信号（ＣＳＩ−ＲＳ）の形態と同様の形態をとり得る。ＤＣＣＡ手順に失敗すると、Ｄ−ＣＵＢＳは送信されないことがある。
【００６９】
[0096]  Ｓ’サブフレーム３３５は、複数の直交周波数分割多重（ＯＦＤＭ）シンボル期間（例えば、１４個のＯＦＤＭシンボル期間）を含み得る。Ｓ’サブフレーム３３５の第１の部分３４０は、短縮されたアップリンク（Ｕ）期間としていくつかのＵＥによって使用され得る。Ｓ’サブフレーム３３５の第２の部分３４５は、ＤＣＣＡ手順のために使用され得る。Ｓ’サブフレーム３３５の第３の部分３５０は、Ｄ−ＣＵＢＳを送信するために無認可無線周波数スペクトル帯域のチャネルへのアクセスを求めて競合することに成功した１つまたは複数の基地局によって使用され得る。
【００７０】
[0097]  Ｓサブフレーム３３０の第３の部分３６５中に、図１または図２を参照しながら上記で説明したＵＥ１１５、２１５、２１６、２１７、または２１８のうちの１つまたは複数など、１つまたは複数のＵＥによって、ワイヤレス通信３１０が行われるチャネルをある時間期間の間予約するために、アップリンクＣＣＡ（ＵＣＣＡ）手順が行われ得る。ＵＥによるＵＣＣＡ手順の成功に続いて、ＵＥは、ＵＥがチャネルを予約したという指示を他のＵＥまたは装置（例えば、基地局、Ｗｉ−Ｆｉアクセスポイントなど）に提供するために、Ｓサブフレーム３３０の第４の部分３７０中でアップリンクＣＵＢＳ（Ｕ−ＣＵＢＳ）を送信し得る。いくつかの例では、Ｕ−ＣＵＢＳは、複数のインターリーブされたリソースブロックを使用して送信され得る。この方式でＵ−ＣＵＢＳを送信することで、Ｕ−ＣＵＢＳは、無認可無線周波数スペクトル帯域の利用可能な周波数帯域幅の少なくともある割合を占有し、１つまたは複数の規制要件（例えば、無認可無線周波数スペクトル帯域を介した送信が利用可能な周波数帯域幅の少なくとも８０％を占有するという要件）を満たすことが可能になり得る。Ｕ−ＣＵＢＳは、いくつかの例では、ＬＴＥ／ＬＴＥ−Ａ  ＣＲＳまたはＣＳＩ−ＲＳの形態と同様の形態をとり得る。ＵＣＣＡ手順に失敗すると、Ｕ−ＣＵＢＳは送信されないことがある。
【００７１】
[0098]  Ｓサブフレーム３３０は、複数のＯＦＤＭシンボル期間（例えば、１４個のＯＦＤＭシンボル期間）を含み得る。Ｓサブフレーム３３０の第１の部分３５５は、短縮されたダウンリンク（Ｄ）期間としていくつかの基地局によって使用され得る。Ｓサブフレーム３３０の第２の部分３６０は、ガード期間（ＧＰ：guard period）として使用され得る。Ｓサブフレーム３３０の第３の部分３６５は、ＵＣＣＡ手順のために使用され得る。Ｓサブフレーム３３０の第４の部分３７０は、アップリンクパイロットタイムスロット（ＵｐＰＴＳ：uplink pilot time slot）としてまたはＵ−ＣＵＢＳを送信するために無認可無線周波数スペクトル帯域のチャネルへのアクセスを求めて競合することに成功した１つまたは複数のＵＥによって使用され得る。
【００７２】
[0099]  いくつかの例では、ＤＣＣＡ手順またはＵＣＣＡ手順は、単一のＣＣＡ手順の履行を含み得る。他の例では、ＤＣＣＡ手順またはＵＣＣＡ手順は、ｅＣＣＡ手順の履行を含み得る。ｅＣＣＡ手順は、ランダムな数のＣＣＡ手順を含み得、いくつかの例では、複数のＣＣＡ手順を含み得る。
【００７３】
[0100]  図４に、本開示の態様による、無認可無線周波数スペクトル帯域におけるコンポーネントキャリア（ＣＣ）帯域幅（ＢＷ）の図４００を示す。いくつかの例では、ＣＣ  ＢＷは、リソースブロック４２０、４２５、または４３０の複数のインターレース４０５、４１０、または４１５に分割され得る。インターレース４０５、４１０、または４１５の各々は、複数の非連続同時リソースブロックを含むことができ、リソースブロックは、均一拡散パターンまたは不均一拡散パターンに従って周波数で離間され得る。例として、図４に、均一拡散パターンに従って周波数で離間されたリソースブロック（例えば、１０個のリソースブロック）を各インターレースが有する、複数のインターレース（例えば、１０個のインターレース）を示す。いくつかの例では、インターレース４０５、４１０、または４１５の各々は、ＣＣ  ＢＷの大部分に及び得る。いくつかの例では、インターレース４０５、４１０、または４１５の各々は、ＣＣ  ＢＷの少なくとも８０％に及び得る。
【００７４】
[0101]  いくつかの例では、いくつかの送信装置またはワイヤレスデバイス（例えば、１つまたは複数のワイヤレスデバイス）の各々は、無認可無線周波数スペクトル帯域を介してＰＵＣＣＨ、ＳＲＳ、ＳＲ、バッファステータス報告（ＢＳＲ：buffer status report）、論理グループ識別子、または電力ヘッドルーム報告（ＰＨＲ：power headroom report）を送信するために、リソースブロックのインターレース４０５、４１０、または４１５のうちの１つまたは複数を使用し得る。いくつかの例では、ＰＵＣＣＨ、ＳＲＳ、ＳＲ、ＢＳＲ、またはＰＨＲは、ＳＣ−ＦＤＭＡフォーマットでインターレース４０５、４１０、または４１５のうちの１つまたは複数を介して送信され得る。他の例では、ＰＵＣＣＨ、ＳＲＳ、ＳＲ、ＢＳＲ、またはＰＨＲは、ＯＦＤＭＡフォーマットでインターレース４０５、４１０、または４１５のうちの１つまたは複数を介して送信され得る。いくつかの例では、ワイヤレスデバイスは、図１または図２を参照しながら説明したＵＥ１１５、２１５、２１６、２１７、または２１８の例であり得る。
【００７５】
[0102]  図５に、本開示の態様による、リソースブロック５０５の図５００を示す。いくつかの例では、リソースブロック５０５は、図４を参照しながら説明したリソースブロックのうちの１つまたは複数（例えば、リソースブロック４２０、４２５、または４３０のうちの１つまたは複数）の一例であり得る。
【００７６】
[0103]  例として、リソースブロック５０５は、時間または周波数の次元に広がっている（例えば、リソース要素５１０またはリソース要素５１５を含む）複数のリソース要素を含み得る。いくつかの例では、リソースブロック５０５は、（０〜１３の番号を付された）１４個のＯＦＤＭシンボルに及ぶリソース要素と、第１のタイムスロット５２０および第２のタイムスロット５２５などの２つのスロットと、１つのサブフレーム５３０と、１つの帯域幅（ＢＷ）に及ぶ１２個の周波数サブキャリア（サブキャリア）とを含み得る。いくつかの例では、サブフレーム５３０の持続時間は１ミリ秒であり得る。
【００７７】
[0104]  図６に、本開示の態様による、ＵＥ６１５と基地局６０５との間のメッセージフロー６００を示す。いくつかの例では、ＵＥ６１５は、図１または図２を参照しながら説明したＵＥ１１５、２１５、２１６、２１７、または２１８のうちの１つまたは複数の態様の一例であり得る。いくつかの例では、基地局６０５は、図１または図２を参照しながら説明した基地局１０５、２０５、または２０６のうちの１つまたは複数の態様の一例であり得る。基地局６０５は、無認可無線周波数スペクトル帯域で動作するｅＮＢまたはセルの一部であり得、メッセージは、無認可無線周波数スペクトル帯域を介して（および随意に、認可無線周波数スペクトル帯域を介して）ＵＥ６１５と基地局６０５との間で送信され得る。無認可無線周波数スペクトル帯域は、無線周波数スペクトル帯域がＷｉ−Ｆｉ用途などの無認可の用途に利用可能であるので送信装置がアクセスを求めて競合する必要があり得る無線周波数スペクトル帯域を含み得る。
【００７８】
[0105]  図６に示すように、基地局６０５は、ブロック６１０において、無認可無線周波数スペクトル帯域へのアクセスを求めて競合し得る。無認可無線周波数スペクトル帯域へのアクセスを求める競合に勝つと、基地局６０５は、ＬＢＴ無線フレームのために（例えば、図３を参照しながら説明したＬＢＴ無線フレーム３１５などのＬＢＴ無線フレームのために）無認可無線周波数スペクトル帯域を予約し得る。
【００７９】
[0106]  いくつかの例では、基地局６０５は、無認可無線周波数スペクトル帯域の１つまたは複数のアップリンクインターレースのセットのうちの１つまたは複数のアップリンクインターレースのセットの指示６２０をＵＥ６１５に送信し得、アップリンクインターレースは、サウンディング基準信号のために割り振られる。無認可無線周波数スペクトル帯域のインターレースは、いくつかの例では、図４を参照しながら説明したように構成され得る。
【００８０】
[0107]  １つまたは複数のアップリンクインターレースのセットの受信された指示６２０に少なくとも部分的に基づいて、ブロック６２５において、ＵＥ６１５は、無認可無線周波数スペクトル帯域の１つまたは複数のアップリンクインターレースの指示されたセットを介した送信のためにサウンディング基準信号を構成し得る。
【００８１】
[0108]  ブロック６３０において、ＵＥ６１５は、無認可無線周波数スペクトル帯域へのアクセスを求めて競合し得る。無認可無線周波数スペクトル帯域へのアクセスを求める競合に勝つと、ＵＥ６１５は、無認可無線周波数スペクトル帯域の１つまたは複数のアップリンクインターレースの指示されたセットを介して基地局６０５にサウンディング基準信号６３５を送信し得る。
【００８２】
[0109]  図７に、本開示の態様による、ＵＥ７１５と基地局７０５との間のメッセージフロー７００を示す。いくつかの例では、ＵＥ７１５は、図１、図２、または図６を参照しながら説明したＵＥ１１５、２１５、２１６、２１７、２１８、または６１５のうちの１つまたは複数の態様の一例であり得る。いくつかの例では、基地局７０５は、図１、図２、または図６を参照しながら説明した基地局１０５、２０５、２０６、または６０５のうちの１つまたは複数の態様の一例であり得る。基地局７０５は、無認可無線周波数スペクトル帯域で動作するｅＮＢまたは他のセルの一部であり得、メッセージは、無認可無線周波数スペクトル帯域を介して（および随意に、認可無線周波数スペクトル帯域を介して）ＵＥ７１５と基地局７０５との間で送信され得る。無認可無線周波数スペクトル帯域は、無線周波数スペクトル帯域がＷｉ−Ｆｉ用途などの無認可の用途に利用可能であるので送信装置がアクセスを求めて競合する必要があり得る無線周波数スペクトル帯域を含み得る。
【００８３】
[0110]  図７に示すように、基地局７０５は、ブロック７１０において、無認可無線周波数スペクトル帯域へのアクセスを求めて競合し得る。無認可無線周波数スペクトル帯域へのアクセスを求める競合に勝つと、基地局７０５は、ＬＢＴ無線フレームのために（例えば、図３を参照しながら説明したＬＢＴ無線フレーム３１５などのＬＢＴ無線フレームのために）無認可無線周波数スペクトル帯域を予約し得る。
【００８４】
[0111]  いくつかの例では、基地局７０５は、ＵＥ７１５に、１つまたは複数の指示７２０を送信し得る。１つまたは複数の指示７２０は、例えば、無認可無線周波数スペクトル帯域の１つまたは複数のアップリンクインターレースのセットの指示を含み得、アップリンクインターレースは、サウンディング基準信号のために割り振られる。追加または代替として、１つまたは複数の指示７２０は、サウンディング基準信号が送信／受信されるべきアップリンクサブフレームの指示を含み得る。追加または代替として、１つまたは複数の指示７２０は、サウンディング基準信号が送信／受信されるべきアップリンクサブフレームのシンボルの指示を含み得る。無認可無線周波数スペクトル帯域のインターレースは、いくつかの例では、図４を参照しながら説明したように構成され得る。図５を参照しながら説明したように、各インターレースは、複数のリソースブロックを含み得、各リソースブロックは、複数のサブキャリア（またはトーン）を含み得る。
【００８５】
[0112]  第１の例では、サウンディング基準信号のために割り振られた１つまたは複数のアップリンクインターレースのセットは、コンポーネントキャリア帯域幅中にアップリンクインターレースの全てを含み得る。第２の例では、サウンディング基準信号のために割り振られた１つまたは複数のアップリンクインターレースのセットは、コンポーネントキャリア帯域幅中に単一のアップリンクインターレース（例えば、単一のＰＵＳＣＨインターレース）を含み得る。第３の例では、サウンディング基準信号のために割り振られた１つまたは複数のアップリンクインターレースのセットは、コンポーネントキャリア帯域幅中に２つ以上のアップリンクインターレースのグループを含み得る。第１の例は、シンボルごとの周波数領域多重化オプションを減少させ、従って、時間領域多重化オプションに対する信頼性を増加させ得る。これは、ＵＥの電力消費量を改善し得るが、時間内の送信機会がより少なくなるという犠牲がある。第２の例は、シンボルごとの周波数領域多重化オプションを増加させ得るが、特定のアップリンクインターレース上でのサウンディング基準信号の送信間のＵＥの時間間隔を増加させ得る。第３の例は、シンボルごとの周波数領域多重化オプションと特定のアップリンクインターレース上でのサウンディング基準信号の送信間のＵＥの時間間隔との間に構成可能な平衡をもたらす。いくつかの例では、基地局７０５は、サウンディング基準信号のために割り振られた１つまたは複数のアップリンクインターレースのセットを動的にまたは半静的に選択または変更し得る。
【００８６】
[0113]  いくつかの例では、サウンディング基準信号のために割り振られた１つまたは複数のアップリンクインターレースのセット中に含まれるアップリンクインターレースの数は、基地局７０５とＵＥ７１５との間の距離に少なくとも部分的に基づくか、またはＵＥ７１５の送信電力に少なくとも部分的に基づき得る。
【００８７】
[0114]  いくつかの例では、指示７２０中で指示されるアップリンクサブフレームは、アップリンク送信期間の第１のアップリンクサブフレームまたは最後のアップリンクサブフレーム（例えば、図３中のサブフレームＳＦ７またはＳＦ９）であり得る。いくつかの例では、基地局７０５は、サウンディング基準信号が送信／受信されるべきアップリンクサブフレームを動的にまたは半静的に選択または変更し得る。
【００８８】
[0115]  第１の例では、指示７２０中で示されるシンボルは、アップリンク送信期間の第１のアップリンクサブフレームの第１のシンボルを含み得る。第２の例では、シンボルは、アップリンク送信期間の最後のアップリンクサブフレームの第１のシンボルを含み得る。第３の例では、シンボルは、アップリンク送信期間の最後のアップリンクサブフレームの最後のシンボルを含み得る。第１の例は、より早い時間に基地局７０５にサウンディング基準信号を与え得るが、ＵＥ７１５が、無認可無線周波数スペクトル帯域へのアクセスを求める競合にまだ勝っていないので、サウンディング基準信号が送信されないことがあるというリスクと、無認可無線周波数スペクトル帯域へのアクセスを求めて競合する他のノード（例えば、基地局に近接するノード）によるアクティビティが、サウンディング基準信号の基地局の受信に干渉し得るというリスクとがある。第２の例と第３の例とは、第１の例のリスクを低減するが、サウンディング基準信号が同じ事業者展開の他のＵＥの送信によって干渉される可能性を増加させ得る。いくつかの例では、シンボルの指示は、アップリンクサブフレームの第１のシンボルまたはアップリンクサブフレームの最後のシンボルのうちの１つまたは複数の指示を含み得る。いくつかの例では、基地局７０５は、サウンディング基準信号が送信／受信されるべきシンボルを動的にまたは半静的に選択または変更し得る。
【００８９】
[0116]  ブロック７２５において、ＵＥ７１５は、１つまたは複数のアップリンクインターレースのセットの中から、サウンディング基準信号を送信するためのサブキャリアのセットを識別し得る。第１の例では、サブキャリアのセットは、１つまたは複数のアップリンクインターレースのセットに関連するサブキャリアの各々を含み得る。第２の例では、サブキャリアのセットは、サブキャリアのサブセット（例えば、周波数トーンインターレースまたは周波数コム）を含み得、サブキャリアのサブセットは、ＵＥ７１５に関連付けられる。シンボルの半分の出力を測定すれば十分であり得るので、第１の例は電力ランプにより耐性があり得る。ただし、サウンディング基準信号シーケンスのための離散フーリエ変換（ＤＦＴ：discrete Fourier transform）長さの選定によっては、新しい長さのサウンディング基準信号シーケンスが必要とされ得る（例えば、長さが６のコンピュータ生成シーケンス（ＣＧＳ：computer-generated sequence））。いくつかの例では、サブキャリアのセットの指示は、（例えば、指示７２０とともに）基地局７０５から受信され得る。いくつかの例では、基地局７０５は、サウンディング基準信号を送信するためのサブキャリアを動的にまたは半静的に選択または変更し得る。
【００９０】
[0117]  ブロック７３０において、ＵＥ７１５は、サウンディング基準信号のためのサウンディング基準信号シーケンスを決定し得る。いくつかの例では、サウンディング基準信号シーケンスを決定することは、１つまたは複数のアップリンクインターレースのセット内のリソースブロックのロケーションに少なくとも部分的に基づいて１つまたは複数のアップリンクインターレースのセットのリソースブロックのためのサウンディング基準信号シーケンスを決定することを含み得る。いくつかの例では、リソースブロックのためのサウンディング基準信号シーケンスは、リソースブロックに関連するアップリンクインターレースに少なくとも部分的に基づき得る。いくつかの例では、ＵＥ７１５は、ＵＥ識別子またはセル識別子のうちの少なくとも１つを決定し得、リソースブロックのためのサウンディング基準信号シーケンスは、ＵＥ識別子またはセル識別子に少なくとも部分的に基づき得る。いくつかの例では、サウンディング基準信号のためのサウンディング基準信号シーケンスは、単一のＰＵＳＣＨインターレースのために使用される同じシーケンス（例えば、リソースブロックごとに長さが１２のＣＧＳ、およびインターレース中に含まれる複数のＲＢにわたる所定のセットのＣＧＳ）を含み得る。
【００９１】
[0118]  ブロック７３５において、ＵＥ７１５は、無認可無線周波数スペクトル帯域へのアクセスを求めて競合し得る。無認可無線周波数スペクトル帯域へのアクセスを求める競合に勝つと、ＵＥ７１５は、１つまたは複数のアップリンクインターレースの指示されたセットを介して、無認可無線周波数スペクトル帯域の他の構成／選択されたリソース（例えば、指示されたアップリンクサブフレームおよびシンボル、または識別されたサブキャリア）を使用して基地局７０５にサウンディング基準信号７４０を送信し得る。サウンディング基準信号は、決定されたサウンディング基準信号シーケンスに少なくとも部分的に基づき得る。
【００９２】
[0119]  メッセージフロー７００のいくつかの例では、基地局７０５から受信される指示７２０の各々は、同じ送信の一部としてまたは同じチャネル上で受信され得る。他の例では、指示７２０は、異なる送信の一部としてまたは異なるチャネル上で受信され得る。
【００９３】
[0120]  図８に、本開示の態様による、ＵＥ８１５と基地局８０５との間のメッセージフロー８００を示す。いくつかの例では、ＵＥ８１５は、図１、図２、図６、または図７を参照しながら説明したＵＥ１１５、２１５、２１６、２１７、２１８、６１５、または７１５のうちの１つまたは複数の態様の一例であり得る。いくつかの例では、基地局８０５は、図１、図２、図６、または図７を参照しながら説明した基地局１０５、２０５、２０６、６０５、または７０５のうちの１つまたは複数の態様の一例であり得る。基地局８０５は、無認可無線周波数スペクトル帯域で動作するｅＮＢまたは他のセルの一部であり得、メッセージは、無認可無線周波数スペクトル帯域を介して（および随意に、認可無線周波数スペクトル帯域を介して）ＵＥ８１５と基地局８０５との間で送信され得る。無認可無線周波数スペクトル帯域は、無線周波数スペクトル帯域がＷｉ−Ｆｉ用途などの無認可の用途に利用可能であるので送信装置がアクセスを求めて競合する必要があり得る無線周波数スペクトル帯域を含み得る。
【００９４】
[0121]  図８に示すように、基地局８０５は、ブロック８１０において、無認可無線周波数スペクトル帯域へのアクセスを求めて競合し得る。無認可無線周波数スペクトル帯域へのアクセスを求める競合に勝つと、基地局８０５は、ＬＢＴ無線フレームのために（例えば、図３を参照しながら説明したＬＢＴ無線フレーム３１５などのＬＢＴ無線フレームのために）無認可無線周波数スペクトル帯域を予約し得る。
【００９５】
[0122]  いくつかの例では、基地局８０５は、ＰＵＣＣＨ送信のためにＵＥ８１５に無認可無線周波数スペクトル帯域のインターレースの指示８２０を送信し得る。無認可無線周波数スペクトル帯域のインターレースは、いくつかの例では、図４を参照しながら説明したように構成され得る。
【００９６】
[0123]  受信された指示８２０に少なくとも部分的に基づいて、ブロック８２５において、ＵＥ８１５は、指示されたインターレースを介した送信のためにスケジューリング要求とバッファステータス報告とを準備し得る。
【００９７】
[0124]  ブロック８３０において、ＵＥ８１５は、無認可無線周波数スペクトル帯域へのアクセスを求めて競合し得る。無認可無線周波数スペクトル帯域へのアクセスを求める競合に勝つと、ＵＥ８１５は、無認可無線周波数スペクトル帯域の指示されたインターレースを介して基地局８０５にスケジューリング要求およびバッファステータス報告８３５を送信し得る。
【００９８】
[0125]  図９に、本開示の態様による、ＵＥ９１５と基地局９０５との間のメッセージフロー９００を示す。いくつかの例では、ＵＥ９１５は、図１、図２、図６、図７、または図８を参照しながら説明したＵＥ１１５、２１５、２１６、２１７、２１８、６１５、７１５、または８１５のうちの１つまたは複数の態様の一例であり得る。いくつかの例では、基地局９０５は、図１、図２、図６、図７、または図８を参照しながら説明した基地局１０５、２０５、２０６、６０５、７０５、または８０５のうちの１つまたは複数の態様の一例であり得る。基地局９０５は、無認可無線周波数スペクトル帯域で動作するｅＮＢまたは他のセルの一部であり得、メッセージは、無認可無線周波数スペクトル帯域を介して（および随意に、認可無線周波数スペクトル帯域を介して）ＵＥ９１５と基地局９０５との間で送信され得る。無認可無線周波数スペクトル帯域は、無線周波数スペクトル帯域がＷｉ−Ｆｉ用途などの無認可の用途に利用可能であるので送信装置がアクセスを求めて競合する必要があり得る無線周波数スペクトル帯域を含み得る。
【００９９】
[0126]  図９に示すように、基地局９０５は、ブロック９１０において、無認可無線周波数スペクトル帯域へのアクセスを求めて競合し得る。無認可無線周波数スペクトル帯域へのアクセスを求める競合に勝つと、基地局９０５は、ＬＢＴ無線フレームのために（例えば、図３を参照しながら説明したＬＢＴ無線フレーム３１５などのＬＢＴ無線フレームのために）無認可無線周波数スペクトル帯域を予約し得る。
【０１００】
[0127]  いくつかの例では、基地局９０５は、ＰＵＣＣＨ送信のためにＵＥ９１５に無認可無線周波数スペクトル帯域のインターレースの指示９２０を送信し得る。無認可無線周波数スペクトル帯域のインターレースは、いくつかの例では、図４を参照しながら説明したように構成され得る。
【０１０１】
[0128]  受信された指示９２０に少なくとも部分的に基づいて、ブロック９２５において、ＵＥ９１５は、指示されたインターレースを介した送信のためにスケジューリング要求とバッファステータス報告とを準備し、随意に、電力ヘッドルーム報告を準備し得る。スケジューリング要求は、いくつかの例では、スケジューリング要求が行われているかどうかを示す単一ビットであり得る。バッファステータス報告は、いくつかの例では、短いバッファステータス報告（例えば、６ビットの報告）または長いバッファステータス報告（例えば、２４ビットの報告）の形態をとり得る。電力ヘッドルーム報告は、いくつかの例では、６ビット報告であり得る。
【０１０２】
[0129]  ブロック９３０において、ＵＥ９１５は、スケジューリング要求とバッファステータス報告と、随意に、電力ヘッドルーム報告または論理グループ識別子のうちの少なくとも１つとを送信するために複数のあらかじめ定義されたＰＵＣＣＨフォーマットのうちの１つを選択し得る。短いバッファステータス報告の場合、選択されるＰＵＣＣＨフォーマットは、いくつかの例では、フォーマット１ｂであり得る。いくつかの例では、ＰＵＣＣＨフォーマットは、指示されたインターレースを介して送信されるべきペイロードのサイズに、またはバッファステータス報告のサイズに少なくとも部分的に基づいて選択され得る。
【０１０３】
[0130]  ブロック９３５において、ＵＥ９１５は、少なくともスケジューリング要求とバッファステータス報告とについて、および随意に、電力ヘッドルーム報告についての巡回冗長検査を生成し得る。いくつかの例では、ＵＥ９１５は、（例えば、スケジューリング要求と、バッファステータス報告と、随意に、電力ヘッドルーム報告とを考慮した後に）指示されたインターレース中のビットの残りの数に少なくとも部分的に基づいて巡回冗長検査のサイズを調整し得る。
【０１０４】
[0131]  ブロック９４０において、ＵＥ９１５は、無認可無線周波数スペクトル帯域へのアクセスを求めて競合し得る。無認可無線周波数スペクトル帯域へのアクセスを求める競合に勝つと、ＵＥ９１５は、無認可無線周波数スペクトル帯域の指示されたインターレースを介して基地局９０５に、スケジューリング要求およびバッファステータス報告９４５を送信し、随意に、スケジューリング要求およびバッファステータス報告９４５とともに電力ヘッドルーム報告、論理グループ識別子、または巡回冗長検査を送信し得る。スケジューリング報告、バッファステータス報告、または電力ヘッドルーム報告は、複数のあらかじめ定義されたＰＵＣＣＨフォーマットのうちの選択された１つを使用して送信され得る。
【０１０５】
[0132]  図１０に、本開示の態様による、ワイヤレス通信において使用するための装置１０１５のブロック図１０００を示す。装置１０１５は、図１、図２、図６、図７、図８、または図９を参照しながら説明したＵＥ１１５、２１５、２１６、２１７、２１８、６１５、７１５、８１５、または９１５のうちの１つまたは複数の態様の一例であり得る。追加または代替として、装置１０１５は、プロセッサであるか、またはそれを含み得る。装置１０１５は、受信機モジュール１０１０、ワイヤレス通信管理モジュール１０２０、または送信機モジュール１０３０を含み得る。これらのモジュールの各々は、互いに通信していることがある。
【０１０６】
[0133]  装置１０１５のモジュールは、適用可能な機能の一部または全部をハードウェアで行うように適応された１つまたは複数の特定用途向け集積回路（ＡＳＩＣ）を使用して、個々にまたはまとめて実施され得る。代替的に、機能は、１つまたは複数の集積回路上で、１つまたは複数の他の処理ユニット（またはコア）によって行われ得る。他の例では、当技術分野で知られている任意の方法でプログラムされ得る、他のタイプの集積回路（例えば、ストラクチャード／プラットフォームＡＳＩＣ、フィールドプログラマブルゲートアレイ（ＦＰＧＡ）、および他のセミカスタムＩＣ）が使用され得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【０１０７】
[0134]  いくつかの例では、受信機モジュール１０１０は、認可無線周波数スペクトル帯域（例えば、ＬＴＥ／ＬＴＥ−Ａ通信のために使用可能な認可無線周波数スペクトル帯域など、無線周波数スペクトル帯域がいく人かのユーザに認可されているので、送信装置がアクセスを求めて競合する必要がないことがある無線周波数スペクトル帯域）または無認可無線周波数スペクトル帯域（例えば、無線周波数スペクトル帯域がＷｉ−Ｆｉ用途などの無認可用途のために利用可能であるので、送信装置がアクセスを求めて競合する必要があり得る無線周波数スペクトル帯域）を介して送信を受信するように動作可能な少なくとも１つの無線周波数（ＲＦ）受信機などの、少なくとも１つのＲＦ受信機を含み得る。いくつかの例では、認可無線周波数スペクトル帯域または無認可無線周波数スペクトル帯域は、例えば、図１、図２、図３、図４、または図５を参照しながら説明したように、ＬＴＥ／ＬＴＥ−Ａ通信に使用され得る。受信機モジュール１０１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０１０８】
[0135]  いくつかの例では、送信機モジュール１０３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機モジュール１０３０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０１０９】
[0136]  いくつかの例では、ワイヤレス通信管理モジュール１０２０は、装置１０１５のためのワイヤレス通信の１つまたは複数の態様を管理するために使用され得る。いくつかの例では、ワイヤレス通信管理モジュール１０２０は、ＳＲＳ構成モジュール１０３５またはＳＲＳ送信管理モジュール１０４０を含み得る。
【０１１０】
[0137]  いくつかの例では、ＳＲＳ構成モジュール１０３５は、サウンディング基準信号送信を構成するために使用され得る。いくつかの例では、ＳＲＳ構成モジュール１０３５は、基地局から、サウンディング基準信号のために割り振られた無認可無線周波数スペクトル帯域の１つまたは複数のアップリンクインターレースのセットの指示を受信するために使用され得る。無認可無線周波数スペクトル帯域のインターレースは、いくつかの例では、図４を参照しながら説明したように構成され得る。
【０１１１】
[0138]  いくつかの例では、ＳＲＳ送信管理モジュール１０４０は、無認可無線周波数スペクトル帯域の１つまたは複数のアップリンクインターレースの指示されたセットを介してＵＥのためのサウンディング基準信号を送信するために使用され得る。
【０１１２】
[0139]  いくつかの例では、装置１０１５、図６または図７を参照しながら説明したＵＥ６１５または７１５と同様に構成または使用され得る。
【０１１３】
[0140]  図１１に、本開示の態様による、ワイヤレス通信において使用するための装置１１１５のブロック図１１００を示す。装置１１１５は、図１、図２、図６、図７、図８、または図９を参照しながら説明したＵＥ１１５、２１５、２１６、２１７、２１８、６１５、７１５、８１５、または９１５あるいは図１０を参照しながら説明した装置１０１５のうちの１つまたは複数の態様の一例であり得る。追加または代替として、装置１１１５は、プロセッサであるか、またはそれを含み得る。装置１１１５は、受信機モジュール１１１０、ワイヤレス通信管理モジュール１１２０、または送信機モジュール１１３０を含み得る。これらのモジュールの各々は、互いに通信していることがある。
【０１１４】
[0141]  装置１１１５のモジュールは、適用可能な機能の一部または全部をハードウェアで行うように適応された１つまたは複数のＡＳＩＣを使用して、個々にまたはまとめて実施され得る。代替的に、機能は、１つまたは複数の集積回路上で、１つまたは複数の他の処理ユニット（またはコア）によって行われ得る。他の例では、他のタイプの集積回路が使用され得（例えば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【０１１５】
[0142]  いくつかの例では、受信機モジュール１１１０は、認可無線周波数スペクトル帯域（例えば、ＬＴＥ／ＬＴＥ−Ａ通信のために使用可能な認可無線周波数スペクトル帯域など、無線周波数スペクトル帯域がいく人かのユーザに認可されているので、送信装置がアクセスを求めて競合する必要がないことがある無線周波数スペクトル帯域）または無認可無線周波数スペクトル帯域（例えば、無線周波数スペクトル帯域がＷｉ−Ｆｉ用途などの無認可用途のために利用可能であるので、送信装置がアクセスを求めて競合する必要があり得る無線周波数スペクトル帯域）を介して送信を受信するように動作可能な少なくとも１つのＲＦ受信機などの、少なくとも１つのＲＦ受信機を含み得る。いくつかの例では、認可無線周波数スペクトル帯域または無認可無線周波数スペクトル帯域は、例えば、図１、図２、図３、図４、または図５を参照しながら説明したように、ＬＴＥ／ＬＴＥ−Ａ通信に使用され得る。受信機モジュール１１１０は、場合によっては、認可無線周波数スペクトル帯域および無認可無線周波数スペクトル帯域のための別個の受信機を含み得る。別個の受信機は、いくつかの例では、認可周波数スペクトル帯域を介して通信するためのＬＴＥ／ＬＴＥ−Ａ受信機モジュール（例えば、認可ＲＦスペクトル帯域のためのＬＴＥ／ＬＴＥ−Ａ受信機モジュール１１１２）、および無認可無線周波数スペクトル帯域を介して通信するためのＬＴＥ／ＬＴＥ−Ａ受信機モジュール（例えば、無認可ＲＦスペクトル帯域のためのＬＴＥ／ＬＴＥ−Ａ受信機モジュール１１１４）の形態をとり得る。認可ＲＦスペクトル帯域のためのＬＴＥ／ＬＴＥ−Ａ受信機モジュール１１１２または無認可ＲＦスペクトル帯域のためのＬＴＥ／ＬＴＥ−Ａ受信機モジュール１１１４を含む受信機モジュール１１１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０１１６】
[0143]  いくつかの例では、送信機モジュール１１３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機モジュール１１３０は、場合によっては、認可無線周波数スペクトル帯域および無認可無線周波数スペクトル帯域のための別個の送信機を含み得る。別個の送信機は、いくつかの例では、認可無線周波数スペクトル帯域を介して通信するためのＬＴＥ／ＬＴＥ−Ａ送信機モジュール（例えば、認可ＲＦスペクトル帯域のためのＬＴＥ／ＬＴＥ−Ａ送信機モジュール１１３２）、および無認可無線周波数スペクトル帯域を介して通信するためのＬＴＥ／ＬＴＥ−Ａ送信機モジュール（例えば、無認可ＲＦスペクトル帯域のためのＬＴＥ／ＬＴＥ−Ａ送信機モジュール１１３４）の形態をとり得る。認可のＲＦスペクトル帯域のためのＬＴＥ／ＬＴＥ−Ａ送信機モジュール１１３２または無認可ＲＦスペクトル帯域のためのＬＴＥ／ＬＴＥ−Ａ送信機モジュール１１３４を含む送信機モジュール１１３０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０１１７】
[0144]  いくつかの例では、ワイヤレス通信管理モジュール１１２０は、装置１１１５のためのワイヤレス通信の１つまたは複数の態様を管理するために使用され得る。いくつかの例では、ワイヤレス通信管理モジュール１１２０は、ＳＲＳ構成モジュール１１３５、ＳＲＳ送信管理モジュール１１４０、またはＣＣＡモジュール１１７０を含み得る。
【０１１８】
[0145]  いくつかの例では、ＳＲＳ構成モジュール１１３５は、サウンディング基準信号送信を構成するために使用され得る。いくつかの例では、ＳＲＳ構成モジュール１１３５は、ロケーション構成モジュール１１４５、シーケンス構成モジュール１１６０、または非周期的ＳＲＳ構成モジュール１１６５を含み得る。ロケーション構成モジュール１１４５は、周波数ロケーション構成モジュール１１５０または時間ロケーション構成モジュール１１５５を含み得る。
【０１１９】
[0146]  いくつかの例では、周波数ロケーション構成モジュール１１５０は、基地局から、サウンディング基準信号のために割り振られた無認可無線周波数スペクトル帯域の１つまたは複数のアップリンクインターレースのセットの指示を受信するために使用され得る。無認可無線周波数スペクトル帯域のインターレースは、いくつかの例では、図４を参照しながら説明したように構成され得る。図５を参照しながら説明したように、各インターレースは、複数のリソースブロックを含み得、各リソースブロックは、複数のサブキャリア（またはトーン）を含み得る。
【０１２０】
[0147]  第１の例では、サウンディング基準信号のために割り振られた１つまたは複数のアップリンクインターレースのセットは、コンポーネントキャリア帯域幅中にアップリンクインターレースの全てを含み得る。第２の例では、サウンディング基準信号のために割り振られた１つまたは複数のアップリンクインターレースのセットは、コンポーネントキャリア帯域幅中に単一のアップリンクインターレース（例えば、単一のＰＵＳＣＨインターレース）を含み得る。第３の例では、サウンディング基準信号のために割り振られた１つまたは複数のアップリンクインターレースのセットは、コンポーネントキャリア帯域幅中に２つ以上のアップリンクインターレースのグループを含み得る。第１の例は、シンボルごとの周波数領域多重化オプションを減少させ、従って、時間領域多重化オプションに対する信頼性を増加させ得る。これは、ＵＥの電力消費量を改善し得るが、時間内の送信機会がより少なくなるという犠牲がある。第２の例は、シンボルごとの周波数領域多重化オプションを増加させ得るが、特定のアップリンクインターレース上でのサウンディング基準信号の送信間のＵＥの時間間隔を増加させ得る。第３の例は、シンボルごとの周波数領域多重化オプションと特定のアップリンクインターレース上でのサウンディング基準信号の送信間のＵＥの時間間隔との間に構成可能な平衡をもたらす。いくつかの例では、基地局は、サウンディング基準信号のために割り振られた１つまたは複数のアップリンクインターレースのセットを動的にまたは半静的に選択または変更し得る。
【０１２１】
[0148]  いくつかの例では、サウンディング基準信号のために割り振られた１つまたは複数のアップリンクインターレースのセット中に含まれるアップリンクインターレースの数は、基地局と装置１１１５との間の距離に少なくとも部分的に基づくか、または装置１１１５の送信電力に少なくとも部分的に基づき得る。
【０１２２】
[0149]  いくつかの例では、周波数ロケーション構成モジュール１１５０は、１つまたは複数のアップリンクインターレースのセットの中から、サウンディング基準信号を送信するためのサブキャリアのセットを識別するために使用され得る。第１の例では、サブキャリアのセットは、１つまたは複数のアップリンクインターレースのセットに関連するサブキャリアの各々を含み得る。第２の例では、サブキャリアのセットは、サブキャリアのサブセット（例えば、周波数トーンインターレースまたは周波数コム）を含み得、サブキャリアのサブセットは、装置１１１５に関連付けられる。シンボルの半分の出力を測定すれば十分であり得るので、第１の例は電力ランプにより耐性があり得る。ただし、サウンディング基準信号シーケンスのためのＤＦＴ長さの選定によっては、新しい長さのサウンディング基準信号シーケンスが必要とされ得る（例えば、長さが６のＣＧＳ）。いくつかの例では、サブキャリアのセットの指示は、基地局から受信され得る。いくつかの例では、基地局は、サウンディング基準信号を送信するためのサブキャリアを動的にまたは半静的に選択または変更し得る。
【０１２３】
[0150]  いくつかの例では、時間ロケーション構成モジュール１１５５は、基地局から、サウンディング基準信号が送信されるべきアップリンクサブフレームの指示を受信するために使用され得る。いくつかの例では、アップリンクサブフレームは、アップリンク送信期間の第１のアップリンクサブフレームまたは最後のアップリンクサブフレーム（例えば、図３中のサブフレームＳＦ７またはＳＦ９）であり得る。いくつかの例では、基地局は、サウンディング基準信号が送信されるべきアップリンクサブフレームを動的にまたは半静的に選択または変更し得る。
【０１２４】
[0151]  いくつかの例では、時間ロケーション構成モジュール１１５５は、基地局から、サウンディング基準信号が送信されるべきアップリンクサブフレームのシンボルの指示を受信するために使用され得る。第１の例では、シンボルは、アップリンク送信期間の第１のアップリンクサブフレームの第１のシンボルを含み得る。第２の例では、シンボルは、アップリンク送信期間の最後のアップリンクサブフレームの第１のシンボルを含み得る。第３の例では、シンボルは、アップリンク送信期間の最後のアップリンクサブフレームの最後のシンボルを含み得る。第１の例は、より早い時間に基地局にサウンディング基準信号を与え得るが、装置１１１５が、無認可無線周波数スペクトル帯域へのアクセスを求める競合にまだ勝っていないので、サウンディング基準信号が送信されないことがあるというリスクと、無認可無線周波数スペクトル帯域へのアクセスを求めて競合する他のノード（例えば、基地局に近接するノード）によるアクティビティが、サウンディング基準信号の基地局の受信に干渉し得るというリスクとがある。第２の例と第３の例とは、第１の例のリスクを低減するが、サウンディング基準信号が同じ事業者展開の他の装置の送信によって干渉される可能性を増加させ得る。いくつかの例では、シンボルの指示は、アップリンクサブフレームの第１のシンボルまたはアップリンクサブフレームの最後のシンボルのうちの１つまたは複数の指示を含み得る。いくつかの例では、基地局は、サウンディング基準信号が送信されるべきシンボルを動的にまたは半静的に選択または変更し得る。
【０１２５】
[0152]  いくつかの例では、シーケンス構成モジュール１１６０は、サウンディング基準信号のためのサウンディング基準シーケンスを決定するために使用され得る。いくつかの例では、サウンディング基準信号シーケンスを決定することは、１つまたは複数のアップリンクインターレースのセット内のリソースブロックのロケーションに少なくとも部分的に基づいて１つまたは複数のアップリンクインターレースのセットのリソースブロックのためのサウンディング基準信号シーケンスを決定することを含み得る。いくつかの例では、リソースブロックのためのサウンディング基準信号シーケンスは、リソースブロックに関連するアップリンクインターレースに少なくとも部分的に基づき得る。いくつかの例では、シーケンス構成モジュール１１６０は、ＵＥ識別子またはセル識別子のうちの少なくとも１つを決定するために使用され得、リソースブロックのためのサウンディング基準信号シーケンスは、ＵＥ識別子またはセル識別子に少なくとも部分的に基づき得る。いくつかの例では、サウンディング基準信号のためのサウンディング基準信号シーケンスは、単一のＰＵＳＣＨインターレースのために使用される同じシーケンス（例えば、リソースブロックごとに長さが１２のＣＧＳ、およびインターレース中に含まれる複数のＲＢにわたる所定のセットのＣＧＳ）を含み得る。
【０１２６】
[0153]  装置１１１５のいくつかの例では、基地局から受信される指示の各々は、同じ送信の一部としてまたは同じチャネル上でＳＲＳ構成モジュール１１３５によって受信され得る。他の例では、指示は、異なる送信の一部としてまたは異なるチャネル上で受信され得る。
【０１２７】
[0154]  いくつかの例では、ＳＲＳ送信管理モジュール１１４０は、１つまたは複数のアップリンクインターレースの指示されたセットを介して、無認可無線周波数スペクトル帯域の他の構成／選択されたリソース（例えば、指示されたアップリンクサブフレームおよびシンボル、または識別されたサブキャリア）を使用してサウンディング基準信号を送信するために使用され得る。サウンディング基準信号は、決定されたサウンディング基準信号シーケンスに少なくとも部分的に基づき得る。
【０１２８】
[0155]  無認可無線周波数スペクトル帯域を介して送信される異なるＬＢＴ無線フレームは、異なるＴＤＤ構成を有することができるので、ＳＲＳ送信管理モジュール１１４０によって送信されるサウンディング基準信号は、複数の循環および周期的サウンディング基準信号送信のうちの１つ、または複数の循環および非周期的サウンディング基準信号送信のうちの１つであり得る。本開示のために、これらの循環サウンディング基準信号送信のいずれかの一部として送信されるサウンディング基準信号は、周期的サウンディング基準信号と呼ばれることがある。ＳＲＳ送信管理モジュール１１４０によって送信されるサウンディング基準信号はまた、非周期的サウンディング基準信号送信であり得る。
【０１２９】
[0156]  いくつかの例では、装置１１１５は、フレーム中にＰＵＳＣＨを割り振られ得るが、ＰＵＳＣＨ上でサウンディング基準信号を送信する必要がないことがある。これらの例を考慮するために、および無認可無線周波数スペクトル帯域を介した送信における不連続性を回避するために、ＳＲＳ構成モジュール１１３５は、いくつかの例では、フレーム中にサウンディング基準信号を送信するようにスケジュールされていない装置（例えば、ＵＥ）によるサウンディング基準信号送信のために１つまたは複数のアップリンクインターレースのセットが指定されているという指示を基地局から受信し得る。この例では、ＳＲＳ構成モジュール１１３５は、装置１１１５がフレーム中に基地局にサウンディング基準信号を送信するようにスケジュールされていないことと、装置１１１５がフレーム中に割り振られたａ  ＰＵＳＣＨを有することとを決定し得る。ＳＲＳ送信管理モジュール１１４０は、次いで、フレーム中に基地局にサウンディング基準信号を送信するように装置１１１５がスケジュールされていないという決定と、装置１１１５がフレーム中に割り振られたＰＵＳＣＨを有するという決定とに応答して１つまたは複数のアップリンクインターレースのセットを介してサウンディング基準信号を送信し得る。フレーム中にサウンディング基準信号を送信するようにスケジュールされていない装置によるサウンディング基準信号送信のために１つまたは複数のアップリンクインターレースのセットが指定されているとき、全てのそのような装置（すなわち、フレーム中にＰＵＳＣＨが割り振られているがフレーム中にサウンディング基準信号を送信する必要がない全ての装置）のサウンディング基準信号送信のために１つまたは複数のアップリンクインターレースのセットが使用され得る。いくつかの例では、１つまたは複数のアップリンクインターレースの指定されたセットを介したサウンディング基準信号送信は、基地局によって処理されないことがある。いくつかの例では、１つまたは複数のアップリンクインターレースの指定されたセットを介した装置の送信は、他のサウンディング基準信号送信に追従するために周波数ホッピングし得る。
【０１３０】
[0157]  いくつかの例では、装置１１１５は、特定のアップリンクインターレースを介して周期的サウンディング基準信号を送信しないことがあるか、あるいは（例えば、無認可無線周波数スペクトル帯域のチャネルが利用できないので）しきい値時間期間内に特定のアップリンクインターレースを介して周期的サウンディング基準信号を送信しないことがある。これらの例では、装置１１１５は、チャネルサウンディング中のギャップを充填するために、非周期的サウンディング基準信号を送信し得る。いくつかの例では、基地局は、非周期的サウンディング基準信号を使用してサウンディングされるべきアップリンクインターレースのセットを装置１１１５に示し得る。いくつかの例では、非周期的サウンディング基準信号を使用してサウンディングされるべきアップリンクインターレースのセットは、ダウンリンク許可またはアップリンク許可中で、あるいはグループ共通のダウンリンク制御情報（ＤＣＩ）中で指示され得る。非周期的サウンディング基準信号は、非周期的ＳＲＳ構成モジュール１１６５によって構成され得る。
【０１３１】
[0158]  いくつかの例では、ＣＣＡモジュール１１７０は、無認可無線周波数スペクトル帯域へのアクセスを求めて競合するために使用され得る。いくつかの例では、ＣＣＡモジュール１１７０は、例えば、図３を参照しながら説明したように、ＵＣＣＡを行うことによって無認可無線周波数スペクトル帯域へのアクセスを求めて競合し得る。無認可無線周波数スペクトル帯域へのアクセスを求める競合に勝つと、ＣＣＡモジュール１１７０は、ワイヤレス通信管理モジュール１１２０が、無認可無線周波数スペクトル帯域を介してＣＵＢＳを送信することを可能にするか、またはＳＲＳ送信管理モジュール１１４０が、無認可無線周波数スペクトル帯域を介してサウンディング基準信号を送信することを可能にし得る。
【０１３２】
[0159]  いくつかの例では、装置１１１５、図６または図７を参照しながら説明したＵＥ６１５または７１５と同様に構成または使用され得る。
【０１３３】
[0160]  図１２に、本開示の態様による、ワイヤレス通信において使用するための装置１２０５のブロック図１２００を示す。装置１２０５は、図１、図２、図６、図７、図８、または図９を参照しながら説明した基地局１０５、２０５、２０６、６０５、７０５、８０５、または９０５のうちの１つまたは複数の態様の一例であり得る。追加または代替として、装置１２０５は、プロセッサであるか、またはそれを含み得る。装置１２０５は、受信機モジュール１２１０、ワイヤレス通信管理モジュール１２２０、または送信機モジュール１２３０を含み得る。これらのモジュールの各々は互いに通信していることがある。
【０１３４】
[0161]  装置１２０５のモジュールは、適用可能な機能の一部または全部をハードウェアで行うように適応された１つまたは複数のＡＳＩＣを使用して、個々にまたはまとめて実施され得る。代替的に、機能は、１つまたは複数の集積回路上で、１つまたは複数の他の処理ユニット（またはコア）によって行われ得る。他の例では、他のタイプの集積回路が使用され得（例えば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【０１３５】
[0162]  いくつかの例では、受信機モジュール１２１０は、認可無線周波数スペクトル帯域（例えば、ＬＴＥ／ＬＴＥ−Ａ通信のために使用可能な認可無線周波数スペクトル帯域など、無線周波数スペクトル帯域がいく人かのユーザに認可されているので、送信装置がアクセスを求めて競合する必要がないことがある無線周波数スペクトル帯域）または無認可無線周波数スペクトル帯域（例えば、無線周波数スペクトル帯域がＷｉ−Ｆｉ用途などの無認可用途のために利用可能であるので、送信装置がアクセスを求めて競合する必要があり得る無線周波数スペクトル帯域）を介して送信を受信するように動作可能な少なくとも１つのＲＦ受信機などの、少なくとも１つのＲＦ受信機を含み得る。いくつかの例では、認可無線周波数スペクトル帯域または無認可無線周波数スペクトル帯域は、例えば、図１、図２、図３、図４、または図５を参照しながら説明したように、ＬＴＥ／ＬＴＥ−Ａ通信に使用され得る。受信機モジュール１２１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０１３６】
[0163]  いくつかの例では、送信機モジュール１２３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機モジュール１２３０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０１３７】
[0164]  いくつかの例では、ワイヤレス通信管理モジュール１２２０は、装置１２０５のためのワイヤレス通信の１つまたは複数の態様を管理するために使用され得る。いくつかの例では、ワイヤレス通信管理モジュール１２２０は、ＳＲＳ構成モジュール１２３５またはＳＲＳ受信管理モジュール１２４０を含み得る。
【０１３８】
[0165]  いくつかの例では、ＳＲＳ構成モジュール１２３５は、サウンディング基準信号送信を構成するために使用され得る。いくつかの例では、ＳＲＳ構成モジュール１２３５は、ＵＥに、サウンディング基準信号のために割り振られた無認可無線周波数スペクトル帯域の１つまたは複数のアップリンクインターレースのセットの指示を送信するために使用され得る。無認可無線周波数スペクトル帯域のインターレースは、いくつかの例では、図４を参照しながら説明したように構成され得る。
【０１３９】
[0166]  いくつかの例では、ＳＲＳ受信管理モジュール１２４０は、無認可無線周波数スペクトル帯域の１つまたは複数のアップリンクインターレースの指示されたセットを介してＵＥのためのサウンディング基準信号を受信するために使用され得る。
【０１４０】
[0167]  いくつかの例では、装置１２０５、図６または図７を参照しながら説明した基地局６０５または７０５と同様に構成または使用され得る。
【０１４１】
[0168]  図１３に、本開示の態様による、ワイヤレス通信において使用するための装置１３０５のブロック図１３００を示す。装置１３０５は、図１、図２、図６、図７、図８、または図９を参照しながら説明した基地局１０５、２０５、２０６、６０５、７０５、８０５、または９０５あるいは図１２を参照しながら説明した装置１２０５のうちの１つまたは複数の態様の一例であり得る。追加または代替として、装置１３０５は、プロセッサであるか、またはそれを含み得る。装置１３０５は、受信機モジュール１３１０、ワイヤレス通信管理モジュール１３２０、または送信機モジュール１３３０を含み得る。これらのモジュールの各々は互いに通信していることがある。
【０１４２】
[0169]  装置１３０５のモジュールは、適用可能な機能の一部または全部をハードウェアで行うように適応された１つまたは複数のＡＳＩＣを使用して、個々にまたはまとめて実施され得る。代替的に、機能は、１つまたは複数の集積回路上で、１つまたは複数の他の処理ユニット（またはコア）によって行われ得る。他の例では、他のタイプの集積回路が使用され得（例えば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【０１４３】
[0170]  いくつかの例では、受信機モジュール１３１０は、認可無線周波数スペクトル帯域（例えば、ＬＴＥ／ＬＴＥ−Ａ通信のために使用可能な認可無線周波数スペクトル帯域など、無線周波数スペクトル帯域がいく人かのユーザに認可されているので、送信装置がアクセスを求めて競合する必要がないことがある無線周波数スペクトル帯域）または無認可無線周波数スペクトル帯域（例えば、無線周波数スペクトル帯域がＷｉ−Ｆｉ用途などの無認可用途のために利用可能であるので、送信装置がアクセスを求めて競合する必要があり得る無線周波数スペクトル帯域）を介して送信を受信するように動作可能な少なくとも１つのＲＦ受信機などの、少なくとも１つのＲＦ受信機を含み得る。いくつかの例では、認可無線周波数スペクトル帯域または無認可無線周波数スペクトル帯域は、例えば、図１、図２、図３、図４、または図５を参照しながら説明したように、ＬＴＥ／ＬＴＥ−Ａ通信に使用され得る。受信機モジュール１３１０は、場合によっては、認可無線周波数スペクトル帯域および無認可無線周波数スペクトル帯域のための別個の受信機を含み得る。別個の受信機は、いくつかの例では、認可無線周波数スペクトル帯域を介して通信するためのＬＴＥ／ＬＴＥ−Ａ受信機モジュール（例えば、認可ＲＦスペクトル帯域のためのＬＴＥ／ＬＴＥ−Ａ受信機モジュール１３１２）、および無認可無線周波数スペクトル帯域を介して通信するためのＬＴＥ／ＬＴＥ−Ａ受信機モジュール（例えば、無認可ＲＦスペクトル帯域のためのＬＴＥ／ＬＴＥ−Ａ受信機モジュール１３１４）の形態をとり得る。認可ＲＦスペクトル帯域のためのＬＴＥ／ＬＴＥ−Ａ受信機モジュール１３１２または無認可ＲＦスペクトル帯域のためのＬＴＥ／ＬＴＥ−Ａ受信機モジュール１３１４を含む受信機モジュール１３１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０１４４】
[0171]  いくつかの例では、送信機モジュール１３３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機モジュール１３３０は、場合によっては、認可無線周波数スペクトル帯域および無認可無線周波数スペクトル帯域のための別個の送信機を含み得る。別個の送信機は、いくつかの例では、認可無線周波数スペクトル帯域を介して通信するためのＬＴＥ／ＬＴＥ−Ａ送信機モジュール（例えば、認可ＲＦスペクトル帯域のためのＬＴＥ／ＬＴＥ−Ａ送信機モジュール１３３２）、および無認可無線周波数スペクトル帯域を介して通信するためのＬＴＥ／ＬＴＥ−Ａ送信機モジュール（例えば、無認可ＲＦスペクトル帯域のためのＬＴＥ／ＬＴＥ−Ａ送信機モジュール１３３４）の形態をとり得る。認可のＲＦスペクトル帯域のためのＬＴＥ／ＬＴＥ−Ａ送信機モジュール１３３２または無認可ＲＦスペクトル帯域のためのＬＴＥ／ＬＴＥ−Ａ送信機モジュール１３３４を含む送信機モジュール１３３０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０１４５】
[0172]  いくつかの例では、ワイヤレス通信管理モジュール１３２０は、装置１３０５のためのワイヤレス通信の１つまたは複数の態様を管理するために使用され得る。いくつかの例では、ワイヤレス通信管理モジュール１３２０は、ＳＲＳ構成モジュール１３３５、ＳＲＳ受信管理モジュール１３４０、またはＣＣＡモジュール１３６５を含み得る。
【０１４６】
[0173]  いくつかの例では、ＳＲＳ構成モジュール１３３５は、サウンディング基準信号送信を構成するために使用され得る。いくつかの例では、ＳＲＳ構成モジュール１３３５は、ロケーション構成モジュール１３４５または非周期的ＳＲＳ構成モジュール１３６０を含み得る。ロケーション構成モジュール１３４５は、周波数ロケーション構成モジュール１３５０または時間ロケーション構成モジュール１３５５を含み得る。
【０１４７】
[0174]  いくつかの例では、周波数ロケーション構成モジュール１３５０は、ＵＥに、サウンディング基準信号のために割り振られた無認可無線周波数スペクトル帯域の１つまたは複数のアップリンクインターレースのセットの指示を送信するために使用され得る。無認可無線周波数スペクトル帯域のインターレースは、いくつかの例では、図４を参照しながら説明したように構成され得る。図５を参照しながら説明したように、各インターレースは、複数のリソースブロックを含み得、各リソースブロックは、複数のサブキャリア（またはトーン）を含み得る。
【０１４８】
[0175]  第１の例では、サウンディング基準信号のために割り振られた１つまたは複数のアップリンクインターレースのセットは、コンポーネントキャリア帯域幅中にアップリンクインターレースの全てを含み得る。第２の例では、サウンディング基準信号のために割り振られた１つまたは複数のアップリンクインターレースのセットは、コンポーネントキャリア帯域幅中に単一のアップリンクインターレース（例えば、単一のＰＵＳＣＨインターレース）を含み得る。第３の例では、サウンディング基準信号のために割り振られた１つまたは複数のアップリンクインターレースのセットは、コンポーネントキャリア帯域幅中に２つ以上のアップリンクインターレースのグループを含み得る。第１の例は、シンボルごとの周波数領域多重化オプションを減少させ、従って、時間領域多重化オプションに対する信頼性を増加させ得る。これは、ＵＥの電力消費量を改善し得るが、時間内の送信機会がより少なくなるという犠牲がある。第２の例は、シンボルごとの周波数領域多重化オプションを増加させ得るが、特定のアップリンクインターレース上でのサウンディング基準信号の送信間のＵＥの時間間隔を増加させ得る。第３の例は、シンボルごとの周波数領域多重化オプションと特定のアップリンクインターレース上でのサウンディング基準信号の送信間のＵＥの時間間隔との間に構成可能な平衡をもたらす。いくつかの例では、装置１３０５は、サウンディング基準信号のために割り振られた１つまたは複数のアップリンクインターレースのセットを動的にまたは半静的に選択または変更し得る。
【０１４９】
[0176]  いくつかの例では、サウンディング基準信号のために割り振られた１つまたは複数のアップリンクインターレースのセット中に含まれるアップリンクインターレースの数は、装置１３０５とＵＥとの間の距離に少なくとも部分的に基づくか、またはＵＥの送信電力に少なくとも部分的に基づき得る。
【０１５０】
[0177]  いくつかの例では、周波数ロケーション構成モジュール１３５０は、１つまたは複数のアップリンクインターレースのセットの中から、サウンディング基準信号を受信するためのサブキャリアのセットを識別するために使用され得る。第１の例では、サブキャリアのセットは、１つまたは複数のアップリンクインターレースのセットに関連するサブキャリアの各々を含み得る。第２の例では、サブキャリアのセットは、サブキャリアのサブセット（例えば、周波数トーンインターレースまたは周波数コム）を含み得、サブキャリアのサブセットは、ＵＥに関連付けられる。シンボルの半分の出力を測定すれば十分であり得るので、第１の例は電力ランプにより耐性があり得る。ただし、サウンディング基準信号シーケンスのためのＤＦＴ長さの選定によっては、新しい長さのサウンディング基準信号シーケンスが必要とされ得る（例えば、長さが６のＣＧＳ）。いくつかの例では、装置１３０５は、ＵＥに、サブキャリアのセットの指示を送信し得る。いくつかの例では、装置１３０５は、サウンディング基準信号を受信するためのサブキャリアを動的にまたは半静的に選択または変更し得る。
【０１５１】
[0178]  いくつかの例では、時間ロケーション構成モジュール１３５５は、ＵＥに、サウンディング基準信号が受信されるべきアップリンクサブフレームの指示を送信するために使用され得る。いくつかの例では、アップリンクサブフレームは、アップリンク送信期間の第１のアップリンクサブフレームまたは最後のアップリンクサブフレーム（例えば、図３中のサブフレームＳＦ７またはＳＦ９）であり得る。いくつかの例では、装置１３０５は、サウンディング基準信号が送信されるべきアップリンクサブフレームを動的にまたは半静的に選択または変更し得る。
【０１５２】
[0179]  いくつかの例では、時間ロケーション構成モジュール１３５５は、ＵＥに、サウンディング基準信号が受信されるべきアップリンクサブフレームのシンボルの指示を送信するために使用され得る。第１の例では、シンボルは、アップリンク送信期間の第１のアップリンクサブフレームの第１のシンボルを含み得る。第２の例では、シンボルは、アップリンク送信期間の最後のアップリンクサブフレームの第１のシンボルを含み得る。第３の例では、シンボルは、アップリンク送信期間の最後のアップリンクサブフレームの最後のシンボルを含み得る。第１の例は、より早い時間に装置１３０５にサウンディング基準信号を与え得るが、ＵＥが、無認可無線周波数スペクトル帯域へのアクセスを求める競合にまだ勝っていないので、サウンディング基準信号が送信されないことがあるというリスクと、無認可無線周波数スペクトル帯域へのアクセスを求めて競合する他のノード（例えば、装置１３０５に近接するノード）によるアクティビティが、サウンディング基準信号の装置の受信に干渉し得るというリスクとがある。第２の例と第３の例とは、第１の例のリスクを低減するが、サウンディング基準信号が同じ事業者展開の他の装置の送信によって干渉される可能性を増加させ得る。いくつかの例では、シンボルの指示は、アップリンクサブフレームの第１のシンボルまたはアップリンクサブフレームの最後のシンボルのうちの１つまたは複数の指示を含み得る。いくつかの例では、装置１３０５は、サウンディング基準信号が受信されるべきシンボルを動的にまたは半静的に選択または変更し得る。
【０１５３】
[0180]  装置１３０５のいくつかの例では、ＵＥに送信される指示の各々は、同じ送信の一部としてまたは同じチャネル上でＳＲＳ構成モジュール１３３５によって送信され得る。他の例では、指示は、異なる送信の一部としてまたは異なるチャネル上で送信され得る。
【０１５４】
[0181]  いくつかの例では、ＳＲＳ受信管理モジュール１３４０は、ＵＥのためのサウンディング基準信号を受信するために使用され得る。サウンディング基準信号は、１つまたは複数のアップリンクインターレースの指示されたセットを介して、無認可無線周波数スペクトル帯域の他の構成／選択されたリソース（例えば、指示されたアップリンクサブフレームおよびシンボル、または識別されたサブキャリア）を使用して受信され得る。サウンディング基準信号は、少なくとも部分的にサウンディング基準信号シーケンスにベースされ得る。
【０１５５】
[0182]  いくつかの例では、１つまたは複数のアップリンクインターレースのセットのリソースブロックのためのサウンディング基準信号シーケンスは、１つまたは複数のアップリンクインターレースのセット内のリソースブロックのロケーションに少なくとも部分的に基づき得る。いくつかの例では、リソースブロックのためのサウンディング基準信号シーケンスは、リソースブロックに関連するアップリンクインターレースに少なくとも部分的に基づき得る。いくつかの例では、リソースブロックのためのサウンディング基準信号シーケンスは、ＵＥ識別子またはセル識別子に少なくとも部分的に基づき得る。
【０１５６】
[0183]  無認可無線周波数スペクトル帯域を介して受信される異なるＬＢＴ無線フレームは、異なるＴＤＤ構成を有することができるので、ＳＲＳ受信管理モジュール１３４０によって受信されるサウンディング基準信号は、複数の循環および周期的サウンディング基準信号送信のうちの１つ、または複数の循環および非周期的サウンディング基準信号送信のうちの１つであり得る。ＳＲＳ受信管理モジュール１３４０によって受信されるサウンディング基準信号はまた、非周期的サウンディング基準信号送信であり得る。
【０１５７】
[0184]  いくつかの例では、ＵＥは、フレーム中にＰＵＳＣＨを割り振られ得るが、ＰＵＳＣＨ上でサウンディング基準信号を送信する必要がないことがある。これらの例を考慮するために、および無認可無線周波数スペクトル帯域を介した送信における不連続性を回避するために、ＳＲＳ構成モジュール１１３５は、いくつかの例では、フレーム中にサウンディング基準信号を送信するようにスケジュールされていないＵＥによるサウンディング基準信号送信のために１つまたは複数のアップリンクインターレースのセットが指定されているという指示をＵＥに送信し得る。
【０１５８】
[0185]  いくつかの例では、ＵＥは、特定のアップリンクインターレースを介して周期的サウンディング基準信号を送信しないことがあるか、あるいは（例えば、無認可無線周波数スペクトル帯域のチャネルが利用できないので）しきい値時間期間内に特定のアップリンクインターレースを介して周期的サウンディング基準信号を送信しないことがある。これらの事例では、ＵＥは、チャネルサウンディング中のギャップを充填するために、非周期的サウンディング基準信号を送信し得る。いくつかの例では、装置１３０５は、非周期的サウンディング基準信号を使用してサウンディングされるべきアップリンクインターレースのセットをＵＥに示し得る。いくつかの例では、非周期的サウンディング基準信号を使用してサウンディングされるべきアップリンクインターレースのセットは、非周期的ＳＲＳ構成モジュール１３６０によって、ダウンリンク許可またはアップリンク許可中で、あるいはグループ共通のＤＣＩ中で指示され得る。
【０１５９】
[0186]  いくつかの例では、ＣＣＡモジュール１３６５は、無認可無線周波数スペクトル帯域へのアクセスを求めて競合するために使用され得る。いくつかの例では、ＣＣＡモジュール１３６５は、例えば、図３を参照しながら説明したように、ＤＣＣＡを行うことによって無認可無線周波数スペクトル帯域へのアクセスを求めて競合し得る。無認可無線周波数スペクトル帯域へのアクセスを求める競合に勝つと、ＣＣＡモジュール１３６５は、ワイヤレス通信管理モジュール１３２０が、無認可無線周波数スペクトル帯域を介してＣＵＢＳを送信することを可能にするか、またはＳＲＳ構成モジュール１３３５が、無認可無線周波数スペクトル帯域を介してＵＥに様々な指示を送信することを可能にし得る。
【０１６０】
[0187]  いくつかの例では、装置１３０５、図６または図７を参照しながら説明したＵＥ６１５または７１５と同様に構成または使用され得る。
【０１６１】
[0188]  図１４に、本開示の態様による、ワイヤレス通信において使用するための装置１４１５のブロック図１４００を示す。装置１４１５は、図１、図２、図６、図７、図８、または図９を参照しながら説明したＵＥ１１５、２１５、２１６、２１７、２１８、６１５、７１５、８１５、または９１５あるいは図１０または図１１を参照しながら説明した装置１０１５または１１１５のうちの１つまたは複数の態様の一例であり得る。追加または代替として、装置１４１５は、プロセッサであるか、またはそれを含み得る。装置１４１５は、受信機モジュール１４１０、ワイヤレス通信管理モジュール１４２０、または送信機モジュール１４３０を含み得る。これらのモジュールの各々は互いに通信していることがある。
【０１６２】
[0189]  装置１４１５のモジュールは、適用可能な機能の一部または全部をハードウェアで行うように適応された１つまたは複数のＡＳＩＣを使用して、個々にまたはまとめて実施され得る。代替的に、機能は、１つまたは複数の集積回路上で、１つまたは複数の他の処理ユニット（またはコア）によって行われ得る。他の例では、他のタイプの集積回路が使用され得（例えば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【０１６３】
[0190]  いくつかの例では、受信機モジュール１４１０は、認可無線周波数スペクトル帯域（例えば、ＬＴＥ／ＬＴＥ−Ａ通信のために使用可能な認可無線周波数スペクトル帯域など、無線周波数スペクトル帯域がいく人かのユーザに認可されているので、送信装置がアクセスを求めて競合する必要がないことがある無線周波数スペクトル帯域）または無認可無線周波数スペクトル帯域（例えば、無線周波数スペクトル帯域がＷｉ−Ｆｉ用途などの無認可用途のために利用可能であるので、送信装置がアクセスを求めて競合する必要があり得る無線周波数スペクトル帯域）を介して送信を受信するように動作可能な少なくとも１つのＲＦ受信機などの、少なくとも１つのＲＦ受信機を含み得る。いくつかの例では、認可無線周波数スペクトル帯域または無認可無線周波数スペクトル帯域は、例えば、図１、図２、図３、図４、または図５を参照しながら説明したように、ＬＴＥ／ＬＴＥ−Ａ通信に使用され得る。受信機モジュール１４１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０１６４】
[0191]  いくつかの例では、送信機モジュール１４３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機モジュール１４３０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０１６５】
[0192]  いくつかの例では、ワイヤレス通信管理モジュール１４２０は、装置１４１５のためのワイヤレス通信の１つまたは複数の態様を管理するために使用され得る。いくつかの例では、ワイヤレス通信管理モジュール１４２０は、インターレース割振り管理モジュール１４３５、スケジューリング要求準備モジュール１４４０、バッファステータス報告準備モジュール１４４５、または送信管理モジュール１４５０を含み得る。
【０１６６】
[0193]  いくつかの例では、インターレース割振り管理モジュール１４３５は、ＰＵＣＣＨ送信のために割り振られた無認可無線周波数スペクトル帯域のインターレースの指示を受信するために使用され得る。無認可無線周波数スペクトル帯域のインターレースは、いくつかの例では、図４を参照しながら説明したように構成され得る。
【０１６７】
[0194]  いくつかの例では、スケジューリング要求準備モジュール１４４０は、スケジューリング要求を準備するために使用され得る。スケジューリング要求は、いくつかの例では、スケジューリング要求が行われているかどうかを示す単一ビットであり得る。
【０１６８】
[0195]  いくつかの例では、バッファステータス報告準備モジュール１４４５は、バッファステータス報告を準備するために使用され得る。バッファステータス報告は、いくつかの例では、短いバッファステータス報告（例えば、６ビットの報告）または長いバッファステータス報告（例えば、２４ビットの報告）の形態をとり得る。
【０１６９】
[0196]  いくつかの例では、送信管理モジュール１４５０は、指示されたインターレースを介してスケジューリング要求とバッファステータス報告とを送信するために使用され得る。
【０１７０】
[0197]  いくつかの例では、装置１４１５、図８または図９を参照しながら説明したＵＥ８１５または９１５と同様に構成または使用され得る。
【０１７１】
[0198]  図１５に、本開示の態様による、ワイヤレス通信において使用するための装置１５１５のブロック図１５００を示す。装置１５１５は、図１、図２、図８、または図９を参照しながら説明したＵＥ１１５、２１５、２１６、２１７、２１８、８１５、または９１５あるいは図１０、図１１、または図１４を参照しながら説明した装置１０１５、１１１５、または１４１５のうちの１つまたは複数の態様の一例であり得る。追加または代替として、装置１５１５は、プロセッサであるか、またはそれを含み得る。装置１５１５は、受信機モジュール１５１０、ワイヤレス通信管理モジュール１５２０、または送信機モジュール１５３０を含み得る。これらのモジュールの各々は互いに通信していることがある。
【０１７２】
[0199]  装置１５１５のモジュールは、適用可能な機能の一部または全部をハードウェアで行うように適応された１つまたは複数のＡＳＩＣを使用して、個々にまたはまとめて実施され得る。代替的に、機能は、１つまたは複数の集積回路上で、１つまたは複数の他の処理ユニット（またはコア）によって行われ得る。他の例では、他のタイプの集積回路が使用され得（例えば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【０１７３】
[0200]  いくつかの例では、受信機モジュール１５１０は、認可無線周波数スペクトル帯域（例えば、ＬＴＥ／ＬＴＥ−Ａ通信のために使用可能な認可無線周波数スペクトル帯域など、無線周波数スペクトル帯域がいく人かのユーザに認可されているので、送信装置がアクセスを求めて競合する必要がないことがある無線周波数スペクトル帯域）または無認可無線周波数スペクトル帯域（例えば、無線周波数スペクトル帯域がＷｉ−Ｆｉ用途などの無認可用途のために利用可能であるので、送信装置がアクセスを求めて競合する必要があり得る無線周波数スペクトル帯域）を介して送信を受信するように動作可能な少なくとも１つのＲＦ受信機などの、少なくとも１つのＲＦ受信機を含み得る。いくつかの例では、認可無線周波数スペクトル帯域または無認可無線周波数スペクトル帯域は、例えば、図１、図２、図３、図４、または図５を参照しながら説明したように、ＬＴＥ／ＬＴＥ−Ａ通信に使用され得る。受信機モジュール１５１０は、場合によっては、認可無線周波数スペクトル帯域および無認可無線周波数スペクトル帯域のための別個の受信機を含み得る。別個の受信機は、いくつかの例では、認可無線周波数スペクトル帯域を介して通信するためのＬＴＥ／ＬＴＥ−Ａ受信機モジュール（例えば、認可ＲＦスペクトル帯域のためのＬＴＥ／ＬＴＥ−Ａ受信機モジュール１５１２）、および無認可無線周波数スペクトル帯域を介して通信するためのＬＴＥ／ＬＴＥ−Ａ受信機モジュール（例えば、無認可ＲＦスペクトル帯域のためのＬＴＥ／ＬＴＥ−Ａ受信機モジュール１５１４）の形態をとり得る。認可ＲＦスペクトル帯域のためのＬＴＥ／ＬＴＥ−Ａ受信機モジュール１５１２または無認可ＲＦスペクトル帯域のためのＬＴＥ／ＬＴＥ−Ａ受信機モジュール１５１４を含む受信機モジュール１５１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０１７４】
[0201]  いくつかの例では、送信機モジュール１５３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機モジュール１５３０は、場合によっては、認可無線周波数スペクトル帯域および無認可無線周波数スペクトル帯域のための別個の送信機を含み得る。別個の送信機は、いくつかの例では、認可無線周波数スペクトル帯域を介して通信するためのＬＴＥ／ＬＴＥ−Ａ送信機モジュール（例えば、認可ＲＦスペクトル帯域のためのＬＴＥ／ＬＴＥ−Ａ送信機モジュール１５３２）、および無認可無線周波数スペクトル帯域を介して通信するためのＬＴＥ／ＬＴＥ−Ａ送信機モジュール（例えば、無認可ＲＦスペクトル帯域のためのＬＴＥ／ＬＴＥ−Ａ送信機モジュール１５３４）の形態をとり得る。認可のＲＦスペクトル帯域のためのＬＴＥ／ＬＴＥ−Ａ送信機モジュール１５３２または無認可ＲＦスペクトル帯域のためのＬＴＥ／ＬＴＥ−Ａ送信機モジュール１５３４を含む送信機モジュール１５３０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０１７５】
[0202]  いくつかの例では、ワイヤレス通信管理モジュール１５２０は、装置１５１５のためのワイヤレス通信の１つまたは複数の態様を管理するために使用され得る。いくつかの例では、ワイヤレス通信管理モジュール１５２０は、インターレース割振り管理モジュール１５３５、スケジューリング要求準備モジュール１５４０、バッファステータス報告準備モジュール１５４５、電力ヘッドルーム報告準備モジュール１５５５、送信管理モジュール１５５０、またはＣＣＡモジュール１５７５を含み得る。
【０１７６】
[0203]  いくつかの例では、インターレース割振り管理モジュール１５３５は、ＰＵＣＣＨ送信のために割り振られた無認可無線周波数スペクトル帯域のインターレースの指示を受信するために使用され得る。無認可無線周波数スペクトル帯域のインターレースは、いくつかの例では、図４を参照しながら説明したように構成され得る。
【０１７７】
[0204]  いくつかの例では、スケジューリング要求準備モジュール１５４０は、スケジューリング要求を準備するために使用され得る。スケジューリング要求は、いくつかの例では、スケジューリング要求が行われているかどうかを示す単一ビットであり得る。
【０１７８】
[0205]  いくつかの例では、バッファステータス報告準備モジュール１５４５は、バッファステータス報告を準備するために使用され得る。バッファステータス報告は、いくつかの例では、短いバッファステータス報告（例えば、６ビットの報告）または長いバッファステータス報告（例えば、２４ビットの報告）の形態をとり得る。
【０１７９】
[0206]  いくつかの例では、電力ヘッドルーム報告準備モジュール１５５５は、電力ヘッドルーム報告を準備するために使用され得る。電力ヘッドルーム報告は、いくつかの例では、６ビット報告であり得る。
【０１８０】
[0207]  いくつかの例では、送信管理モジュール１５５０は、指示されたインターレースを介してスケジューリング要求とバッファステータス報告とを送信し、随意に、指示されたインターレースを介してスケジューリング要求とバッファステータス報告とともに電力ヘッドルーム報告、論理グループ識別子、または巡回冗長検査を送信するために使用され得る。いくつかの例では、送信管理モジュール１５５０は、ＰＵＣＣＨフォーマット選択モジュール１５６０、巡回冗長検査生成モジュール１５６５、または論理グループ識別子管理モジュール１５７０を含み得る。ＰＵＣＣＨフォーマット選択モジュール１５６０は、例えば、スケジューリング要求とバッファステータス報告と、随意に、電力ヘッドルーム報告とを送信するために複数のあらかじめ定義されたＰＵＣＣＨフォーマットのうちの１つを選択するために使用され得る。いくつかの例では、ＰＵＣＣＨフォーマットは、指示されたインターレースを介して送信されるべきペイロードのサイズに、またはバッファステータス報告のサイズに少なくとも部分的に基づいて選択され得る。短いバッファステータス報告の場合、選択されるＰＵＣＣＨフォーマットは、いくつかの例では、フォーマット１ｂであり得る。巡回冗長検査生成モジュール１５６５は、例えば、少なくともスケジューリング要求とバッファステータス報告とについて、および随意に、電力ヘッドルーム報告についての巡回冗長検査を生成するために使用され得る。いくつかの例では、巡回冗長検査を生成することは、（例えば、スケジューリング要求と、バッファステータス報告と、随意に、電力ヘッドルーム報告とを考慮した後に）指示されたインターレース中のビットの残りの数に少なくとも部分的に基づいて巡回冗長検査のサイズを調整することを含み得る。論理グループ識別子管理モジュール１５７０は、いくつかの例では、スケジューリング要求、バッファステータス報告、または電力ヘッドルーム報告の送信のための論理グループ識別子（例えば、２ビット識別子）を決定するために使用ｄであり得る。
【０１８１】
[0208]  いくつかの例では、ＣＣＡモジュール１５７５は、無認可無線周波数スペクトル帯域へのアクセスを求めて競合するために使用され得る。いくつかの例では、ＣＣＡモジュール１５７５は、例えば、図３を参照しながら説明したように、ＵＣＣＡを行うことによって無認可無線周波数スペクトル帯域へのアクセスを求めて競合し得る。無認可無線周波数スペクトル帯域へのアクセスを求める競合に勝つと、ＣＣＡモジュール１５７５は、ワイヤレス通信管理モジュール１５２０が、無認可無線周波数スペクトル帯域を介してＣＵＢＳを送信することを可能にするか、または送信管理モジュール１５５０が、無認可無線周波数スペクトル帯域を介してスケジューリング要求、バッファステータス報告、または電力ヘッドルーム報告を送信することを可能にし得る。
【０１８２】
[0209]  いくつかの例では、装置１５１５、図８または図９を参照しながら説明したＵＥ８１５または９１５と同様に構成または使用され得る。
【０１８３】
[0210]  図１６に、本開示の態様による、ワイヤレス通信において使用するための装置１６０５のブロック図１６００を示す。装置１６０５は、図１、図２、図８、または図９を参照しながら説明した基地局１０５、２０５、２０６、８０５、または９０５あるいは図１２または図１３を参照しながら説明した装置１２０５または１３０５のうちの１つまたは複数の態様の一例であり得る。追加または代替として、装置１６０５は、プロセッサであるか、またはそれを含み得る。装置１６０５は、受信機モジュール１６１０、ワイヤレス通信管理モジュール１６２０、または送信機モジュール１６３０を含み得る。これらのモジュールの各々は互いに通信していることがある。
【０１８４】
[0211]  装置１６０５のモジュールは、適用可能な機能の一部または全部をハードウェアで行うように適応された１つまたは複数のＡＳＩＣを使用して、個々にまたはまとめて実施され得る。代替的に、機能は、１つまたは複数の集積回路上で、１つまたは複数の他の処理ユニット（またはコア）によって行われ得る。他の例では、他のタイプの集積回路が使用され得（例えば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【０１８５】
[0212]  いくつかの例では、受信機モジュール１６１０は、認可無線周波数スペクトル帯域（例えば、ＬＴＥ／ＬＴＥ−Ａ通信のために使用可能な認可無線周波数スペクトル帯域など、無線周波数スペクトル帯域がいく人かのユーザに認可されているので、送信装置がアクセスを求めて競合する必要がないことがある無線周波数スペクトル帯域）または無認可無線周波数スペクトル帯域（例えば、無線周波数スペクトル帯域がＷｉ−Ｆｉ用途などの無認可用途のために利用可能であるので、送信装置がアクセスを求めて競合する必要があり得る無線周波数スペクトル帯域）を介して送信を受信するように動作可能な少なくとも１つのＲＦ受信機などの、少なくとも１つのＲＦ受信機を含み得る。いくつかの例では、認可無線周波数スペクトル帯域または無認可無線周波数スペクトル帯域は、例えば、図１、図２、図３、図４、または図５を参照しながら説明したように、ＬＴＥ／ＬＴＥ−Ａ通信に使用され得る。受信機モジュール１６１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０１８６】
[0213]  いくつかの例では、送信機モジュール１６３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機モジュール１６３０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０１８７】
[0214]  いくつかの例では、ワイヤレス通信管理モジュール１６２０は、装置１６０５のためのワイヤレス通信の１つまたは複数の態様を管理するために使用され得る。いくつかの例では、ワイヤレス通信管理モジュール１６２０は、インターレース割振り管理モジュール１６３５または送信受信管理モジュール１６４０を含み得る。
【０１８８】
[0215]  いくつかの例では、インターレース割振り管理モジュール１６３５は、ＰＵＣＣＨ送信のためにＵＥに無認可無線周波数スペクトル帯域のインターレースの指示を送信するために使用され得る。無認可無線周波数スペクトル帯域のインターレースは、いくつかの例では、図４を参照しながら説明したように構成され得る。
【０１８９】
[0216]  いくつかの例では、送信受信管理モジュール１６４０は、インターレースを介してＵＥのためのスケジューリング要求とバッファステータス報告とを受信することに使用され得る。スケジューリング要求は、スケジューリング要求受信管理モジュール１６４５によって受信され得、バッファステータス報告は、バッファステータス報告受信管理モジュール１６５０によって受信され得る。
【０１９０】
[0217]  いくつかの例では、装置１６０５、図８または図９を参照しながら説明した基地局８０５または９０５と同様に構成または使用され得る。
【０１９１】
[0218]  図１７に、本開示の態様による、ワイヤレス通信において使用するための装置１７０５のブロック図１７００を示す。装置１７０５は、図１、図２、図８、または図９を参照しながら説明した基地局１０５、２０５、２０６、８０５、または９０５あるいは図１２、図１３、または図１６を参照しながら説明した装置１２０５、１３０５、または１６０５のうちの１つまたは複数の態様の一例であり得る。追加または代替として、装置１７０５は、プロセッサであるか、またはそれを含み得る。装置１７０５は、受信機モジュール１７１０、ワイヤレス通信管理モジュール１７２０、または送信機モジュール１７３０を含み得る。これらのモジュールの各々は互いに通信していることがある。
【０１９２】
[0219]  装置１７０５のモジュールは、適用可能な機能の一部または全部をハードウェアで行うように適応された１つまたは複数のＡＳＩＣを使用して、個々にまたはまとめて実施され得る。代替的に、機能は、１つまたは複数の集積回路上で、１つまたは複数の他の処理ユニット（またはコア）によって行われ得る。他の例では、他のタイプの集積回路が使用され得（例えば、ストラクチャード／プラットフォームＡＳＩＣ、ＦＰＧＡ、および他のセミカスタムＩＣ）、これは当技術分野において既知の任意の方式でプログラムされ得る。各モジュールの機能はまた、全体的にまたは部分的に、１つまたは複数の汎用または特定用途向けプロセッサによって実行されるようにフォーマットされた、メモリ中に組み込まれた命令を用いて実施され得る。
【０１９３】
[0220]  いくつかの例では、受信機モジュール１７１０は、認可無線周波数スペクトル帯域（例えば、ＬＴＥ／ＬＴＥ−Ａ通信のために使用可能な認可無線周波数スペクトル帯域など、無線周波数スペクトル帯域がいく人かのユーザに認可されているので、送信装置がアクセスを求めて競合する必要がないことがある無線周波数スペクトル帯域）または無認可無線周波数スペクトル帯域（例えば、無線周波数スペクトル帯域がＷｉ−Ｆｉ用途などの無認可用途のために利用可能であるので、送信装置がアクセスを求めて競合する必要があり得る無線周波数スペクトル帯域）を介して送信を受信するように動作可能な少なくとも１つのＲＦ受信機などの、少なくとも１つのＲＦ受信機を含み得る。いくつかの例では、認可無線周波数スペクトル帯域または無認可無線周波数スペクトル帯域は、例えば、図１、図２、図３、図４、または図５を参照しながら説明したように、ＬＴＥ／ＬＴＥ−Ａ通信に使用され得る。受信機モジュール１７１０は、場合によっては、認可無線周波数スペクトル帯域および無認可無線周波数スペクトル帯域のための別個の受信機を含み得る。別個の受信機は、いくつかの例では、認可無線周波数スペクトル帯域を介して通信するためのＬＴＥ／ＬＴＥ−Ａ受信機モジュール（例えば、認可ＲＦスペクトル帯域のためのＬＴＥ／ＬＴＥ−Ａ受信機モジュール１７１２）、および無認可無線周波数スペクトル帯域を介して通信するためのＬＴＥ／ＬＴＥ−Ａ受信機モジュール（例えば、無認可ＲＦスペクトル帯域のためのＬＴＥ／ＬＴＥ−Ａ受信機モジュール１７１４）の形態をとり得る。認可ＲＦスペクトル帯域のためのＬＴＥ／ＬＴＥ−Ａ受信機モジュール１７１２または無認可ＲＦスペクトル帯域のためのＬＴＥ／ＬＴＥ−Ａ受信機モジュール１７１４を含む受信機モジュール１７１０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を受信するために使用され得る。通信リンクは、認可無線周波数スペクトル帯域または無認可無線周波数スペクトル帯域を介して確立され得る。
【０１９４】
[0221]  いくつかの例では、送信機モジュール１７３０は、認可無線周波数スペクトル帯域または無認可無線周波数スペクトル帯域を介して送信するように動作可能な少なくとも１つのＲＦ送信機などの、少なくとも１つのＲＦ送信機を含み得る。送信機モジュール１７３０は、場合によっては、認可無線周波数スペクトル帯域および無認可無線周波数スペクトル帯域のための別個の送信機を含み得る。別個の送信機は、いくつかの例では、認可無線周波数スペクトル帯域を介して通信するためのＬＴＥ／ＬＴＥ−Ａ送信機モジュール（例えば、認可ＲＦスペクトル帯域のためのＬＴＥ／ＬＴＥ−Ａ送信機モジュール１７３２）、および無認可無線周波数スペクトル帯域を介して通信するためのＬＴＥ／ＬＴＥ−Ａ送信機モジュール（例えば、無認可ＲＦスペクトル帯域のためのＬＴＥ／ＬＴＥ−Ａ送信機モジュール１７３４）の形態をとり得る。認可のＲＦスペクトル帯域のためのＬＴＥ／ＬＴＥ−Ａ送信機モジュール１７３２または無認可ＲＦスペクトル帯域のためのＬＴＥ／ＬＴＥ−Ａ送信機モジュール１７３４を含む送信機モジュール１７３０は、図１または図２を参照しながら説明したワイヤレス通信システム１００または２００の１つまたは複数の通信リンクなど、ワイヤレス通信システムの１つまたは複数の通信リンクを介して様々なタイプのデータまたは制御信号（すなわち、送信）を送信するために使用され得る。通信リンクは、認可無線周波数スペクトル帯域または無認可無線周波数スペクトル帯域を介して確立され得る。
【０１９５】
[0222]  いくつかの例では、ワイヤレス通信管理モジュール１７２０は、装置１７０５のためのワイヤレス通信の１つまたは複数の態様を管理するために使用され得る。いくつかの例では、ワイヤレス通信管理モジュール１７２０は、インターレース割振り管理モジュール１７３５、送信受信管理モジュール１７４０、またはＣＣＡモジュール１７６５を含み得る。
【０１９６】
[0223]  いくつかの例では、インターレース割振り管理モジュール１７３５は、ＰＵＣＣＨ送信のためにＵＥに無認可無線周波数スペクトル帯域のインターレースの指示を送信するために使用され得る。無認可無線周波数スペクトル帯域のインターレースは、いくつかの例では、図４を参照しながら説明したように構成され得る。
【０１９７】
[0224]  いくつかの例では、送信受信管理モジュール１７４０は、インターレースを介してＵＥのためのスケジューリング要求とバッファステータス報告とを受信することに、および随意に、指示されたインターレースを介してスケジューリング要求とバッファステータス報告とともに電力ヘッドルーム報告、論理グループ識別子、または巡回冗長検査を受信するために使用され得る。スケジューリング報告、バッファステータス報告、または電力ヘッドルーム報告は、複数のあらかじめ定義されたＰＵＣＣＨフォーマットのうちの１つを使用して受信され得る。短いバッファステータス報告の場合、選択されるＰＵＣＣＨフォーマットは、いくつかの例では、フォーマット１ｂであり得る。いくつかの例では、ＰＵＣＣＨフォーマットは、指示されたインターレースを介して送信されるべきペイロードのサイズに、またはバッファステータス報告のサイズに少なくとも部分的に基づき得る。
【０１９８】
[0225]  スケジューリング要求は、スケジューリング要求受信管理モジュール１７４５によって受信され得る。スケジューリング要求は、いくつかの例では、スケジューリング要求が行われているかどうかを示す単一ビットであり得る。
【０１９９】
[0226]  バッファステータス報告は、バッファステータス報告受信管理モジュール１７５０によって受信され得る。バッファステータス報告は、いくつかの例では、短いバッファステータス報告（例えば、６ビットの報告）または長いバッファステータス報告（例えば、２４ビットの報告）の形態をとり得る。
【０２００】
[0227]  電力ヘッドルーム報告は、電力ヘッドルーム報告受信管理モジュール１７５５によって受信され得る。電力ヘッドルーム報告は、いくつかの例では、６ビット報告であり得る。
【０２０１】
[0228]  巡回冗長検査は、巡回冗長検査評価モジュール１７６０によって評価され得る。巡回冗長検査のサイズは、（例えば、スケジューリング要求と、バッファステータス報告と、随意に、電力ヘッドルーム報告とを考慮した後に）指示されたインターレース中のビットの残りの数に少なくとも部分的に基づき得る。
【０２０２】
[0229]  いくつかの例では、ＣＣＡモジュール１７６５は、無認可無線周波数スペクトル帯域へのアクセスを求めて競合するために使用され得る。いくつかの例では、ＣＣＡモジュール１７６５は、例えば、図３を参照しながら説明したように、ＤＣＣＡを行うことによって無認可無線周波数スペクトル帯域へのアクセスを求めて競合し得る。無認可無線周波数スペクトル帯域へのアクセスを求める競合に勝つと、ＣＣＡモジュール１７６５は、ワイヤレス通信管理モジュール１７２０が、無認可無線周波数スペクトル帯域を介してＣＵＢＳを送信することを可能にするか、またはインターレース割振り管理モジュール１７３５が、ＵＥに無認可無線周波数スペクトル帯域のインターレースの指示を送信することを可能にし得る。
【０２０３】
[0230]  いくつかの例では、装置１７０５、図８または図９を参照しながら説明した基地局８０５または９０５と同様に構成または使用され得る。
【０２０４】
[0231]  図１８は、本開示の態様による、ワイヤレス通信において使用するためのＵＥ１８１５のブロック図１８００を示す。ＵＥ１８１５は、様々な構成を有し得、含まれ得るか、または、パーソナルコンピュータ（例えば、ラップトップコンピュータ、ネットブックコンピュータ、タブレットコンピュータなど）、セルラー電話、ＰＤＡ、デジタルビデオレコーダ（ＤＶＲ）、インターネット機器、ゲームコンソール、電子リーダーなどの一部であり得る。ＵＥ１８１５は、いくつかの例では、モバイル動作を容易にするために、小型バッテリーなどの内部電源（図示されず）を有し得る。いくつかの例では、ＵＥ１８１５は、図１、図２、図６、図７、図８、または図９を参照しながら説明したＵＥ１１５、２１５、２１６、２１７、２１８、６１５、７１５、８１５、または９１５のうちの１つまたは複数の態様、あるいは図１０、図１１、図１４、または図１５を参照しながら説明した装置１０１５、１１１５、１４１５、または１５１５のうちの１つまたは複数の態様の一例であり得る。ＵＥ１８１５は、図１、図２、図３、図４、図５、図６、図７、図８、図９、図１０、図１１、図１４、または図１５を参照しながら説明したＵＥまたは装置の特徴および機能のうちの少なくともいくつかを実施するように構成され得る。
【０２０５】
[0232]  ＵＥ１８１５は、ＵＥプロセッサモジュール１８１０、ＵＥメモリモジュール１８２０、（ＵＥトランシーバモジュール１８３０によって表される）少なくとも１つのＵＥトランシーバモジュール、（ＵＥアンテナ１８４０によって表される）少なくとも１つのＵＥアンテナ、またはＵＥワイヤレス通信管理モジュール１８６０を含み得る。これらの構成要素の各々は、１つまたは複数のバス１８３５を介して、直接または間接的に互いと通信していることがある。
【０２０６】
[0233]  ＵＥメモリモジュール１８２０は、ランダムアクセスメモリ（ＲＡＭ）または読取り専用メモリ（ＲＯＭ）を含み得る。ＵＥメモリモジュール１８２０は、実行されたとき、無認可無線周波数スペクトル帯域を介したサウンディング基準信号、スケジューリング要求、バッファステータス報告、または電力ヘッドルーム報告の構成および送信を含む、ワイヤレス通信に関する本明細書で説明する様々な機能をＵＥプロセッサモジュール１８１０に行わせるように構成された命令を含む、コンピュータ可読コンピュータ実行可能コード１８２５を記憶し得る。代替的に、コード１８２５は、ＵＥプロセッサモジュール１８１０によって直接的に実行可能ではないことがあるが、（例えば、コンパイルされ実行されたとき）本明細書で説明される様々な機能をＵＥ１８１５に行わせるように構成され得る。
【０２０７】
[0234]  ＵＥプロセッサモジュール１８１０は、インテリジェントハードウェアデバイス、例えば、中央処理ユニット（ＣＰＵ）、マイクロコントローラ、ＡＳＩＣなどを含み得る。ＵＥプロセッサモジュール１８１０は、ＵＥトランシーバモジュール１８３０を通して受信された情報、またはＵＥアンテナ１８４０を通して送信用にＵＥトランシーバモジュール１８３０に送られるべき情報を処理し得る。ＵＥプロセッサモジュール１８１０は、単独でまたはＵＥワイヤレス通信管理モジュール１８６０とともに、認可無線周波数スペクトル帯域（例えば、無線周波数スペクトル帯域が、ＬＴＥ／ＬＴＥ−Ａ通信のために使用可能な認可無線周波数スペクトル帯域など、いく人かのユーザに認可されているので、装置がアクセスを争わない無線周波数スペクトル帯域）、または無認可無線周波数スペクトル帯域（例えば、無線周波数スペクトル帯域が、Ｗｉ−Ｆｉ用途のような無認可の用途に利用可能であるので、装置がアクセスを争う必要があり得る無線周波数スペクトル帯域）を介して通信すること（あるいはその帯域を介した通信を管理すること）の様々な態様を扱い得る。
【０２０８】
[0235]  ＵＥトランシーバモジュール１８３０は、パケットを変調し、被変調パケットを送信のためにＵＥアンテナ１８４０に提供し、ＵＥアンテナ１８４０から受信されたパケットを復調するように構成されたモデムを含み得る。ＵＥトランシーバモジュール１８３０は、いくつかの例では、１つまたは複数のＵＥ送信機モジュールおよび１つまたは複数の別個のＵＥ受信機モジュールとして実施され得る。ＵＥトランシーバモジュール１８３０は、認可無線周波数スペクトル帯域または無認可無線周波数スペクトル帯域における通信をサポートし得る。ＵＥトランシーバモジュール１８３０は、図１、図２、図６、図７、図８、または図９を参照しながら説明した基地局１０５、２０５、２０６、６０５、７０５、８０５、または９０５、あるいは図１２、図１３、図１６、または図１７を参照しながら説明した装置１２０５、１３０５、１６０５、または１７０５のうちの１つまたは複数と、ＵＥアンテナ１８４０を介して双方向に通信するように構成され得る。ＵＥ１８１５は単一のＵＥアンテナを含み得るが、ＵＥ１８１５が複数のＵＥアンテナ１８４０を含み得る例があり得る。
【０２０９】
[0236]  ＵＥ状態モジュール１８５０は、例えば、ＲＲＣアイドル状態とＲＲＣ接続状態との間のＵＥ１８１５の遷移を管理するために使用され得、１つまたは複数のバス１８３５を介して、直接または間接的に、ＵＥ１８１５の他の構成要素と通信していることがある。ＵＥ状態モジュール１８５０またはそれの部分は、プロセッサを含み得、あるいはＵＥ状態モジュール１８５０の機能の一部または全部は、ＵＥプロセッサモジュール１８１０によってまたはＵＥプロセッサモジュール１８１０とともに行われ得る。
【０２１０】
[0237]  ＵＥワイヤレス通信管理モジュール１８６０は、認可無線周波数スペクトル帯域または無認可無線周波数スペクトル帯域上でのワイヤレス通信に関係する図１、図２、図３、図４、図５、図６、図７、図８、図９、図１０、図１１、図１４、または図１５を参照しながら説明したＵＥまたは装置の特徴または機能の一部または全部を行うまたは制御するように構成され得る。例えば、ＵＥワイヤレス通信管理モジュール１８６０は、認可無線周波数スペクトル帯域または無認可無線周波数スペクトル帯域を使用して補助ダウンリンクモード、キャリアアグリゲーションモード、またはスタンドアロンモードをサポートするように構成され得る。ＵＥワイヤレス通信管理モジュール１８６０は、認可無線周波数スペクトル帯域におけるＬＴＥ／ＬＴＥ−Ａ通信を扱うように構成された認可ＲＦスペクトル帯域のためのＵＥ  ＬＴＥ／ＬＴＥ−Ａモジュール１８６５と、無認可無線周波数スペクトル帯域におけるＬＴＥ／ＬＴＥ−Ａ通信を扱うように構成された無認可ＲＦスペクトル帯域のためのＵＥ  ＬＴＥ／ＬＴＥ−Ａモジュール１８７０とを含み得る。ＵＥワイヤレス通信管理モジュール１８６０またはそれの部分は、プロセッサを含み得、あるいはＵＥワイヤレス通信管理モジュール１８６０の機能の一部または全部は、ＵＥプロセッサモジュール１８１０によってまたはＵＥプロセッサモジュール１８１０とともに行われ得る。いくつかの例では、ＵＥワイヤレス通信管理モジュール１８６０は、図１０、図１１、図１４、または図１５を参照しながら説明したワイヤレス通信管理モジュール１０２０、１１２０、１４２０、または１５２０のうちのいずれか１つまたは複数の一例であり得る。
【０２１１】
[0238]  図１９に、本開示の態様による、ワイヤレス通信において使用するための基地局１９０５（例えば、ｅＮＢの一部または全部を形成する基地局）のブロック図１９００を示す。いくつかの例では、装置１９０５は、図１、図２、図６、図７、図８、または図９を参照しながら説明した基地局１０５、２０５、２０６、６０５、７０５、８０５、または９０５の１つまたは複数の態様、あるいは図１２、図１３、図１６、または図１７を参照しながら説明した装置１２０５、１３０５、１６０５、または１７０５の態様の一例であり得る。基地局１９０５は、図１、図２、図３、図４、図５、図６、図７、図８、図９、図１２、図１３、図１６、または図１７を参照しながら説明した基地局の特徴および機能の少なくとも一部を実施するかまたは容易にするように構成され得る。
【０２１２】
[0239]  基地局１９０５は、基地局プロセッサモジュール１９１０、基地局メモリモジュール１９２０、（基地局トランシーバモジュール１９５０によって表される）少なくとも１つの基地局トランシーバモジュール、（基地局アンテナ１９５５によって表される）少なくとも１つの基地局アンテナ、または基地局ワイヤレス通信管理モジュール１９６０を含み得る。基地局１９０５はまた、基地局通信モジュール１９３０またはネットワーク通信モジュール１９４０のうちの１つまたは複数を含み得る。これらの構成要素の各々は、１つまたは複数のバス１９３５上で、直接または間接的に互いと通信していることがある。
【０２１３】
[0240]  基地局メモリモジュール１９２０はＲＡＭまたはＲＯＭを含み得る。基地局メモリモジュール１９２０は、実行されたとき、無認可無線周波数スペクトル帯域を介したサウンディング基準信号、スケジューリング要求、バッファステータス報告、または電力ヘッドルーム報告の構成および受信を含む、ワイヤレス通信に関する本明細書で説明する様々な機能を基地局プロセッサモジュール１９１０に行わせるように構成された命令を含む、コンピュータ可読コンピュータ実行可能コード１９２５を記憶し得る。代替的に、コード１９２５は、基地局プロセッサモジュール１９１０によって直接的に実行可能ではないことがあるが、（例えば、コンパイルされ実行されたとき）本明細書で説明される様々な機能を基地局１９０５に行わせるように構成され得る。
【０２１４】
[0241]  基地局プロセッサモジュール１９１０は、インテリジェントハードウェアデバイス、例えば、ＣＰＵ、マイクロコントローラ、ＡＳＩＣなどを含み得る。基地局プロセッサモジュール１９１０は、基地局トランシーバモジュール１９５０、基地局通信モジュール１９３０、またはネットワーク通信モジュール１９４０を通して受信された情報を処理し得る。基地局プロセッサモジュール１９１０はまた、アンテナ１９５５を通じた送信のためにトランシーバモジュール１９５０に、１つもしくは複数の他の基地局１９０６および１９０７への送信のために基地局通信モジュール１９３０に、あるいは図１を参照しながら説明したコアネットワーク１３０の１つまたは複数の態様の例であり得るコアネットワーク１９４５への送信のためにネットワーク通信モジュール１９４０に送られるべき情報を処理し得る。基地局プロセッサモジュール１９１０は、単独でまたは基地局ワイヤレス通信管理モジュール１９６０とともに、認可無線周波数スペクトル帯域（例えば、無線周波数スペクトル帯域が、ＬＴＥ／ＬＴＥ−Ａ通信のために使用可能な認可無線周波数スペクトル帯域など、いく人かのユーザに認可されているので、装置がアクセスを争わない無線周波数スペクトル帯域）、または無認可無線周波数スペクトル帯域（例えば、無線周波数スペクトル帯域が、Ｗｉ−Ｆｉ用途のような無認可の用途に利用可能であるので、装置がアクセスを争う必要があり得る無線周波数スペクトル帯域）を介して通信すること（あるいはその帯域を介した通信を管理すること）の様々な態様を扱い得る。
【０２１５】
[0242]  基地局トランシーバモジュール１９５０は、パケットを変調し、変調されたパケットを送信のために基地局アンテナ１９５５に与えるために、および、基地局アンテナ１９５５から受信されたパケットを復調するために構成されたモデムを含み得る。基地局トランシーバモジュール１９５０は、いくつかの例では、１つまたは複数の基地局送信機モジュール、および１つまたは複数の別個の基地局受信機モジュールとして実施され得る。基地局トランシーバモジュール１９５０は、認可無線周波数スペクトル帯域または無認可無線周波数スペクトル帯域における通信をサポートし得る。基地局トランシーバモジュール１９５０は、図１、図２、図６、図７、図８、図９、または図１８を参照しながら説明したＵＥ１１５、２１５、２１６、２１７、２１８、６１５、７１５、８１５、９１５または１８１５のうちの１つまたは複数、あるいは図１０、図１１、図１４、または図１５を参照しながら説明した装置１０１５、１１１５、１４１５、または１５１５のうちの１つまたは複数など、１つまたは複数のＵＥまたは装置と、アンテナ１９５５を介して双方向に通信するように構成され得る。基地局１９０５は、例えば、複数の基地局アンテナ１９５５（例えば、アンテナアレイ）を含み得る。基地局１９０５は、ネットワーク通信モジュール１９４０を通してコアネットワーク１９４５と通信し得る。基地局１９０５はまた、基地局通信モジュール１９３０を使用して、基地局１９０６および１９０７などの他の基地局と通信し得る。
【０２１６】
[0243]  基地局ワイヤレス通信管理モジュール１９６０は、認可無線周波数スペクトル帯域または無認可無線周波数スペクトル帯域上でのワイヤレス通信に関係する図１、図２、図３、図４、図５、図６、図７、図８、図９、図１２、図１３、図１６、または図１７を参照しながら説明した特徴または機能の一部または全部を行うまたは制御するように構成され得る。例えば、基地局ワイヤレス通信管理モジュール１９６０は、認可無線周波数スペクトル帯域または無認可無線周波数スペクトル帯域を使用して補助ダウンリンクモード、キャリアアグリゲーションモード、またはスタンドアロンモードをサポートするように構成され得る。基地局ワイヤレス通信管理モジュール１９６０は、認可無線周波数スペクトル帯域におけるＬＴＥ／ＬＴＥ−Ａ通信を扱うように構成された認可ＲＦスペクトル帯域のための基地局ＬＴＥ／ＬＴＥ−Ａモジュール１９６５と、無認可無線周波数スペクトル帯域におけるＬＴＥ／ＬＴＥ−Ａ通信を扱うように構成された無認可ＲＦスペクトル帯域のための基地局ＬＴＥ／ＬＴＥ−Ａモジュール１９７０とを含み得る。基地局ワイヤレス通信管理モジュール１９６０、またはそれの部分はプロセッサを含み得、あるいは基地局ワイヤレス通信管理モジュール１９６０の機能の一部または全部は、基地局プロセッサモジュール１９１０によって行われるか、または基地局プロセッサモジュール１９１０とともに行われ得る。いくつかの例では、基地局ワイヤレス通信管理モジュール１９６０は、図１２、図１３、図１６、または図１７を参照しながら説明したワイヤレス通信管理モジュール１２２０、１３２０、１６２０、または１７２０のうちのいずれか１つまたは複数の一例であり得る。
【０２１７】
[0244]  図２０は、本開示の態様による、基地局２００５とＵＥ２０１５とを含む多入力多出力（ＭＩＭＯ）通信システム２０００のブロック図である。ＭＩＭＯ通信システム２０００は、図１または図２を参照しながら説明したワイヤレス通信システム１００または２００の態様を示し得る。基地局２００５は、図１、図２、図６、図７、図８、図９、または図１９を参照しながら説明した基地局１０５、２０５、２０６、６０５、７０５、８０５、９０５、または１９０５の態様、あるいは図１２、図１３、図１６、または図１７を参照しながら説明した装置１２０５、１３０５、１６０５、または１７０５の態様の一例であり得る。基地局２００５はアンテナ２０３４〜２０３５を装備し得、ＵＥ２０１５はアンテナ２０５２〜２０５３を装備し得る。ＭＩＭＯ通信システム２０００では、基地局２００５は、同時に複数の通信リンクを介してデータを送ることが可能であり得る。各通信リンクは「レイヤ」と呼ばれることがあり、通信リンクの「ランク」は、通信のために使用されるレイヤの数を示し得る。例えば、基地局２００５が２つの「レイヤ」を送信する２×２ＭＩＭＯ通信システムでは、基地局２００５とＵＥ２０１５との間の通信リンクのランクは２である。
【０２１８】
[0245]  基地局２００５において、送信（Ｔｘ）プロセッサ２０２０は、データソースからデータを受信し得る。送信プロセッサ２０２０は、データを処理し得る。送信プロセッサ２０２０はまた、制御シンボルまたは基準シンボルを生成し得る。送信（Ｔｘ）ＭＩＭＯプロセッサ２０３０は、適用可能な場合はデータシンボル、制御シンボル、または基準シンボルに対して空間処理（例えば、プリコーディング）を行い得、出力シンボルストリームを変調器／復調器（Ｍｏｄ．／Ｄｅｍｏｄ．）モジュール２０３２〜２０３３に与え得る。各変調器／復調器モジュール２０３２〜２０３３は、出力サンプルストリームを取得するために、（例えば、ＯＦＤＭなどのために）それぞれの出力シンボルストリームを処理し得る。各変調器／復調器モジュール２０３２〜２０３３はさらに、ＤＬ信号を取得するために、出力サンプルストリームを処理（例えば、アナログへの変換、増幅、フィルタ処理、およびアップコンバート）し得る。一例では、変調器／復調器モジュール２０３２〜２０３３からのＤＬ信号は、それぞれアンテナ２０３４〜２０３５を介して送信され得る。
【０２１９】
[0246]  ＵＥ２０１５は、図１、図２、図６、図７、図８、図９、または図１８を参照しながら説明したＵＥ１１５、２１５、２１６、２１７、２１８、６１５、７１５、８１５、９１５、または１８１５の態様、あるいは図１０、図１１、図１４、または図１５を参照しながら説明した装置１０１５、１１１５、１４１５、または１５１５の態様の一例であり得る。ＵＥ２０１５において、ＵＥアンテナ２０５２〜２０５３は、基地局２００５からＤＬ信号を受信し得、受信信号をそれぞれ変調器／復調器（Ｍｏｄ．／Ｄｅｍｏｄ．）モジュール２０５４〜２０５５に与え得る。各変調器／復調器モジュール２０５４〜２０５５は、入力サンプルを取得するために、それぞれの受信信号を調整（例えば、フィルタ処理、増幅、ダウンコンバート、およびデジタル化）し得る。各変調器／復調器モジュール２０５４〜２０５５はさらに、受信シンボルを取得するために、（例えば、ＯＦＤＭなどのために）入力サンプルを処理し得る。ＭＩＭＯ検出器２０５６は、全ての変調器／復調器モジュール２０５４〜２０５５から受信シンボルを取得し、適用可能な場合は受信シンボルに対してＭＩＭＯ検出を行い、検出されたシンボルを与え得る。受信（Ｒｘ）プロセッサ２０５８は、検出されたシンボルを処理（例えば、復調、デインターリーブ、および復号）し、ＵＥ２０１５のための復号されたデータをデータ出力に与え、復号された制御情報をプロセッサ２０８０、またはメモリ２０８２に与え得る。
【０２２０】
[0247]  プロセッサ２０８０は、場合によっては、ＵＥワイヤレス通信管理モジュール２０８４をインスタンス化するための記憶された命令を実行し得る。ＵＥワイヤレス通信管理モジュール２０８４は、図１０、図１１、図１４、図１５、または図１８を参照しながら説明したワイヤレス通信管理モジュール１０２０、１１２０、１４２０、１５２０、または１８６０の態様の一例であり得る。
【０２２１】
[0248]  アップリンク（ＵＬ）上で、ＵＥ２０１５において、送信プロセッサ２０６４は、データソースからデータを受信し、処理し得る。送信プロセッサ２０６４はまた、基準信号のための基準シンボルを生成し得る。送信プロセッサ２０６４からのシンボルは、適用可能な場合は送信ＭＩＭＯプロセッサ２０６６によってプリコードされ、さらに（例えば、ＳＣ−ＦＤＭＡなどのために）変調器／復調器モジュール２０５４〜２０５５によって処理され、基地局２００５から受信された送信パラメータに従って基地局２００５に送信され得る。基地局２００５において、ＵＥ２０１５からのＵＬ信号がアンテナ２０３４〜２０３５によって受信され、変調器／復調器モジュール２０３２〜２０３３によって処理され、適用可能な場合はＭＩＭＯ検出器２０３６によって検出され、受信プロセッサ２０３８によってさらに処理され得る。受信プロセッサ２０３８は、復号されたデータをデータ出力とプロセッサ２０４０またはメモリ２０４２とに与え得る。
【０２２２】
[0249]  プロセッサ２０４０は、場合によっては、基地局ワイヤレス通信管理モジュール２０８６をインスタンス化するための記憶された命令を実行し得る。基地局ワイヤレス通信管理モジュール２０８６は、図１２、図１３、図１６、図１７、または図１９を参照しながら説明したワイヤレス通信管理モジュール１２２０、１３２０、１６２０、１７２０、または１９６０の態様の一例であり得る。
【０２２３】
[0250]  ＵＥ２０１５の構成要素は、ハードウェアにおいて適用可能な機能の一部または全部を行うように適応された１つまたは複数のＡＳＩＣを用いて、個別にまたは集合的に実施され得る。言及されたモジュールの各々は、ＭＩＭＯ通信システム２０００の動作に関係する１つまたは複数の機能を行うための手段であり得る。同様に、基地局２００５の構成要素は、ハードウェアにおいて適用可能な機能の一部または全部を行うように適応された１つまたは複数のＡＳＩＣを用いて、個別にまたは集合的に実施され得る。言及された構成要素の各々は、ＭＩＭＯ通信システム２０００の動作に関係する１つまたは複数の機能を行うための手段であり得る。
【０２２４】
[0251]  図２１は、本開示の態様による、ワイヤレス通信のための例示的な方法２１００を示すフローチャートである。明快のために、例示的な方法２１００について、図１、図２、図６、図７、図８、図９、図１８、または図２０を参照しながら説明したＵＥ１１５、２１５、２１６、２１７、２１８、６１５、７１５、８１５、９１５、１８１５、または２０１５のうちの１つまたは複数の態様、あるいは図１０、図１１、図１４、または図１５を参照しながら説明した装置１０１５、１１１５、１４１５、または１５１５のうちの１つまたは複数の態様に関して以下で説明する。いくつかの例では、ＵＥまたは装置は、以下で説明される機能を行うようにＵＥまたは装置の機能要素を制御するためのコードの１つまたは複数のセットを実行し得る。追加または代替として、ＵＥまたは装置は、専用ハードウェアを使用して以下で説明される機能のうちの１つまたは複数を行い得る。
【０２２５】
[0252]  ブロック２１０５において、例示的な方法２１００は、基地局から、サウンディング基準信号のために割り振られた無認可無線周波数スペクトル帯域の１つまたは複数のアップリンクインターレースのセットの指示を受信することを含み得る。無認可無線周波数スペクトル帯域は、無線周波数スペクトル帯域がＷｉ−Ｆｉ用途などの無認可の用途に利用可能であるので送信装置がアクセスを求めて競合する必要があり得る無線周波数スペクトル帯域を含み得る。無認可無線周波数スペクトル帯域のインターレースは、いくつかの例では、図４を参照しながら説明したように構成され得る。ブロック２１０５における動作は、図１０、図１１、図１４、図１５、図１８、または図２０を参照しながら説明したワイヤレス通信管理モジュール１０２０、１１２０、１４２０、１５２０、１８６０、または２０８４、あるいは図１０または図１１を参照しながら説明したＳＲＳ構成モジュール１０３５または１１３５を使用して行われ得る。
【０２２６】
[0253]  ブロック２１１０において、例示的な方法２１００は、無認可無線周波数スペクトル帯域の１つまたは複数のアップリンクインターレースの指示されたセットを介してＵＥのためのサウンディング基準信号を送信することを含み得る。ブロック２１１０における動作は、図１０、図１１、図１４、図１５、図１８、または図２０を参照しながら説明したワイヤレス通信管理モジュール１０２０、１１２０、１４２０、１５２０、１８６０、または２０８４、あるいは図１０または図１１を参照しながら説明したＳＲＳ送信管理モジュール１０４０または１１４０を使用して行われ得る。
【０２２７】
[0254]  従って、例示的な方法２１００はワイヤレス通信を提供し得る。例示的な方法２１００は一実施形態にすぎず、例示的な方法２１００の動作は、他の実施形態が可能であるように再構成されるか、または場合によっては修正され得ることに留意されたい。
【０２２８】
[0255]  図２２は、本開示の態様による、ワイヤレス通信のための例示的な方法２２００を示すフローチャートである。明快のために、例示的な方法２２００について、図１、図２、図６、図７、図１８、または図２０を参照しながら説明したＵＥ１１５、２１５、２１６、２１７、２１８、６１５、７１５、１８１５、または２０１５のうちの１つまたは複数の態様、あるいは図１０、図１１、図１４、または図１５を参照しながら説明した装置１０１５、１１１５、１４１５、または１５１５のうちの１つまたは複数の態様に関して以下で説明する。いくつかの例では、ＵＥまたは装置は、以下で説明される機能を行うようにＵＥまたは装置の機能要素を制御するためのコードの１つまたは複数のセットを実行し得る。追加または代替として、ＵＥまたは装置は、専用ハードウェアを使用して以下で説明される機能のうちの１つまたは複数を行い得る。
【０２２９】
[0256]  ブロック２２０５において、例示的な方法２２００は、基地局から、サウンディング基準信号のために割り振られた無認可無線周波数スペクトル帯域の１つまたは複数のアップリンクインターレースのセットの指示を受信することを含み得る。無認可無線周波数スペクトル帯域は、無線周波数スペクトル帯域がＷｉ−Ｆｉ用途などの無認可の用途に利用可能であるので送信装置がアクセスを求めて競合する必要があり得る無線周波数スペクトル帯域を含み得る。無認可無線周波数スペクトル帯域のインターレースは、いくつかの例では、図４を参照しながら説明したように構成され得る。図５を参照しながら説明したように、各インターレースは、複数のリソースブロックを含み得、各リソースブロックは、複数のサブキャリア（またはトーン）を含み得る。
【０２３０】
[0257]  第１の例では、サウンディング基準信号のために割り振られた１つまたは複数のアップリンクインターレースのセットは、コンポーネントキャリア帯域幅中にアップリンクインターレースの全てを含み得る。第２の例では、サウンディング基準信号のために割り振られた１つまたは複数のアップリンクインターレースのセットは、コンポーネントキャリア帯域幅中に単一のアップリンクインターレース（例えば、単一のＰＵＳＣＨインターレース）を含み得る。第３の例では、サウンディング基準信号のために割り振られた１つまたは複数のアップリンクインターレースのセットは、コンポーネントキャリア帯域幅中に２つ以上のアップリンクインターレースのグループを含み得る。第１の例は、シンボルごとの周波数領域多重化オプションを減少させ、従って、時間領域多重化オプションに対する信頼性を増加させ得る。これは、ＵＥの電力消費量を改善し得るが、時間内の送信機会がより少なくなるという犠牲がある。第２の例は、シンボルごとの周波数領域多重化オプションを増加させ得るが、特定のアップリンクインターレース上でのサウンディング基準信号の送信間のＵＥの時間間隔を増加させ得る。第３の例は、シンボルごとの周波数領域多重化オプションと特定のアップリンクインターレース上でのサウンディング基準信号の送信間のＵＥの時間間隔との間に構成可能な平衡をもたらす。いくつかの例では、基地局は、サウンディング基準信号のために割り振られた１つまたは複数のアップリンクインターレースのセットを動的にまたは半静的に選択または変更し得る。
【０２３１】
[0258]  いくつかの例では、サウンディング基準信号のために割り振られた１つまたは複数のアップリンクインターレースのセット中に含まれるアップリンクインターレースの数は、基地局と例示的な方法２２００を行うＵＥまたは装置との間の距離に少なくとも部分的に基づくか、あるいはＵＥまたは装置の送信電力に少なくとも部分的に基づき得る。
【０２３２】
[0259]  ブロック２２０５における動作は、図１０、図１１、図１４、図１５、図１８、または図２０を参照しながら説明したワイヤレス通信管理モジュール１０２０、１１２０、１４２０、１５２０、１８６０、または２０８４、図１０または図１１を参照しながら説明したＳＲＳ構成モジュール１０３５または１１３５、あるいは図１１を参照しながら説明したロケーション構成モジュール１１４５または周波数ロケーション構成モジュール１１５０を使用して行われ得る。
【０２３３】
[0260]  ブロック２２１０において、例示的な方法２２００は、基地局から、サウンディング基準信号が送信され得るアップリンクサブフレームの指示を受信することを含み得る。いくつかの例では、アップリンクサブフレームは、アップリンク送信期間の第１のアップリンクサブフレームまたは最後のアップリンクサブフレーム（例えば、図３中のサブフレームＳＦ７またはＳＦ９）であり得る。いくつかの例では、基地局は、サウンディング基準信号が送信されるべきアップリンクサブフレームを動的にまたは半静的に選択または変更し得る。
【０２３４】
[0261]  ブロック２２１５において、例示的な方法２２００は、基地局から、サウンディング基準信号が送信されるべきアップリンクサブフレームのシンボルの指示を受信することを含み得る。第１の例では、シンボルは、アップリンク送信期間の第１のアップリンクサブフレームの第１のシンボルを含み得る。第２の例では、シンボルは、アップリンク送信期間の最後のアップリンクサブフレームの第１のシンボルを含み得る。第３の例では、シンボルは、アップリンク送信期間の最後のアップリンクサブフレームの最後のシンボルを含み得る。第１の例は、より早い時間に基地局にサウンディング基準信号を与え得るが、例示的な方法２２００を行うＵＥまたは装置が、無認可無線周波数スペクトル帯域へのアクセスを求める競合にまだ勝っていないので、サウンディング基準信号が送信されないことがあるというリスクと、無認可無線周波数スペクトル帯域へのアクセスを求めて競合する他のノード（例えば、基地局に近接するノード）によるアクティビティが、サウンディング基準信号の基地局の受信に干渉し得るというリスクとがある。第２の例と第３の例とは、第１の例のリスクを低減するが、サウンディング基準信号が同じ事業者展開の他のＵＥまたは装置の送信によって干渉される可能性を増加させ得る。いくつかの例では、シンボルの指示は、アップリンクサブフレームの第１のシンボルまたはアップリンクサブフレームの最後のシンボルのうちの１つまたは複数の指示を含み得る。いくつかの例では、基地局は、サウンディング基準信号が送信されるべきシンボルを動的にまたは半静的に選択または変更し得る。
【０２３５】
[0262]  ブロック２２１０または２２１５における動作は、図１０、図１１、図１４、図１５、図１８、または図２０を参照しながら説明したワイヤレス通信管理モジュール１０２０、１１２０、１４２０、１５２０、１８６０、または２０８４、図１０または図１１を参照しながら説明したＳＲＳ構成モジュール１０３５または１１３５、あるいは図１１を参照しながら説明したロケーション構成モジュール１１４５または時間ロケーション構成モジュール１１５５を使用して行われ得る。
【０２３６】
[0263]  ブロック２２２０において、例示的な方法２２００は、１つまたは複数のアップリンクインターレースのセットの中から、サウンディング基準信号を送信するためのサブキャリアのセットを識別することを含み得る。第１の例では、サブキャリアのセットは、１つまたは複数のアップリンクインターレースのセットに関連するサブキャリアの各々を含み得る。第２の例では、サブキャリアのセットは、サブキャリアのサブセット（例えば、周波数トーンインターレースまたは周波数コム）を含み得、サブキャリアのサブセットは、例示的な方法２２００を行うＵＥまたは装置に関連付けられる。シンボルの半分の出力を測定すれば十分であり得るので、第１の例は電力ランプにより耐性があり得る。ただし、サウンディング基準信号シーケンスのためのＤＦＴ長さの選定によっては、新しい長さのサウンディング基準信号シーケンスが必要とされ得る（例えば、長さが６のＣＧＳ）。いくつかの例では、サブキャリアのセットの指示は、基地局から受信され得る。いくつかの例では、基地局は、サウンディング基準信号を送信するためのサブキャリアを動的にまたは半静的に選択または変更し得る。ブロック２２１０または２２１５における動作は、図１０、図１１、図１４、図１５、図１８、または図２０を参照しながら説明したワイヤレス通信管理モジュール１０２０、１１２０、１４２０、１５２０、１８６０、または２０８４、図１０または図１１を参照しながら説明したＳＲＳ構成モジュール１０３５または１１３５、あるいは図１１を参照しながら説明したロケーション構成モジュール１１４５または周波数ロケーション構成モジュール１１５０を使用して行われ得る。
【０２３７】
[0264]  ブロック２２２５において、例示的な方法２２００は、サウンディング基準信号のためのサウンディング基準信号シーケンスを決定することを含み得る。いくつかの例では、サウンディング基準信号シーケンスを決定することは、１つまたは複数のアップリンクインターレースのセット内のリソースブロックのロケーションに少なくとも部分的に基づいて１つまたは複数のアップリンクインターレースのセットのリソースブロックのためのサウンディング基準信号シーケンスを決定することを含み得る。いくつかの例では、リソースブロックのためのサウンディング基準信号シーケンスは、リソースブロックに関連するアップリンクインターレースに少なくとも部分的に基づき得る。いくつかの例では、例示的な方法２２００は、ＵＥ識別子またはセル識別子のうちの少なくとも１つを決定することを含み、リソースブロックのためのサウンディング基準信号シーケンスは、ＵＥ識別子またはセル識別子に少なくとも部分的に基づき得る。いくつかの例では、サウンディング基準信号のためのサウンディング基準信号シーケンスは、単一のＰＵＳＣＨインターレースのために使用される同じシーケンス（例えば、リソースブロックごとに長さが１２のＣＧＳ、およびインターレース中に含まれる複数のＲＢにわたる所定のセットのＣＧＳ）を含み得る。ブロック２２２０における動作は、図１０、図１１、図１４、図１５、図１８、または図２０を参照しながら説明したワイヤレス通信管理モジュール１０２０、１１２０、１４２０、１５２０、１８６０、または２０８４、図１０または図１１を参照しながら説明したＳＲＳ構成モジュール１０３５または１１３５、あるいは図１１を参照しながら説明したシーケンス構成モジュール１１６０を使用して行われ得る。
【０２３８】
[0265]  ブロック２２３０において、例示的な方法２２００は、例示的な方法２２００を行うＵＥまたは装置のためのサウンディング基準信号を送信することを含み得る。サウンディング基準信号は、１つまたは複数のアップリンクインターレースの指示されたセットを介して、無認可無線周波数スペクトル帯域の他の構成／選択されたリソース（例えば、指示されたアップリンクサブフレームおよびシンボル、または識別されたサブキャリア）を使用して送信され得る。サウンディング基準信号は、決定されたサウンディング基準信号シーケンスに少なくとも部分的に基づき得る。ブロック２２３０における動作は、図１０、図１１、図１４、図１５、図１８、または図２０を参照しながら説明したワイヤレス通信管理モジュール１０２０、１１２０、１４２０、１５２０、１８６０、または２０８４、あるいは図１０または図１１を参照しながら説明したＳＲＳ送信管理モジュール１０４０または１１４０を使用して行われ得る。
【０２３９】
[0266]  無認可無線周波数スペクトル帯域を介して送信される異なるＬＢＴ無線フレームは、異なるＴＤＤ構成を有することができるので、ブロック２２３０において送信されるサウンディング基準信号は、複数の循環および周期的サウンディング基準信号送信のうちの１つ、または複数の循環および非周期的サウンディング基準信号送信のうちの１つであり得る。ブロック２２３０において送信されるサウンディング基準信号はまた、非周期的サウンディング基準信号送信であり得る。
【０２４０】
[0267]  いくつかの例では、ＵＥは、フレーム中にＰＵＳＣＨを割り振られ得るが、ＰＵＳＣＨ上でサウンディング基準信号を送信する必要がないことがある。これらの例を考慮するために、および無認可無線周波数スペクトル帯域を介した送信における不連続性を回避するために、例示的な方法２２００の一例は、フレーム中にサウンディング基準信号を送信するようにスケジュールされていないＵＥによるサウンディング基準信号送信のために１つまたは複数のアップリンクインターレースのセットが指定されているという指示を基地局から受信することを含み得る。この例では、例示的な方法２２００はまた、フレーム中に基地局にサウンディング基準信号を送信するようにＵＥがスケジュールされていないと決定することと、フレーム中に割り振られたＰＵＳＣＨをＵＥが有すると決定することとを行うことと、次いで、フレーム中に基地局にサウンディング基準信号を送信するようにＵＥがスケジュールされていないとの決定と、フレーム中に割り振られたＰＵＳＣＨをＵＥが有するとの決定とに応答して１つまたは複数のアップリンクインターレースのセットを介してサウンディング基準信号を送信することとを含み得る。フレーム中にサウンディング基準信号を送信するようにスケジュールされていないＵＥによるサウンディング基準信号送信のために１つまたは複数のアップリンクインターレースのセットが指定されているとき、全てのそのようなＵＥ（すなわち、フレーム中にｅＰＵＳＣＨが割り振られているがフレーム中にサウンディング基準信号を送信する必要がない全てのＵＥ）のサウンディング基準信号送信のために１つまたは複数のアップリンクインターレースのセットが使用され得る。いくつかの例では、１つまたは複数のアップリンクインターレースの指定されたセットを介したサウンディング基準信号送信は、基地局によって処理されないことがある。いくつかの例では、１つまたは複数のアップリンクインターレースの指定されたセットを介したＵＥの送信は、他のサウンディング基準信号送信に追従するために周波数ホッピングし得る。
【０２４１】
[0268]  いくつかの例では、ＵＥは、特定のアップリンクインターレースを介して周期的サウンディング基準信号を送信しないことがあるか、あるいは（例えば、無認可無線周波数スペクトル帯域のチャネルが利用できないので）しきい値時間期間内に特定のアップリンクインターレースを介して周期的サウンディング基準信号を送信しないことがある。これらの事例では、チャネルサウンディング中のギャップを充填するために、非周期的サウンディング基準信号が送信され得る。いくつかの例では、基地局は、非周期的サウンディング基準信号を使用してサウンディングされるべきアップリンクインターレースのセットをＵＥに示し得る。いくつかの例では、非周期的サウンディング基準信号を使用してサウンディングされるべきアップリンクインターレースのセットは、ダウンリンク許可またはアップリンク許可中で、あるいはグループ共通のＤＣＩ中で指示され得る。
【０２４２】
[0269]  例示的な方法２２００のいくつかの例では、基地局から受信される指示の各々は、同じ送信の一部としてまたは同じチャネル上で受信され得る。他の例では、指示は、異なる送信の一部としてまたは異なるチャネル上で受信され得る。
【０２４３】
[0270]  従って、例示的な方法２２００はワイヤレス通信を提供し得る。例示的な方法２２００は一実施形態にすぎず、例示的な方法２２００の動作は、他の実施形態が可能であるように再構成されるか、または場合によっては修正され得ることに留意されたい。
【０２４４】
[0271]  図２３は、本開示の態様による、ワイヤレス通信のための例示的な方法２３００を示すフローチャートである。明快のために、例示的な方法２３００について、図１、図２、図６、図７、図８、図９、図１９、または図２０を参照しながら説明した基地局１０５、２０５、２０６、６０５、７０５、８０５、９０５、１９０５、または２００５のうちの１つまたは複数の態様、あるいは図１２、図１３、図１６、または図１７を参照しながら説明した装置１２０５、１３０５、１６０５、または１７０５のうちの１つまたは複数の態様に関して以下で説明する。いくつかの例では、基地局または装置は、以下で説明する機能を行うように基地局または装置の機能要素を制御するためのコードの１つまたは複数のセットを実行し得る。追加または代替として、基地局または装置は、専用ハードウェアを使用して以下で説明される機能のうちの１つまたは複数を行い得る。
【０２４５】
[0272]  ブロック２３０５において、例示的な方法２３００は含み得る。ブロック２３０５における動作は、図１２、図１３、図１６、図１７、図１９、または図２０を参照しながら説明したワイヤレス通信管理モジュール１２２０、１３２０、１６２０、１７２０、１９６０、または２０８４、あるいは図１２または図１３を参照しながら説明したＳＲＳ構成モジュール１２３５または１３３５を使用して行われ得る。
【０２４６】
[0273]  ブロック２３１０において、例示的な方法２３００は、無認可無線周波数スペクトル帯域の１つまたは複数のアップリンクインターレースの指示されたセットを介して基地局においてＵＥのためのサウンディング基準信号を受信することを含み得る。ブロック２３１０における動作は、図１２、図１３、図１６、図１７、図１９、または図２０を参照しながら説明したワイヤレス通信管理モジュール１２２０、１３２０、１６２０、１７２０、１９６０、または２０８４、あるいは図１２または図１３を参照しながら説明したＳＲＳ受信管理モジュール１２４０または１３４０を使用して行われ得る。
【０２４７】
[0274]  従って、例示的な方法２３００はワイヤレス通信を提供し得る。例示的な方法２３００は一実施形態にすぎず、例示的な方法２３００の動作は、他の実施形態が可能であるように再構成されるか、または場合によっては修正され得ることに留意されたい。
【０２４８】
[0275]  図２４は、本開示の態様による、ワイヤレス通信のための例示的な方法２４００を示すフローチャートである。明快のために、例示的な方法２４００について、図１、図２、図６、図７、図８、図９、図１９、または図２０を参照しながら説明した基地局１０５、２０５、２０６、６０５、７０５、８０５、９０５、１９０５、または２００５のうちの１つまたは複数の態様、あるいは図１２、図１３、図１６、または図１７を参照しながら説明した装置１２０５、１３０５、１６０５、または１７０５のうちの１つまたは複数の態様に関して以下で説明する。いくつかの例では、基地局または装置は、以下で説明する機能を行うように基地局または装置の機能要素を制御するためのコードの１つまたは複数のセットを実行し得る。追加または代替として、基地局または装置は、専用ハードウェアを使用して以下で説明される機能のうちの１つまたは複数を行い得る。
【０２４９】
[0276]  ブロック２４０５において、例示的な方法２４００は、ＵＥに、サウンディング基準信号のために割り振られた無認可無線周波数スペクトル帯域の１つまたは複数のアップリンクインターレースのセットの指示を送信することを含み得る。無認可無線周波数スペクトル帯域は、無線周波数スペクトル帯域がＷｉ−Ｆｉ用途などの無認可の用途に利用可能であるので送信装置がアクセスを求めて競合する必要があり得る無線周波数スペクトル帯域を含み得る。無認可無線周波数スペクトル帯域のインターレースは、いくつかの例では、図４を参照しながら説明したように構成され得る。図５を参照しながら説明したように、各インターレースは、複数のリソースブロックを含み得、各リソースブロックは、複数のサブキャリア（またはトーン）を含み得る。
【０２５０】
[0277]  第１の例では、サウンディング基準信号のために割り振られた１つまたは複数のアップリンクインターレースのセットは、コンポーネントキャリア帯域幅中にアップリンクインターレースの全てを含み得る。第２の例では、サウンディング基準信号のために割り振られた１つまたは複数のアップリンクインターレースのセットは、コンポーネントキャリア帯域幅中に単一のアップリンクインターレース（例えば、単一のＰＵＳＣＨインターレース）を含み得る。第３の例では、サウンディング基準信号のために割り振られた１つまたは複数のアップリンクインターレースのセットは、コンポーネントキャリア帯域幅中に２つ以上のアップリンクインターレースのグループを含み得る。第１の例は、シンボルごとの周波数領域多重化オプションを減少させ、従って、時間領域多重化オプションに対する信頼性を増加させ得る。これは、ＵＥの電力消費量を改善し得るが、時間内の送信機会がより少なくなるという犠牲がある。第２の例は、シンボルごとの周波数領域多重化オプションを増加させ得るが、特定のアップリンクインターレース上でのサウンディング基準信号の送信間のＵＥの時間間隔を増加させ得る。第３の例は、シンボルごとの周波数領域多重化オプションと特定のアップリンクインターレース上でのサウンディング基準信号の送信間のＵＥの時間間隔との間に構成可能な平衡をもたらす。いくつかの例では、基地局は、サウンディング基準信号のために割り振られた１つまたは複数のアップリンクインターレースのセットを動的にまたは半静的に選択または変更し得る。
【０２５１】
[0278]  いくつかの例では、サウンディング基準信号のために割り振られた１つまたは複数のアップリンクインターレースのセット中に含まれるアップリンクインターレースの数は、基地局とＵＥとの間の距離に少なくとも部分的に基づくか、またはＵＥの送信電力に少なくとも部分的に基づき得る。
【０２５２】
[0279]  ブロック２４０５における動作は、図１２、図１３、図１６、図１７、図１９、または図２０を参照しながら説明したワイヤレス通信管理モジュール１２２０、１３２０、１６２０、１７２０、１９６０、または２０８４、図１２または図１３を参照しながら説明したＳＲＳ構成モジュール１２３５または１３３５、あるいは図１３を参照しながら説明したロケーション構成モジュール１３４５または周波数ロケーション構成モジュール１３５０を使用して行われ得る。
【０２５３】
[0280]  ブロック２４１０において、例示的な方法２４００は、ＵＥに、サウンディング基準信号が受信されるべきアップリンクサブフレームの指示を送信することを含み得る。いくつかの例では、アップリンクサブフレームは、アップリンク送信期間の第１のアップリンクサブフレームまたは最後のアップリンクサブフレーム（例えば、図３中のサブフレームＳＦ７またはＳＦ９）であり得る。いくつかの例では、基地局は、サウンディング基準信号が受信されるべきアップリンクサブフレームを動的にまたは半静的に選択または変更し得る。
【０２５４】
[0281]  ブロック２４１５において、例示的な方法２４００は、ＵＥに、サウンディング基準信号が受信されるべきアップリンクサブフレームのシンボルの指示を送信することを含み得る。第１の例では、シンボルは、アップリンク送信期間の第１のアップリンクサブフレームの第１のシンボルを含み得る。第２の例では、シンボルは、アップリンク送信期間の最後のアップリンクサブフレームの第１のシンボルを含み得る。第３の例では、シンボルは、アップリンク送信期間の最後のアップリンクサブフレームの最後のシンボルを含み得る。第１の例は、より早い時間に基地局にサウンディング基準信号を与え得るが、ＵＥが、無認可無線周波数スペクトル帯域へのアクセスを求める競合にまだ勝っていないので、サウンディング基準信号が送信されないことがあるというリスクと、無認可無線周波数スペクトル帯域へのアクセスを求めて競合する他のノード（例えば、基地局に近接するノード）によるアクティビティが、サウンディング基準信号の基地局の受信に干渉し得るというリスクとがある。第２の例と第３の例とは、第１の例のリスクを低減するが、サウンディング基準信号が同じ事業者展開の他のＵＥの送信によって干渉される可能性を増加させ得る。いくつかの例では、シンボルの指示は、アップリンクサブフレームの第１のシンボルまたはアップリンクサブフレームの最後のシンボルのうちの１つまたは複数の指示を含み得る。いくつかの例では、基地局は、サウンディング基準信号が受信されるべきシンボルを動的にまたは半静的に選択または変更し得る。
【０２５５】
[0282]  ブロック２４１０または２４１５における動作は、図１２、図１３、図１６、図１７、図１９、または図２０を参照しながら説明したワイヤレス通信管理モジュール１２２０、１３２０、１６２０、１７２０、１９６０、または２０８４、図１２または図１３を参照しながら説明したＳＲＳ構成モジュール１２３５または１３３５、あるいは図１３を参照しながら説明したロケーション構成モジュール１３４５または時間ロケーション構成モジュール１３５５を使用して行われ得る。
【０２５６】
[0283]  ブロック２４２０において、例示的な方法２４００は、１つまたは複数のアップリンクインターレースのセットの中から、サウンディング基準信号を受信するためのサブキャリアのセットを識別することを含み得る。第１の例では、サブキャリアのセットは、１つまたは複数のアップリンクインターレースのセットに関連するサブキャリアの各々を含み得る。第２の例では、サブキャリアのセットは、サブキャリアのサブセット（例えば、周波数トーンインターレースまたは周波数コム）を含み得、サブキャリアのサブセットは、ＵＥに関連付けられる。シンボルの半分の出力を測定すれば十分であり得るので、第１の例は電力ランプにより耐性があり得る。ただし、サウンディング基準信号シーケンスのためのＤＦＴ長さの選定によっては、新しい長さのサウンディング基準信号シーケンスが必要とされ得る（例えば、長さが６のＣＧＳ）。いくつかの例では、基地局は、ＵＥに、サブキャリアのセットの指示を送信し得る。いくつかの例では、基地局は、サウンディング基準信号を受信するためのサブキャリアを動的にまたは半静的に選択または変更し得る。ブロック２４２０における動作は、図１２、図１３、図１６、図１７、図１９、または図２０を参照しながら説明したワイヤレス通信管理モジュール１２２０、１３２０、１６２０、１７２０、１９６０、または２０８４、あるいは図１２または図１３を参照しながら説明したＳＲＳ受信管理モジュール１２４０または１３４０、あるいは図１３を参照しながら説明したロケーション構成モジュール１３４５または周波数ロケーション構成モジュール１３５０を使用して行われ得る。
【０２５７】
[0284]  ブロック２４２５において、例示的な方法２４００は、ＵＥのためのサウンディング基準信号を受信することを含み得る。サウンディング基準信号は、１つまたは複数のアップリンクインターレースの指示されたセットを介して、無認可無線周波数スペクトル帯域の他の構成／選択されたリソース（例えば、指示されたアップリンクサブフレームおよびシンボル、または識別されたサブキャリア）を使用して受信され得る。サウンディング基準信号は、サウンディング基準信号シーケンスに少なくとも部分的に基づき得る。ブロック２４２５における動作は、図１２、図１３、図１６、図１７、図１９、または図２０を参照しながら説明したワイヤレス通信管理モジュール１２２０、１３２０、１６２０、１７２０、１９６０、または２０８４、あるいは図１２または図１３を参照しながら説明したＳＲＳ受信管理モジュール１２４０または１３４０を使用していることがある。
【０２５８】
[0285]  例示的な方法２４００のいくつかの例では、１つまたは複数のアップリンクインターレースのセットのリソースブロックのためのサウンディング基準信号シーケンスは、１つまたは複数のアップリンクインターレースのセット内のリソースブロックのロケーションに少なくとも部分的に基づき得る。いくつかの例では、リソースブロックのためのサウンディング基準信号シーケンスは、リソースブロックに関連するアップリンクインターレースに少なくとも部分的に基づき得る。いくつかの例では、リソースブロックのためのサウンディング基準信号シーケンスは、ＵＥ識別子またはセル識別子に少なくとも部分的に基づき得る。
【０２５９】
[0286]  無認可無線周波数スペクトル帯域を介して受信される異なるＬＢＴ無線フレームは、異なるＴＤＤ構成を有することができるので、ブロック２４２５において受信されるサウンディング基準信号は、複数の循環および周期的サウンディング基準信号送信のうちの１つ、または複数の循環および非周期的サウンディング基準信号送信のうちの１つであり得る。ブロック２４２５において受信されるサウンディング基準信号はまた、非周期的サウンディング基準信号送信であり得る。
【０２６０】
[0287]  いくつかの例では、ＵＥは、フレーム中にＰＵＳＣＨを割り振られ得るが、ＰＵＳＣＨ上でサウンディング基準信号を送信する必要がないことがある。これらの例を考慮するために、および無認可無線周波数スペクトル帯域を介した送信における不連続性を回避するために、例示的な方法２４００の一例は、ＵＥに、フレーム中にサウンディング基準信号を送信するようにスケジュールされていないＵＥによるサウンディング基準信号送信のために１つまたは複数のアップリンクインターレースのセットが指定されているという指示を送信することを含み得る。
【０２６１】
[0288]  いくつかの例では、ＵＥは、特定のアップリンクインターレースを介して周期的サウンディング基準信号を送信しないことがあるか、あるいは（例えば、無認可無線周波数スペクトル帯域のチャネルが利用できないので）しきい値時間期間内に特定のアップリンクインターレースを介して周期的サウンディング基準信号を送信しないことがある。これらの事例では、ＵＥは、チャネルサウンディング中のギャップを充填するために、非周期的サウンディング基準信号を送信し得る。いくつかの例では、基地局は、非周期的サウンディング基準信号を使用してサウンディングされるべきアップリンクインターレースのセットをＵＥに示し得る。いくつかの例では、非周期的サウンディング基準信号を使用してサウンディングされるべきアップリンクインターレースのセットは、ダウンリンク許可またはアップリンク許可中で、あるいはグループ共通のＤＣＩ中で指示され得る。
【０２６２】
[0289]  例示的な方法２４００のいくつかの例では、ＵＥに送信される指示の各々は、同じ送信の一部としてまたは同じチャネル上で送信され得る。他の例では、指示は、異なる送信の一部としてまたは異なるチャネル上で送信され得る。
【０２６３】
[0290]  従って、例示的な方法２４００はワイヤレス通信を提供し得る。例示的な方法２４００は一実施形態にすぎず、例示的な方法２４００の動作は、他の実施形態が可能であるように再構成されるか、または場合によっては修正され得ることに留意されたい。
【０２６４】
[0291]  図２５は、本開示の態様による、ワイヤレス通信のための例示的な方法２５００を示すフローチャートである。明快のために、例示的な方法２５００について、図１、図２、図６、図７、図８、図９、図１８、または図２０を参照しながら説明したＵＥ１１５、２１５、２１６、２１７、２１８、６１５、７１５、８１５、９１５、１８１５、または２０１５のうちの１つまたは複数の態様、あるいは図１０、図１１、図１４、または図１５を参照しながら説明した装置１０１５、１１１５、１４１５、または１５１５のうちの１つまたは複数の態様に関して以下で説明する。いくつかの例では、ＵＥまたは装置は、以下で説明される機能を行うようにＵＥまたは装置の機能要素を制御するためのコードの１つまたは複数のセットを実行し得る。追加または代替として、ＵＥまたは装置は、専用ハードウェアを使用して以下で説明される機能のうちの１つまたは複数を行い得る。
【０２６５】
[0292]  ブロック２５０５において、例示的な方法２５００は、ＰＵＣＣＨ送信のために割り振られた無認可無線周波数スペクトル帯域のインターレースの指示を受信することを含み得る。無認可無線周波数スペクトル帯域は、無線周波数スペクトル帯域がＷｉ−Ｆｉ用途などの無認可の用途に利用可能であるので送信装置がアクセスを求めて競合する必要があり得る無線周波数スペクトル帯域を含み得る。無認可無線周波数スペクトル帯域のインターレースは、いくつかの例では、図４を参照しながら説明したように構成され得る。ブロック２５０５における動作は、図１０、図１１、図１４、図１５、図１８、または図２０を参照しながら説明したワイヤレス通信管理モジュール１０２０、１１２０、１４２０、１５２０、１８６０、または２０８４、あるいは図１４または図１５を参照しながら説明したインターレース割振り管理モジュール１４３５または１５３５を使用して行われ得る。
【０２６６】
[0293]  ブロック２５１０において、例示的な方法２５００は、指示されたインターレースを介してスケジューリング要求とバッファステータス報告とを送信することを含み得る。ブロック２５１０における動作は、図１０、図１１、図１４、図１５、図１８、または図２０を参照しながら説明したワイヤレス通信管理モジュール１０２０、１１２０、１４２０、１５２０、１８６０、または２０８４、あるいは図１４または図１５を参照しながら説明したスケジューリング要求準備モジュール１４４０もしくは１５４０、バッファステータス報告準備モジュール１４４５もしくは１５４５、または送信管理モジュール１４５０もしくは１５５０を使用して行われ得る。
【０２６７】
[0294]  従って、例示的な方法２５００はワイヤレス通信を提供し得る。例示的な方法２５００は一実施形態にすぎず、例示的な方法２５００の動作は、他の実施形態が可能であるように再構成されるか、または場合によっては修正され得ることに留意されたい。
【０２６８】
[0295]  図２６は、本開示の態様による、ワイヤレス通信のための例示的な方法２６００を示すフローチャートである。明快のために、例示的な方法２６００について、図１、図２、図６、図７、図８、図９、図１８、または図２０を参照しながら説明したＵＥ１１５、２１５、２１６、２１７、２１８、６１５、７１５、８１５、９１５、１８１５、または２０１５のうちの１つまたは複数の態様、あるいは図１４または図１５を参照しながら説明した装置１０１５、１１１５、１４１５、または１５１５のうちの１つまたは複数の態様に関して以下で説明する。いくつかの例では、ＵＥまたは装置は、以下で説明される機能を行うようにＵＥまたは装置の機能要素を制御するためのコードの１つまたは複数のセットを実行し得る。追加または代替として、ＵＥまたは装置は、専用ハードウェアを使用して以下で説明される機能のうちの１つまたは複数を行い得る。
【０２６９】
[0296]  ブロック２６０５において、例示的な方法２６００は、ＰＵＣＣＨ送信のために割り振られた無認可無線周波数スペクトル帯域のインターレースの指示を受信することを含み得る。無認可無線周波数スペクトル帯域は、無線周波数スペクトル帯域がＷｉ−Ｆｉ用途などの無認可の用途に利用可能であるので送信装置がアクセスを求めて競合する必要があり得る無線周波数スペクトル帯域を含み得る。無認可無線周波数スペクトル帯域のインターレースは、いくつかの例では、図４を参照しながら説明したように構成され得る。ブロック２６０５における動作は、図１０、図１１、図１４、図１５、図１８、または図２０を参照しながら説明したワイヤレス通信管理モジュール１０２０、１１２０、１４２０、１５２０、１８６０、または２０８４、あるいは図１４または図１５を参照しながら説明したインターレース割振り管理モジュール１４３５または１５３５を使用して行われ得る。
【０２７０】
[0297]  ブロック２６１０において、例示的な方法２６００は、スケジューリング要求とバッファステータス報告とを準備することと、随意に、電力ヘッドルーム報告を準備することとを含み得る。スケジューリング要求は、いくつかの例では、スケジューリング要求が行われているかどうかを示す単一ビットであり得る。バッファステータス報告は、いくつかの例では、短いバッファステータス報告（例えば、６ビットの報告）または長いバッファステータス報告（例えば、２４ビットの報告）の形態をとり得る。電力ヘッドルーム報告は、いくつかの例では、６ビット報告であり得る。ブロック２６１０における動作は、図１０、図１１、図１４、図１５、図１８、または図２０を参照しながら説明したワイヤレス通信管理モジュール１０２０、１１２０、１４２０、１５２０、１８６０、または２０８４、図１４または図１５を参照しながら説明したスケジューリング要求準備モジュール１４４０もしくは１５４０またはバッファステータス報告準備モジュール１４４５もしくは１５４５、あるいは図１５を参照しながら説明した電力ヘッドルーム報告準備モジュール１５５５を使用して行われ得る。
【０２７１】
[0298]  ブロック２６１５において、例示的な方法２６００は、スケジューリング要求とバッファステータス報告と、随意に、電力ヘッドルーム報告とを送信するために複数のあらかじめ定義されたＰＵＣＣＨフォーマットのうちの１つを選択することを含み得る。短いバッファステータス報告の場合、選択されるＰＵＣＣＨフォーマットは、いくつかの例では、フォーマット１ｂであり得る。いくつかの例では、ＰＵＣＣＨフォーマットは、指示されたインターレースを介して送信されるべきペイロードのサイズに、またはバッファステータス報告のサイズに少なくとも部分的に基づいて選択され得る。ブロック２６１５における動作は、図１０、図１１、図１４、図１５、図１８、または図２０を参照しながら説明したワイヤレス通信管理モジュール１０２０、１１２０、１４２０、１５２０、１８６０、または２０８４、図１４または図１５を参照しながら説明した送信管理モジュール１４５０または１５５０、あるいは図１５を参照しながら説明したＰＵＣＣＨフォーマット選択モジュール１５６０を使用して行われ得る。
【０２７２】
[0299]  ブロック２６２０において、例示的な方法２６００は、少なくともスケジューリング要求とバッファステータス報告とについて、および随意に、電力ヘッドルーム報告についての巡回冗長検査を生成することを含み得る。いくつかの例では、例示的な方法２６００は、（例えば、スケジューリング要求と、バッファステータス報告と、随意に、電力ヘッドルーム報告とを考慮した後に）指示されたインターレース中のビットの残りの数に少なくとも部分的に基づいて巡回冗長検査のサイズを調整することを含み得る。ブロック２６２０における動作は、図１０、図１１、図１４、図１５、図１８、または図２０を参照しながら説明したワイヤレス通信管理モジュール１０２０、１１２０、１４２０、１５２０、１８６０、または２０８４、図１４または図１５を参照しながら説明した送信管理モジュール１４５０または１５５０、あるいは図１５を参照しながら説明した巡回冗長検査生成モジュール１５６５を使用して行われ得る。
【０２７３】
[0300]  ブロック２６２５において、例示的な方法２６００は、指示されたインターレースを介してスケジューリング要求とバッファステータス報告とを送信することと、随意に、指示されたインターレースを介してスケジューリング要求とバッファステータス報告とともに電力ヘッドルーム報告、論理グループ識別子、または巡回冗長検査を送信することとを含み得る。スケジューリング報告、バッファステータス報告、または電力ヘッドルーム報告は、複数のあらかじめ定義されたＰＵＣＣＨフォーマットのうちの選択された１つを使用して送信され得る。ブロック２６２５における動作は、図１０、図１１、図１４、図１５、図１８、または図２０を参照しながら説明したワイヤレス通信管理モジュール１０２０、１１２０、１４２０、１５２０、１８６０、または２０８４、図１４または図１５を参照しながら説明した送信管理モジュール１４５０または１５５０、あるいは図１５を参照しながら説明した論理グループ識別子管理モジュール１５７０を使用して行われ得る。
【０２７４】
[0301]  いくつかの例では、例示的な方法２６００は、指示されたインターレースを介したスケジューリング要求とバッファ状態要求と（随意に、電力ヘッドルーム報告、論理グループ識別子、または巡回冗長検査と）の送信をアップリンク制御情報（ＵＣＩ）の送信と多重化することを含み得る。いくつかの例では、ＵＣＩは、肯定応答（ＡＣＫ）、否定応答（ＮＡＫ）、またはいくつかのチャネル品質インジケータ（ＣＱＩ）報告のうちの少なくとも１つを含み得る。
【０２７５】
[0302]  従って、例示的な方法２６００はワイヤレス通信を提供し得る。例示的な方法２６００は一実施形態にすぎず、例示的な方法２６００の動作は、他の実施形態が可能であるように再構成されるか、または場合によっては修正され得ることに留意されたい。
【０２７６】
[0303]  図２７は、本開示の態様による、ワイヤレス通信のための例示的な方法２７００を示すフローチャートである。明快のために、例示的な方法２７００について、図１、図２、図６、図７、図８、図９、図１９、または図２０を参照しながら説明した基地局１０５、２０５、２０６、６０５、７０５、８０５、９０５、１９０５、または２００５のうちの１つまたは複数の態様、あるいは図１２、図１３、図１６、または図１７を参照しながら説明した装置１２０５、１３０５、１６０５、または１７０５のうちの１つまたは複数の態様に関して以下で説明する。いくつかの例では、基地局または装置は、以下で説明する機能を行うように基地局または装置の機能要素を制御するためのコードの１つまたは複数のセットを実行し得る。追加または代替として、基地局または装置は、専用ハードウェアを使用して以下で説明される機能のうちの１つまたは複数を行い得る。
【０２７７】
[0304]  ブロック２７０５において、例示的な方法２７００は、ＰＵＣＣＨ送信のためにＵＥに無認可無線周波数スペクトル帯域のインターレースの指示を送信することを含み得る。無認可無線周波数スペクトル帯域は、無線周波数スペクトル帯域がＷｉ−Ｆｉ用途などの無認可の用途に利用可能であるので送信装置がアクセスを求めて競合する必要があり得る無線周波数スペクトル帯域を含み得る。無認可無線周波数スペクトル帯域のインターレースは、いくつかの例では、図４を参照しながら説明したように構成され得る。ブロック２７０５における動作は、図１２、図１３、図１６、図１７、図１９、または図２０を参照しながら説明したワイヤレス通信管理モジュール１２２０、１３２０、１６２０、１７２０、１９６０、または２０８４、あるいは図１６または図１７を参照しながら説明したインターレース割振り管理モジュール１６３５または１７３５を使用して行われ得る。
【０２７８】
[0305]  ブロック２７１０において、例示的な方法２７００は、インターレースを介してＵＥのためのスケジューリング要求とバッファステータス報告とを受信することを含み得る。ブロック２７１０における動作は、図１２、図１３、図１６、図１７、図１９、または図２０を参照しながら説明したワイヤレス通信管理モジュール１２２０、１３２０、１６２０、１７２０、１９６０、または２０８４、あるいは図１６または図１７を参照しながら説明した送信受信管理モジュール１６４０あるいは１７４０、スケジューリング要求受信管理モジュール１６４５あるいは１７４５、またはバッファステータス報告受信管理モジュール１６５０あるいは１７５０を使用して行われ得る。
【０２７９】
[0306]  従って、例示的な方法２７００はワイヤレス通信を提供し得る。例示的な方法２７００は一実施形態にすぎず、例示的な方法２７００の動作は、他の実施形態が可能であるように再構成されるか、または場合によっては修正され得ることに留意されたい。
【０２８０】
[0307]  図２８は、本開示の態様による、ワイヤレス通信のための例示的な方法２８００を示すフローチャートである。明快のために、例示的な方法２８００について、図１、図２、図６、図７、図８、図９、図１９、または図２０を参照しながら説明した基地局１０５、２０５、２０６、６０５、７０５、８０５、９０５、１９０５、または２００５のうちの１つまたは複数の態様、あるいは図１２、図１３、図１６、または図１７を参照しながら説明した装置１２０５、１３０５、１６０５、または１７０５のうちの１つまたは複数の態様に関して以下で説明する。いくつかの例では、基地局または装置は、以下で説明する機能を行うように基地局または装置の機能要素を制御するためのコードの１つまたは複数のセットを実行し得る。追加または代替として、基地局または装置は、専用ハードウェアを使用して以下で説明される機能のうちの１つまたは複数を行い得る。
【０２８１】
[0308]  ブロック２８０５において、例示的な方法２８００は、ＰＵＣＣＨ送信のためにＵＥに無認可無線周波数スペクトル帯域のインターレースの指示を送信することを含み得る。無認可無線周波数スペクトル帯域は、無線周波数スペクトル帯域がＷｉ−Ｆｉ用途などの無認可の用途に利用可能であるので送信装置がアクセスを求めて競合する必要があり得る無線周波数スペクトル帯域を含み得る。無認可無線周波数スペクトル帯域のインターレースは、いくつかの例では、図４を参照しながら説明したように構成され得る。ブロック２８０５における動作は、図１２、図１３、図１６、図１７、図１９、または図２０を参照しながら説明したワイヤレス通信管理モジュール１２２０、１３２０、１６２０、１７２０、１９６０、または２０８４、あるいは図１６または図１７を参照しながら説明したインターレース割振り管理モジュール１６３５または１７３５を使用して行われ得る。
【０２８２】
[0309]  ブロック２８１０において、例示的な方法２８００は、インターレースを介してＵＥのためのスケジューリング要求とバッファステータス報告とを受信することと、随意に、指示されたインターレースを介してスケジューリング要求とバッファステータス報告とともに電力ヘッドルーム報告、論理グループ識別子、または巡回冗長検査を受信することとを含み得る。スケジューリング要求は、いくつかの例では、スケジューリング要求が行われているかどうかを示す単一ビットであり得る。バッファステータス報告は、いくつかの例では、短いバッファステータス報告（例えば、６ビットの報告）または長いバッファステータス報告（例えば、２４ビットの報告）の形態をとり得る。電力ヘッドルーム報告は、いくつかの例では、６ビット報告であり得る。
【０２８３】
[0310]  スケジューリング報告、バッファステータス報告、または電力ヘッドルーム報告は、複数のあらかじめ定義されたＰＵＣＣＨフォーマットのうちの１つを使用して受信され得る。短いバッファステータス報告の場合、選択されるＰＵＣＣＨフォーマットは、いくつかの例では、フォーマット１ｂであり得る。いくつかの例では、ＰＵＣＣＨフォーマットは、指示されたインターレースを介して送信されるべきペイロードのサイズに、またはバッファステータス報告のサイズに少なくとも部分的に基づき得る。巡回冗長検査のサイズは、（例えば、スケジューリング要求と、バッファステータス報告と、随意に、電力ヘッドルーム報告とを考慮した後に）指示されたインターレース中のビットの残りの数に少なくとも部分的に基づき得る。ブロック２８１０における動作は、図１２、図１３、図１６、図１７、図１９、または図２０を参照しながら説明したワイヤレス通信管理モジュール１２２０、１３２０、１６２０、１７２０、１９６０、または２０８４、図１６または図１７を参照しながら説明した送信受信管理モジュール１６４０もしくは１７４０、スケジューリング要求受信管理モジュール１６４５もしくは１７４５、またはバッファステータス報告受信管理モジュール１６５０もしくは１７５０、あるいは図１６を参照しながら説明した電力ヘッドルーム報告受信管理モジュール１７５５または巡回冗長検査評価モジュール１７６０を使用して行われ得る。
【０２８４】
[0311]  いくつかの例では、例示的な方法２８００は、指示されたインターレースを介して、ＵＣＩの送信と多重化されたスケジューリング要求とバッファ状態要求と（随意に、電力ヘッドルーム報告、論理グループ識別子、または巡回冗長検査と）を受信することを含み得る。いくつかの例では、ＵＣＩは、ＡＣＫ、ＮＡＫ、またはいくつかのＣＱＩ報告のうちの少なくとも１つを含み得る。
【０２８５】
[0312]  従って、例示的な方法２８００はワイヤレス通信を提供し得る。例示的な方法２８００は一実施形態にすぎず、例示的な方法２８００の動作は、再構成されるか、または場合によっては修正され得ることに留意されたい。
【０２８６】
[0313]  いくつかの例では、図２１、図２２、図２３、図２４、図２５、図２６、図２７、または図２８を参照しながら説明した例示的な方法２１００、２２００、２３００、２４００、２５００、２６００、２７００、または２８００のうちの２つ以上の態様は、他の実施形態が可能であるように組み合わされ得る。
【０２８７】
[0314]  本明細書で説明した技法は、ＣＤＭＡ、ＴＤＭＡ、ＦＤＭＡ、ＯＦＤＭＡ、ＳＣ−ＦＤＭＡ、および他のシステムなどの様々なワイヤレス通信システムのために使用され得る。「システム」および「ネットワーク」という用語は、しばしば互換的に使用される。ＣＤＭＡシステムは、ＣＤＭＡ２０００、ユニバーサル地上波無線アクセス（ＵＴＲＡ）などの無線技術を実施し得る。ＣＤＭＡ２０００は、ＩＳ−２０００、ＩＳ−９５、およびＩＳ−８５６規格をカバーする。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ：High Rate Packet Data）などと呼ばれる。ＵＴＲＡは、広帯域ＣＤＭＡ（ＷＣＤＭＡ（登録商標））およびＣＤＭＡの他の変形態を含む。ＴＤＭＡシステムは、モバイル通信用グローバルシステム（ＧＳＭ（登録商標）：Global System for Mobile Communications）などの無線技術を実施し得る。ＯＦＤＭＡシステムは、ウルトラモバイルブロードバンド（ＵＭＢ）、発展型ＵＴＲＡ（Ｅ−ＵＴＲＡ）、ＩＥＥＥ８０２．１１（Ｗｉ−Ｆｉ）、ＩＥＥＥ８０２．１６（ＷｉＭＡＸ（登録商標））、ＩＥＥＥ８０２．２０、Ｆｌａｓｈ−ＯＦＤＭ（商標）などの無線技術を実施し得る。ＵＴＲＡおよびＥ−ＵＴＲＡは、ユニバーサルモバイルテレコミュニケーションシステム（ＵＭＴＳ：Universal Mobile Telecommunication System）の一部である。３ＧＰＰロングタームエボリューション（ＬＴＥ）およびＬＴＥアドバンスト（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ：3rd Generation Partnership Project）と称する団体からの文書に記載されている。ＣＤＭＡ２０００およびＵＭＢは、「第３世代パートナーシッププロジェクト２」（３ＧＰＰ２：3rd Generation Partnership Project 2）と称する団体からの文書に記載されている。本明細書で説明した技法は、無認可または共有帯域幅を介したセルラー（例えば、ＬＴＥ）通信を含む、上述のシステムおよび無線技術、ならびに他のシステムおよび無線技術のために使用され得る。ただし、上記の説明では、例としてＬＴＥ／ＬＴＥ−Ａシステムについて説明し、上記の説明の大部分においてＬＴＥ用語が使用されるが、本技法はＬＴＥ／ＬＴＥ−Ａ適用例以外に適用可能である。
【０２８８】
[0315]  添付の図面に関して上に記載された詳細な説明は、例について説明しており、実施され得るかまたは特許請求の範囲内に入る例の全てを表すものではない。「例」および「例示的」という用語は、本明細書で使用されるとき、「例、事例、または例示として働く」ことを意味し、「好ましい」または「他の例よりも有利である」ことを意味するものではない。詳細な説明は、説明される技法の理解をもたらすための具体的な詳細を含む。ただし、これらの技法は、これらの具体的な詳細なしに実施され得る。いくつかの事例では、説明した例の概念を不明瞭にすることを回避するために、よく知られている構造および装置がブロック図の形式で示されている。
【０２８９】
[0316]  情報および信号は、多種多様な技術および技法のいずれかを使用して表され得る。例えば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０２９０】
[0317]  本明細書の開示に関して説明した様々な例示的なブロックおよび構成要素は、汎用プロセッサ、デジタル信号プロセッサ（ＤＳＰ）、ＡＳＩＣ、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を行うように設計されたそれらの任意の組合せを用いて実施または行われ得る。汎用プロセッサはマイクロプロセッサであり得るが、代替として、プロセッサは、任意の従来のプロセッサ、コントローラ、マイクロコントローラ、または状態機械であり得る。プロセッサは、コンピューティングデバイスの組合せ、例えば、ＤＳＰとマイクロプロセッサとの組合せ、複数のマイクロプロセッサ、ＤＳＰコアと連携する１つまたは複数のマイクロプロセッサ、または任意の他のそのような構成としても実施され得る。
【０２９１】
[0318]  本明細書で説明する機能は、ハードウェア、プロセッサによって実行されるソフトウェア、ファームウェア、またはそれらの組合せで実施され得る。プロセッサによって実行されるソフトウェアで実施される場合、機能は、１つまたは複数の命令またはコードとしてコンピュータ可読媒体上に記憶されるか、あるいはコンピュータ可読媒体を介して送信され得る。他の例および実施形態が、本開示および添付の特許請求の範囲の範囲および趣旨内に入る。例えば、ソフトウェアの性質により、上記で説明した機能は、プロセッサ、ハードウェア、ファームウェア、ハードワイヤリング、またはこれらのうちのいずれかの組合せによって実行されるソフトウェアを使用して実施され得る。機能を実施する特徴はまた、機能の部分が、異なる物理的ロケーションにおいて実施されるように分散されることを含めて、様々な位置に物理的に配置され得る。特許請求の範囲を含めて、本明細書で使用される場合、２つ以上の項目の列挙中で使用されるとき、「および／または」という語は、列挙された項目のうちのいずれか１つが単独で採用され得ること、または列挙された項目のうちの２つ以上の任意の組合せが採用され得ることを意味する。例えば、組成が、構成要素Ａ、Ｂ、および／またはＣを含んでいると記述されている場合、その組成は、Ａのみ、Ｂのみ、Ｃのみ、ＡとＢの組合せ、ＡとＣの組合せ、ＢとＣの組合せ、またはＡとＢとＣの組合せを含んでいることがある。また、特許請求の範囲を含めて、本明細書で使用される場合、項目の列挙（例えば、「のうちの少なくとも１つ」あるいは「のうちの１つまたは複数」などの句で終わる項目の列挙）中で使用される「または」は、例えば、項目の列挙「のうちの少なくとも１つ」に言及する句が、単一の要素を含む、これらの項目の任意の組合せに言及するような包括的列挙を示す。一例として、「Ａ、Ｂ、またはＣのうちの少なくとも１つ」は、Ａ、Ｂ、Ｃ、Ａ−Ｂ、Ａ−Ｃ、Ｂ−Ｃ、およびＡ−Ｂ−Ｃ、ならびに複数の同じ要素をもつ任意の組合せ（例えば、Ａ−Ａ、Ａ−Ａ−Ａ、Ａ−Ａ−Ｂ、Ａ−Ａ−Ｃ、Ａ−Ｂ−Ｂ、Ａ−Ｃ−Ｃ、Ｂ−Ｂ、Ｂ−Ｂ−Ｂ、Ｂ−Ｂ−Ｃ、Ｃ−Ｃ、およびＣ−Ｃ−Ｃ、またはＡ、Ｂ、およびＣの任意の他の順序）を包含するものとする。
【０２９２】
[0319]  コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であり得る。限定ではなく例として、非一時的コンピュータ可読媒体は、ＲＡＭ、ＲＯＭ、電気的消去可能プログラマブル読取り専用メモリ（ＥＥＰＲＯＭ（登録商標））、コンパクトディスク（ＣＤ）ＲＯＭまたは他の光ディスクストレージ、磁気ディスクストレージまたは他の磁気ストレージデバイス、あるいは命令またはデータ構造の形態の所望のプログラムコード手段を搬送または記憶するために使用され得、汎用もしくは専用コンピュータ、または汎用もしくは専用プロセッサによってアクセスされ得る、任意の他の非一時的媒体を備えることができる。また、任意の接続がコンピュータ可読媒体と適切に呼ばれる。例えば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は媒体の定義に含まれる。本明細書で使用するディスク（disk）およびディスク（disc）は、ＣＤ、レーザーディスク（登録商標）（disc）、光ディスク（disc）、デジタル多用途ディスク（disc）（ＤＶＤ）、フロッピー（登録商標）ディスク（disk）およびＢｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれる。
【０２９３】
[0320]  本開示についての以上の説明は、当業者が本開示を作成または使用することができるように与えられたものである。本開示への様々な修正は当業者には容易に明らかとなり、本明細書で定義した一般原理は、本開示の範囲から逸脱することなく他の変形形態に適用され得る。従って、本開示は、本明細書で説明した例および設計に限定されるべきでなく、本明細書で開示した原理および新規の特徴に一致する最も広い範囲を与えられるべきである。
以下に本願の出願当初の特許請求の範囲に記載された発明を付記する。
[Ｃ１]  ワイヤレス通信のための方法であって、
基地局から、サウンディング基準信号のために割り振られた無認可無線周波数スペクトル帯域の１つまたは複数のアップリンクインターレースのセットの指示を受信することと、
前記無認可無線周波数スペクトル帯域の１つまたは複数のアップリンクインターレースの前記指示されたセットを介してユーザ機器（ＵＥ）のための前記サウンディング基準信号を送信することと
を備える、方法。
[Ｃ２]  前記基地局から、前記サウンディング基準信号が送信されるべきであるアップリンクサブフレームまたはアップリンクサブフレームのシンボルのうちの少なくとも１つの指示を受信すること
をさらに備える、Ｃ１に記載の方法。
[Ｃ３]  １つまたは複数のアップリンクインターレースの前記セット内のリソースブロックのロケーションに少なくとも部分的に基づいて１つまたは複数のアップリンクインターレースの前記セットの前記リソースブロックのためのサウンディング基準信号シーケンスを決定すること
をさらに備える、１つまたは複数のアップリンクインターレースの前記セットが複数のリソースブロックを備える、Ｃ１に記載の方法。
[Ｃ４]  前記リソースブロックのための前記サウンディング基準信号シーケンスが、前記リソースブロックに関連するアップリンクインターレースに少なくとも部分的に基づく、Ｃ３に記載の方法。
[Ｃ５]  ＵＥ識別子またはセル識別子のうちの少なくとも１つを決定すること、
ここにおいて、前記リソースブロックのための前記サウンディング基準信号シーケンスが、前記ＵＥ識別子または前記セル識別子に少なくとも部分的に基づく、
をさらに備える、Ｃ３に記載の方法。
[Ｃ６]  １つまたは複数のアップリンクインターレースの前記セットの各アップリンクインターレースが、複数のサブキャリアを備える、ここにおいて、前記サウンディング基準信号を送信することが、
前記複数のサブキャリアから１つまたは複数のサブキャリアを介して前記ＵＥのための前記サウンディング基準信号を送信すること
を備える、Ｃ１に記載の方法。
[Ｃ７]  フレーム中に前記サウンディング基準信号を送信するようにスケジュールされていないＵＥによるサウンディング基準信号送信のために１つまたは複数のアップリンクインターレースの前記セットが指定されているという指示を前記基地局から受信することと、
前記フレーム中に前記基地局に前記サウンディング基準信号を送信するように前記ＵＥがスケジュールされていないと決定することと、前記フレーム中に割り振られた物理アップリンク共有チャネル（ＰＵＳＣＨ）を前記ＵＥが有すると決定することとを行うことと、
ここにおいて、前記サウンディング基準信号が、前記決定に応答して１つまたは複数のアップリンクインターレースの前記セットを介して送信される、
をさらに備える、Ｃ１に記載の方法。
[Ｃ８]  前記サウンディング基準信号のために割り振られた１つまたは複数のアップリンクインターレースの前記セットが、前記基地局と前記ＵＥとの間の距離または前記ＵＥの送信電力のうちの少なくとも１つに少なくとも部分的に基づく、Ｃ１に記載の方法。
[Ｃ９]  ワイヤレス通信のための装置であって、
基地局から、サウンディング基準信号のために割り振られた無認可無線周波数スペクトル帯域の１つまたは複数のアップリンクインターレースのセットの指示を受信するための手段と、
前記無認可無線周波数スペクトル帯域の１つまたは複数のアップリンクインターレースの前記指示されたセットを介してユーザ機器（ＵＥ）のための前記サウンディング基準信号を送信するための手段と
を備える、装置。
[Ｃ１０]  前記基地局から、前記サウンディング基準信号が送信されるべきであるアップリンクサブフレームまたはアップリンクサブフレームのシンボルのうちの少なくとも１つの指示を受信するための手段
をさらに備える、Ｃ９に記載の装置。
[Ｃ１１]  １つまたは複数のアップリンクインターレースの前記セットが複数のリソースブロックを備える、ここにおいて、前記装置が、
１つまたは複数のアップリンクインターレースの前記セット内のリソースブロックのロケーションに少なくとも部分的に基づいて１つまたは複数のアップリンクインターレースの前記セットの前記リソースブロックのためのサウンディング基準信号シーケンスを決定するための手段
をさらに備える、Ｃ９に記載の装置。
[Ｃ１２]  前記リソースブロックのための前記サウンディング基準信号シーケンスが、前記リソースブロックに関連するアップリンクインターレースに少なくとも部分的に基づく、Ｃ１１に記載の装置。
[Ｃ１３]  ＵＥ識別子またはセル識別子のうちの少なくとも１つを決定するための手段、
ここにおいて、前記リソースブロックのための前記サウンディング基準信号シーケンスが、前記ＵＥ識別子または前記セル識別子に少なくとも部分的に基づく、
をさらに備える、Ｃ１１に記載の装置。
[Ｃ１４]  １つまたは複数のアップリンクインターレースの前記セットの各アップリンクインターレースが、複数のサブキャリアを備える、ここにおいて、前記装置が、
前記複数のサブキャリアから１つまたは複数のサブキャリアを介して前記ＵＥのための前記サウンディング基準信号を送信するための手段
をさらに備える、Ｃ９に記載の装置。
[Ｃ１５]  フレーム中に前記サウンディング基準信号を送信するようにスケジュールされていないＵＥによるサウンディング基準信号送信のために１つまたは複数のアップリンクインターレースの前記セットが指定されているという指示を前記基地局から受信するための手段と、
前記フレーム中に前記基地局に前記サウンディング基準信号を送信するように前記ＵＥがスケジュールされていないと決定することと、前記フレーム中に割り振られた物理アップリンク共有チャネル（ＰＵＳＣＨ）を前記ＵＥが有すると決定することとを行うための手段と、
ここにおいて、前記サウンディング基準信号が、前記決定に応答して１つまたは複数のアップリンクインターレースの前記セットを介して送信される、
をさらに備える、Ｃ９に記載の装置。
[Ｃ１６]  前記サウンディング基準信号のために割り振られた１つまたは複数のアップリンクインターレースの前記セットが、前記基地局と前記ＵＥとの間の距離または前記ＵＥの送信電力のうちの少なくとも１つに少なくとも部分的に基づく、Ｃ９に記載の装置。
[Ｃ１７]  ワイヤレス通信のための方法であって、
物理アップリンク制御チャネル（ＰＵＣＣＨ）送信のために割り振られた無認可無線周波数スペクトル帯域のインターレースの指示を受信することと、
前記指示されたインターレースを介してスケジューリング要求とバッファステータス報告とを送信することと
を備える、方法。
[Ｃ１８]  前記指示されたインターレースを介して前記スケジューリング要求と前記バッファステータス報告とともに電力ヘッドルーム報告または論理グループ識別子のうちの少なくとも１つを送信すること
をさらに備える、Ｃ１７に記載の方法。
[Ｃ１９]  前記指示されたインターレースを介して少なくとも前記スケジューリング要求と前記バッファステータス報告とについての巡回冗長検査を送信することと、
前記指示されたインターレース中のビットの残りの数に少なくとも部分的に基づいて前記巡回冗長検査のサイズを調整することと
をさらに備える、Ｃ１７に記載の方法。
[Ｃ２０]  前記スケジューリング要求と前記バッファステータス報告とが、複数のあらかじめ定義された物理アップリンク制御チャネル（ＰＵＣＣＨ）フォーマットのうちの１つを使用して送信される、Ｃ１７に記載の方法。
[Ｃ２１]  前記バッファステータス報告のサイズまたは前記指示されたインターレースを介して送信されるべきペイロードのサイズのうちの少なくとも１つに少なくとも部分的に基づいてＰＵＣＣＨフォーマットを選択すること
をさらに備える、Ｃ２０に記載の方法。
[Ｃ２２]  前記指示されたインターレースを介した前記スケジューリング要求と前記バッファステータス報告との送信をアップリンク制御情報（ＵＣＩ）の送信と多重化すること
をさらに備える、Ｃ１７に記載の方法。
[Ｃ２３]  前記ＵＣＩが、論理グループ識別子肯定応答（ＡＣＫ）、否定応答（ＮＡＫ）、またはいくつかのチャネル品質インジケータ（ＣＱＩ）報告のうちの少なくとも１つを備える、Ｃ２２に記載の方法。
[Ｃ２４]  ワイヤレス通信のための装置であって、
物理アップリンク制御チャネル（ＰＵＣＣＨ）送信のために割り振られた無認可無線周波数スペクトル帯域のインターレースの指示を受信するための手段と、
前記指示されたインターレースを介してスケジューリング要求とバッファステータス報告とを送信するための手段と
を備える、装置。
[Ｃ２５]  前記指示されたインターレースを介して前記スケジューリング要求と前記バッファステータス報告とともに電力ヘッドルーム報告または論理グループ識別子のうちの少なくとも１つを送信するための手段
をさらに備える、Ｃ２４に記載の装置。
[Ｃ２６]  前記指示されたインターレースを介して少なくとも前記スケジューリング要求と前記バッファステータス報告とについての巡回冗長検査を送信するための手段と、
前記指示されたインターレース中のビットの残りの数に少なくとも部分的に基づいて前記巡回冗長検査のサイズを調整するための手段と
をさらに備える、Ｃ２４に記載の装置。
[Ｃ２７]  前記スケジューリング要求と前記バッファステータス報告とが、複数のあらかじめ定義された物理アップリンク制御チャネル（ＰＵＣＣＨ）フォーマットのうちの１つを使用して送信される、Ｃ２４に記載の装置。
[Ｃ２８]  前記バッファステータス報告のサイズまたは前記指示されたインターレースを介して送信されるべきペイロードのサイズのうちの少なくとも１つに少なくとも部分的に基づいてＰＵＣＣＨフォーマットを選択するための手段
をさらに備える、Ｃ２７に記載の装置。
[Ｃ２９]  前記指示されたインターレースを介した前記スケジューリング要求と前記バッファステータス報告との送信をアップリンク制御情報（ＵＣＩ）の送信と多重化するための手段  をさらに備える、Ｃ２４に記載の装置。
[Ｃ３０]  前記ＵＣＩが、指示肯定応答（ＡＣＫ）、否定応答（ＮＡＫ）、またはいくつかのチャネル品質インジケータ（ＣＱＩ）報告のうちの少なくとも１つを備える、Ｃ２９に記載の装置。
【図１】
0006640205.tif 000002
【図２】
0006640205.tif 000003
【図３】
0006640205.tif 000004
【図４】
0006640205.tif 000005
【図５】
0006640205.tif 000006
【図６】
0006640205.tif 000007
【図７】
0006640205.tif 000008
【図８】
0006640205.tif 000009
【図９】
0006640205.tif 000010
【図１０】
0006640205.tif 000011
【図１１】
0006640205.tif 000012
【図１２】
0006640205.tif 000013
【図１３】
0006640205.tif 000014
【図１４】
0006640205.tif 000015
【図１５】
0006640205.tif 000016
【図１６】
0006640205.tif 000017
【図１７】
0006640205.tif 000018
【図１８】
0006640205.tif 000019
【図１９】
0006640205.tif 000020
【図２０】
0006640205.tif 000021
【図２１】
0006640205.tif 000022
【図２２】
0006640205.tif 000023
【図２３】
0006640205.tif 000024
【図２４】
0006640205.tif 000025
【図２５】
0006640205.tif 000026
【図２６】
0006640205.tif 000027
【図２７】
0006640205.tif 000028
【図２８】
0006640205.tif 000029